(57)【要約】  本出願は、通信方法、端末、および基地局を開示する。方法は、端末により、基地局によって送信された指示情報を受信するステップであって、指示情報が、第1のプリコーディング行列セット内のプリコーディング行列およびプリコーディング行列に対応する送信ランクを示し、プリコーディング行列が、r個の送信レイヤにおいて送信データストリームをプリコーディングして端末のN個の送信ポート上で送信されるべき信号を取得するために使用され、r＞1であるとき、第1のプリコーディング行列セット内の送信ランクがrであるプリコーディング行列の非スカラ部分が、r個のプリコーディング行列の非スカラ部分内の列を組み合わせることによって取得され、r個のプリコーディング行列が、送信ランクが1であるすべてのプリコーディング行列から選択されたプリコーディング行列である、ステップと、端末により、指示情報に基づいて、送信データストリームをプリコーディングするためのプリコーディング行列を特定するステップとを含む。ランクが1より大きいプリコーディング行列は、ランクが1であるプリコーディング行列を連結することによって取得され、その結果、端末の実装の複雑さを低減することができ、低いダウンリンクシグナリング指示オーバーヘッドおよびより良い送信性能を保証することができる。
2020504487.tif 000002
【特許請求の範囲】
【請求項１】
通信方法であって、前記方法は、
端末により、基地局によって送信された指示情報を受信するステップであって、前記指示情報が第1のビットフィールドを備え、前記第1のビットフィールドが、第1のプリコーディング行列セットに備えられたプリコーディング行列および前記プリコーディング行列に対応する送信ランクを示すために使用され、前記プリコーディング行列が、r個の送信レイヤにおいて送信データストリームをプリコーディングして前記端末のN個の送信ポート上で送信されるべき信号を取得するために使用され、前記プリコーディング行列の行数が送信ポートの前記数Nに等しく、N＝4であり、前記プリコーディング行列の列数が送信レイヤの前記数rに等しく、1≦r≦Nであり、前記送信ランクの値が送信レイヤの前記数rに等しく、r＞1であるとき、前記第1のプリコーディング行列セット内の送信ランクがrであるプリコーディング行列の非スカラ部分が、r個のプリコーディング行列の非スカラ部分内の列を組み合わせることによって取得され、前記r個のプリコーディング行列が、送信ランクが1であるすべてのプリコーディング行列から選択されたプリコーディング行列である、ステップと、
前記端末により、前記指示情報に基づいて、すべての前記送信レイヤにおいて前記送信データストリームをプリコーディングするための前記プリコーディング行列を特定するステップと
を備える、方法。
【請求項２】
前記送信ポート間でコヒーレント送信を実行することができ、
送信ランクが1であるすべての前記プリコーディング行列が、少なくとも第1のプリコーディング行列サブセットおよび第2のプリコーディング行列サブセットを備え、前記第1のプリコーディング行列サブセット内の各プリコーディング行列の列が4つの非ゼロ要素を備え、前記第2のプリコーディング行列サブセットが4つのプリコーディング行列を備え、前記4つのプリコーディング行列の各々の列が1つの非ゼロ要素および3つのゼロ要素を備え、前記ゼロ要素が対応する送信ポートの送信電力が0であることを示し、前記4つのプリコーディング行列のすべてに備えられた非ゼロ要素が異なる行に配置され、
送信ランクが2であるすべてのプリコーディング行列が第3のプリコーディング行列サブセットを備え、前記第3のプリコーディング行列サブセット内の各プリコーディング行列の非スカラ部分が、2つのプリコーディング行列の非スカラ部分内の列を組み合わせることによって取得され、前記2つのプリコーディング行列が前記第1のプリコーディング行列サブセットから選択された2つの互いに直交するプリコーディング行列であり、
送信ランクが3であるすべてのプリコーディング行列が第4のプリコーディング行列サブセットを備え、前記第4のプリコーディング行列サブセット内の各プリコーディング行列の非スカラ部分が、3つのプリコーディング行列の非スカラ部分内の列を組み合わせることによって取得され、前記3つのプリコーディング行列が前記第1のプリコーディング行列サブセットから選択された3つの互いに直交するプリコーディング行列であり、
送信ランクが4であるプリコーディング行列の非スカラ部分が、4つのプリコーディング行列の非スカラ部分内の列を組み合わせることによって取得され、前記4つのプリコーディング行列が前記第2のプリコーディング行列サブセットに備えられたすべての前記プリコーディング行列である、
請求項1に記載の方法。
【請求項３】
前記第3のプリコーディング行列サブセットが、第1のタイプのプリコーディング行列、第2のタイプのプリコーディング行列、および第3のタイプのプリコーディング行列のうちの任意の2つまたは3つのタイプを備え、前記第1のタイプのプリコーディング行列の第1の列および第2の列が、完全に同じビーム空間を有するが、異なる交差偏波位相を有し、前記第2のタイプのプリコーディング行列の第1の列および第2の列が、反対のビーム空間を有するが、同じ交差偏波位相を有し、前記第2のタイプのプリコーディング行列の第1の列および第2の列が、反対のビーム空間および異なる交差偏波位相を有する、
請求項2に記載の方法。
【請求項４】
前記送信ポートが第1のポートグループおよび第2のポートグループに分類され、前記送信ポート間でコヒーレント送信を実行することができ、コヒーレント送信が、前記第1のポートグループ内、前記第2のポートグループ内、および前記第1のポートグループと前記第2のポートグループとの間で実行することができる、請求項2または3に記載の方法。
【請求項５】
前記送信ポートが第1のポートグループおよび第2のポートグループに分類され、コヒーレント送信が、前記第1のポートグループ内および前記第2のポートグループ内で実行することができるが、コヒーレント送信が、前記第1のポートグループと前記第2のポートグループとの間で実行することができず、
送信ランクが1であるすべての前記プリコーディング行列が、第5のプリコーディング行列サブセットおよび第2のプリコーディング行列サブセットを備え、前記第5のプリコーディング行列サブセット内の各プリコーディング行列の列が2つの非ゼロ要素および2つのゼロ要素を備え、前記非ゼロ要素を備える行に対応する送信ポートが前記第1のポートグループまたは前記第2のポートグループに備えられた送信ポートであり、前記ゼロ要素を備える行に対応する送信ポートの送信電力が0であり、前記第2のプリコーディング行列サブセットが4つのプリコーディング行列を備え、前記4つのプリコーディング行列の各々の列が1つの非ゼロ要素および3つのゼロ要素を備え、前記4つのプリコーディング行列のすべてに備えられた非ゼロ要素が異なる行に配置され、
送信ランクが2であるすべてのプリコーディング行列が第6のプリコーディング行列サブセットを備え、前記第6のプリコーディング行列サブセット内の各プリコーディング行列の非スカラ部分が、2つのプリコーディング行列の非スカラ部分内の列を組み合わせることによって取得され、前記2つのプリコーディング行列が前記第5のプリコーディング行列サブセットから選択された2つのプリコーディング行列であり、
送信ランクが3であるすべてのプリコーディング行列が第7のプリコーディング行列サブセットを備え、前記第7のプリコーディング行列サブセット内の各プリコーディング行列の非スカラ部分が、3つのプリコーディング行列の非スカラ部分内の列を組み合わせることによって取得され、前記3つのプリコーディング行列のうちの1つが前記第5のプリコーディング行列サブセットから選択されたプリコーディング行列であり、前記3つのプリコーディング行列のうちの他の2つが前記第2のプリコーディング行列サブセットから選択された2つのプリコーディング行列であり、
送信ランクが4であるプリコーディング行列の非スカラ部分が、4つのプリコーディング行列の非スカラ部分内の列を組み合わせることによって取得され、前記4つのプリコーディング行列が前記第2のプリコーディング行列サブセット内のすべての前記プリコーディング行列である、
請求項1に記載の方法。
【請求項６】
送信ランクが2であるすべての前記プリコーディング行列が第8のプリコーディング行列サブセットをさらに備え、前記第8のプリコーディング行列サブセットが第1のプリコーディング行列および第2のプリコーディング行列を備え、前記第1のプリコーディング行列の非スカラ部分および前記第2のプリコーディング行列の非スカラ部分が、各々2つのプリコーディング行列の非スカラ部分内の列を組み合わせることによって取得され、前記2つのプリコーディング行列が前記第2のプリコーディング行列サブセットから選択されたプリコーディング行列であり、前記第1のプリコーディング行列内の非ゼロ要素を備える行に対応する送信ポートが、前記第1のポートグループに備えられた送信ポートであり、前記第2のプリコーディング行列内の非ゼロ要素を備える行に対応する送信ポートが、前記第2のポートグループに備えられた送信ポートである、
請求項4または5に記載の方法。
【請求項７】
前記送信ポート間でコヒーレント送信を実行することができず、
送信ランクが1であるすべての前記プリコーディング行列が第2のプリコーディング行列サブセットを備え、前記第2のプリコーディング行列サブセットが4つのプリコーディング行列を備え、前記4つのプリコーディング行列の各々の列が1つの非ゼロ要素および3つのゼロ要素を備え、前記4つのプリコーディング行列のすべてに備えられた非ゼロ要素が異なる行に配置され、前記ゼロ要素を備える行に対応する送信ポートの送信電力が0であり、
送信ランクが2であるすべてのプリコーディング行列が第9のプリコーディング行列サブセットを備え、前記第9のプリコーディング行列サブセット内の各プリコーディング行列の非スカラ部分が、2つのプリコーディング行列の非スカラ部分内の列を組み合わせることによって取得され、前記2つのプリコーディング行列が前記第2のプリコーディング行列サブセットからランダムに選択された2つのプリコーディング行列であり、
送信ランクが3であるすべてのプリコーディング行列が第10のプリコーディング行列サブセットを備え、前記第10のプリコーディング行列サブセット内の各プリコーディング行列の非スカラ部分が、3つのプリコーディング行列の非スカラ部分内の列を組み合わせることによって取得され、前記3つのプリコーディング行列が前記第2のプリコーディング行列サブセットからランダムに選択された3つのプリコーディング行列であり、
送信ランクが4であるプリコーディング行列の非スカラ部分が、4つのプリコーディング行列の非スカラ部分内の列を組み合わせることによって取得され、前記4つのプリコーディング行列が前記第2のプリコーディング行列サブセット内のすべての前記プリコーディング行列である、
請求項1に記載の方法。
【請求項８】
通信方法であって、
基地局により、指示情報を決定するステップであって、前記指示情報が第1のビットフィールドを備え、前記第1のビットフィールドが、第1のプリコーディング行列セットに備えられたプリコーディング行列および前記プリコーディング行列に対応する送信ランクを示すために使用され、前記プリコーディング行列が、r個の送信レイヤにおいて送信データストリームをプリコーディングして前記端末のN個の送信ポート上で送信されるべき信号を取得するために使用され、前記プリコーディング行列の行数が送信ポートの前記数Nに等しく、N＝4であり、前記プリコーディング行列の列数が送信レイヤの前記数rに等しく、1≦r≦Nであり、前記送信ランクの値が送信レイヤの前記数rに等しく、r＞1であるとき、前記第1のプリコーディング行列セット内の送信ランクがrであるプリコーディング行列の非スカラ部分が、r個のプリコーディング行列の非スカラ部分内の列を組み合わせることによって取得され、前記r個のプリコーディング行列が、送信ランクが1であるすべてのプリコーディング行列から選択されたプリコーディング行列である、ステップと、
前記基地局により、前記端末に前記指示情報を送信するステップであって、前記指示情報が、すべての前記送信レイヤにおいて前記送信データストリームをプリコーディングするための前記プリコーディング行列を特定するために前記端末によって使用される、ステップと
を備える、方法。
【請求項９】
前記送信ポート間でコヒーレント送信を実行することができ、
送信ランクが1であるすべての前記プリコーディング行列が、少なくとも第1のプリコーディング行列サブセットおよび第2のプリコーディング行列サブセットを備え、前記第1のプリコーディング行列サブセット内の各プリコーディング行列の列が4つの非ゼロ要素を備え、前記第2のプリコーディング行列サブセットが4つのプリコーディング行列を備え、前記4つのプリコーディング行列の各々の列が1つの非ゼロ要素および3つのゼロ要素を備え、前記ゼロ要素が対応する送信ポートの送信電力が0であることを示し、前記4つのプリコーディング行列のすべてに備えられた非ゼロ要素が異なる行に配置され、
送信ランクが2であるすべてのプリコーディング行列が第3のプリコーディング行列サブセットを備え、前記第3のプリコーディング行列サブセット内の各プリコーディング行列の非スカラ部分が、2つのプリコーディング行列の非スカラ部分内の列を組み合わせることによって取得され、前記2つのプリコーディング行列が前記第1のプリコーディング行列サブセットから選択された2つの互いに直交するプリコーディング行列であり、
送信ランクが3であるすべてのプリコーディング行列が第4のプリコーディング行列サブセットを備え、前記第4のプリコーディング行列サブセット内の各プリコーディング行列の非スカラ部分が、3つのプリコーディング行列の非スカラ部分内の列を組み合わせることによって取得され、前記3つのプリコーディング行列が前記第1のプリコーディング行列サブセットから選択された3つの互いに直交するプリコーディング行列であり、
送信ランクが4であるプリコーディング行列の非スカラ部分が、4つのプリコーディング行列の非スカラ部分内の列を組み合わせることによって取得され、前記4つのプリコーディング行列が前記第2のプリコーディング行列サブセットに備えられたすべての前記プリコーディング行列である、
請求項8に記載の方法。
【請求項１０】
前記第3のプリコーディング行列サブセットが、第1のタイプのプリコーディング行列、第2のタイプのプリコーディング行列、および第3のタイプのプリコーディング行列のうちの任意の2つまたは3つのタイプを備え、前記第1のタイプのプリコーディング行列の第1の列および第2の列が、完全に同じビーム空間を有するが、異なる交差偏波位相を有し、前記第2のタイプのプリコーディング行列の第1の列および第2の列が、反対のビーム空間を有するが、同じ交差偏波位相を有し、前記第2のタイプのプリコーディング行列の第1の列および第2の列が、反対のビーム空間および異なる交差偏波位相を有する、
請求項9に記載の方法。
【請求項１１】
前記送信ポートが第1のポートグループおよび第2のポートグループに分類され、前記送信ポート間でコヒーレント送信を実行することができ、コヒーレント送信が、前記第1のポートグループ内、前記第2のポートグループ内、および前記第1のポートグループと前記第2のポートグループとの間で実行することができる、請求項9または10に記載の方法。
【請求項１２】
前記送信ポートが第1のポートグループおよび第2のポートグループに分類され、コヒーレント送信が、前記第1のポートグループ内および前記第2のポートグループ内で実行することができるが、コヒーレント送信が、前記第1のポートグループと前記第2のポートグループとの間で実行することができず、
送信ランクが1であるすべての前記プリコーディング行列が、第5のプリコーディング行列サブセットおよび第2のプリコーディング行列サブセットを備え、前記第5のプリコーディング行列サブセット内の各プリコーディング行列の列が2つの非ゼロ要素および2つのゼロ要素を備え、前記非ゼロ要素を備える行に対応する送信ポートが前記第1のポートグループまたは前記第2のポートグループに備えられた送信ポートであり、前記ゼロ要素を備える行に対応する送信ポートの送信電力が0であり、前記第2のプリコーディング行列サブセットが4つのプリコーディング行列を備え、前記4つのプリコーディング行列の各々の列が1つの非ゼロ要素および3つのゼロ要素を備え、前記4つのプリコーディング行列のすべてに備えられた非ゼロ要素が異なる行に配置され、
送信ランクが2であるすべてのプリコーディング行列が第6のプリコーディング行列サブセットを備え、前記第6のプリコーディング行列サブセット内の各プリコーディング行列の非スカラ部分が、2つのプリコーディング行列の非スカラ部分内の列を組み合わせることによって取得され、前記2つのプリコーディング行列が前記第5のプリコーディング行列サブセットから選択された2つのプリコーディング行列であり、
送信ランクが3であるすべてのプリコーディング行列が第7のプリコーディング行列サブセットを備え、前記第7のプリコーディング行列サブセット内の各プリコーディング行列の非スカラ部分が、3つのプリコーディング行列の非スカラ部分内の列を組み合わせることによって取得され、前記3つのプリコーディング行列のうちの1つが前記第5のプリコーディング行列サブセットから選択されたプリコーディング行列であり、前記3つのプリコーディング行列のうちの他の2つが前記第2のプリコーディング行列サブセットから選択された2つのプリコーディング行列であり、
送信ランクが4であるプリコーディング行列の非スカラ部分が、4つのプリコーディング行列の非スカラ部分内の列を組み合わせることによって取得され、前記4つのプリコーディング行列が前記第2のプリコーディング行列サブセット内のすべての前記プリコーディング行列である、
請求項8に記載の方法。
【請求項１３】
送信ランクが2であるすべての前記プリコーディング行列が第8のプリコーディング行列サブセットをさらに備え、前記第8のプリコーディング行列サブセットが第1のプリコーディング行列および第2のプリコーディング行列を備え、前記第1のプリコーディング行列の非スカラ部分および前記第2のプリコーディング行列の非スカラ部分が、各々2つのプリコーディング行列の非スカラ部分内の列を組み合わせることによって取得され、前記2つのプリコーディング行列が前記第2のプリコーディング行列サブセットから選択されたプリコーディング行列であり、前記第1のプリコーディング行列内の非ゼロ要素を備える行に対応する送信ポートが、前記第1のポートグループに備えられた送信ポートであり、前記第2のプリコーディング行列内の非ゼロ要素を備える行に対応する送信ポートが、前記第2のポートグループに備えられた送信ポートである、
請求項11または12に記載の方法。
【請求項１４】
前記送信ポート間でコヒーレント送信を実行することができず、
送信ランクが1であるすべての前記プリコーディング行列が第2のプリコーディング行列サブセットを備え、前記第2のプリコーディング行列サブセットが4つのプリコーディング行列を備え、前記4つのプリコーディング行列の各々の列が1つの非ゼロ要素および3つのゼロ要素を備え、前記4つのプリコーディング行列のすべてに備えられた非ゼロ要素が異なる行に配置され、前記ゼロ要素を備える行に対応する送信ポートの送信電力が0であり、
送信ランクが2であるすべてのプリコーディング行列が第9のプリコーディング行列サブセットを備え、前記第9のプリコーディング行列サブセット内の各プリコーディング行列の非スカラ部分が、2つのプリコーディング行列の非スカラ部分内の列を組み合わせることによって取得され、前記2つのプリコーディング行列が前記第2のプリコーディング行列サブセットからランダムに選択された2つのプリコーディング行列であり、
送信ランクが3であるすべてのプリコーディング行列が第10のプリコーディング行列サブセットを備え、前記第10のプリコーディング行列サブセット内の各プリコーディング行列の非スカラ部分が、3つのプリコーディング行列の非スカラ部分内の列を組み合わせることによって取得され、前記3つのプリコーディング行列が前記第2のプリコーディング行列サブセットからランダムに選択された3つのプリコーディング行列であり、
送信ランクが4であるプリコーディング行列の非スカラ部分が、4つのプリコーディング行列の非スカラ部分内の列を組み合わせることによって取得され、前記4つのプリコーディング行列が前記第2のプリコーディング行列サブセット内のすべての前記プリコーディング行列である、
請求項8に記載の方法。
【請求項１５】
プロセッサおよび通信インターフェースを備える端末であって、
前記通信インターフェースが前記基地局から指示情報を受信するように構成され、前記指示情報が第1のビットフィールドを備え、前記第1のビットフィールドが、第1のプリコーディング行列セットに備えられたプリコーディング行列および前記プリコーディング行列に対応する送信ランクを示すために使用され、前記プリコーディング行列が、r個の送信レイヤにおいて送信データストリームをプリコーディングして前記端末のN個の送信ポート上で送信されるべき信号を取得するために使用され、前記プリコーディング行列の行数が送信ポートの前記数Nに等しく、N＝4であり、前記プリコーディング行列の列数が送信レイヤの前記数rに等しく、1≦r≦Nであり、前記送信ランクの値が送信レイヤの前記数rに等しく、r＞1であるとき、前記第1のプリコーディング行列セット内の送信ランクがrであるプリコーディング行列の非スカラ部分が、r個のプリコーディング行列の非スカラ部分内の列を組み合わせることによって取得され、前記r個のプリコーディング行列が、送信ランクが1であるすべてのプリコーディング行列から選択されたプリコーディング行列であり、
前記プロセッサが、前記指示情報に基づいて、すべての前記送信レイヤにおいて前記送信データストリームをプリコーディングするための前記プリコーディング行列を特定するように構成される、
端末。
【請求項１６】
前記送信ポート間でコヒーレント送信を実行することができ、
送信ランクが1であるすべての前記プリコーディング行列が、少なくとも第1のプリコーディング行列サブセットおよび第2のプリコーディング行列サブセットを備え、前記第1のプリコーディング行列サブセット内の各プリコーディング行列の列が4つの非ゼロ要素を備え、前記第2のプリコーディング行列サブセットが4つのプリコーディング行列を備え、前記4つのプリコーディング行列の各々の列が1つの非ゼロ要素および3つのゼロ要素を備え、前記ゼロ要素が対応する送信ポートの送信電力が0であることを示し、前記4つのプリコーディング行列のすべてに備えられた非ゼロ要素が異なる行に配置され、
送信ランクが2であるすべてのプリコーディング行列が第3のプリコーディング行列サブセットを備え、前記第3のプリコーディング行列サブセット内の各プリコーディング行列の非スカラ部分が、2つのプリコーディング行列の非スカラ部分内の列を組み合わせることによって取得され、前記2つのプリコーディング行列が前記第1のプリコーディング行列サブセットから選択された2つの互いに直交するプリコーディング行列であり、
送信ランクが3であるすべてのプリコーディング行列が第4のプリコーディング行列サブセットを備え、前記第4のプリコーディング行列サブセット内の各プリコーディング行列の非スカラ部分が、3つのプリコーディング行列の非スカラ部分内の列を組み合わせることによって取得され、前記3つのプリコーディング行列が前記第1のプリコーディング行列サブセットから選択された3つの互いに直交するプリコーディング行列であり、
送信ランクが4であるプリコーディング行列の非スカラ部分が、4つのプリコーディング行列の非スカラ部分内の列を組み合わせることによって取得され、前記4つのプリコーディング行列が前記第2のプリコーディング行列サブセットに備えられたすべての前記プリコーディング行列である、
請求項15に記載の端末。
【請求項１７】
前記第3のプリコーディング行列サブセットが、第1のタイプのプリコーディング行列、第2のタイプのプリコーディング行列、および第3のタイプのプリコーディング行列のうちの任意の2つまたは3つのタイプを備え、前記第1のタイプのプリコーディング行列の第1の列および第2の列が、完全に同じビーム空間を有するが、異なる交差偏波位相を有し、前記第2のタイプのプリコーディング行列の第1の列および第2の列が、反対のビーム空間を有するが、同じ交差偏波位相を有し、前記第2のタイプのプリコーディング行列の第1の列および第2の列が、反対のビーム空間および異なる交差偏波位相を有する、
請求項16に記載の端末。
【請求項１８】
前記送信ポートが第1のポートグループおよび第2のポートグループに分類され、前記送信ポート間でコヒーレント送信を実行することができ、コヒーレント送信が、前記第1のポートグループ内、前記第2のポートグループ内、および前記第1のポートグループと前記第2のポートグループとの間で実行することができる、請求項16または17に記載の端末。
【請求項１９】
前記送信ポートが第1のポートグループおよび第2のポートグループに分類され、コヒーレント送信が、前記第1のポートグループ内および前記第2のポートグループ内で実行することができるが、コヒーレント送信が、前記第1のポートグループと前記第2のポートグループとの間で実行することができず、
送信ランクが1であるすべての前記プリコーディング行列が、第5のプリコーディング行列サブセットおよび第2のプリコーディング行列サブセットを備え、前記第5のプリコーディング行列サブセット内の各プリコーディング行列の列が2つの非ゼロ要素および2つのゼロ要素を備え、前記非ゼロ要素を備える行に対応する送信ポートが前記第1のポートグループまたは前記第2のポートグループに備えられた送信ポートであり、前記ゼロ要素を備える行に対応する送信ポートの送信電力が0であり、前記第2のプリコーディング行列サブセットが4つのプリコーディング行列を備え、前記4つのプリコーディング行列の各々の列が1つの非ゼロ要素および3つのゼロ要素を備え、前記4つのプリコーディング行列のすべてに備えられた非ゼロ要素が異なる行に配置され、
送信ランクが2であるすべてのプリコーディング行列が第6のプリコーディング行列サブセットを備え、前記第6のプリコーディング行列サブセット内の各プリコーディング行列の非スカラ部分が、2つのプリコーディング行列の非スカラ部分内の列を組み合わせることによって取得され、前記2つのプリコーディング行列が前記第5のプリコーディング行列サブセットから選択された2つのプリコーディング行列であり、
送信ランクが3であるすべてのプリコーディング行列が第7のプリコーディング行列サブセットを備え、前記第7のプリコーディング行列サブセット内の各プリコーディング行列の非スカラ部分が、3つのプリコーディング行列の非スカラ部分内の列を組み合わせることによって取得され、前記3つのプリコーディング行列のうちの1つが前記第5のプリコーディング行列サブセットから選択されたプリコーディング行列であり、前記3つのプリコーディング行列のうちの他の2つが前記第2のプリコーディング行列サブセットから選択された2つのプリコーディング行列であり、
送信ランクが4であるプリコーディング行列の非スカラ部分が、4つのプリコーディング行列の非スカラ部分内の列を組み合わせることによって取得され、前記4つのプリコーディング行列が前記第2のプリコーディング行列サブセット内のすべての前記プリコーディング行列である、
請求項15に記載の端末。
【請求項２０】
送信ランクが2であるすべての前記プリコーディング行列が第8のプリコーディング行列サブセットをさらに備え、前記第8のプリコーディング行列サブセットが第1のプリコーディング行列および第2のプリコーディング行列を備え、前記第1のプリコーディング行列の非スカラ部分および前記第2のプリコーディング行列の非スカラ部分が、各々2つのプリコーディング行列の非スカラ部分内の列を組み合わせることによって取得され、前記2つのプリコーディング行列が前記第2のプリコーディング行列サブセットから選択されたプリコーディング行列であり、前記第1のプリコーディング行列内の非ゼロ要素を備える行に対応する送信ポートが、前記第1のポートグループに備えられた送信ポートであり、前記第2のプリコーディング行列内の非ゼロ要素を備える行に対応する送信ポートが、前記第2のポートグループに備えられた送信ポートである、
請求項18または19に記載の端末。
【請求項２１】
前記送信ポート間でコヒーレント送信を実行することができず、送信ランクが1であるすべての前記プリコーディング行列が第2のプリコーディング行列サブセットを備え、前記第2のプリコーディング行列サブセットが4つのプリコーディング行列を備え、前記4つのプリコーディング行列の各々の列が1つの非ゼロ要素および3つのゼロ要素を備え、前記4つのプリコーディング行列のすべてに備えられた非ゼロ要素が異なる行に配置され、前記ゼロ要素を備える行に対応する送信ポートの送信電力が0であり、
送信ランクが2であるすべてのプリコーディング行列が第9のプリコーディング行列サブセットを備え、前記第9のプリコーディング行列サブセット内の各プリコーディング行列の非スカラ部分が、2つのプリコーディング行列の非スカラ部分内の列を組み合わせることによって取得され、前記2つのプリコーディング行列が前記第2のプリコーディング行列サブセットからランダムに選択された2つのプリコーディング行列であり、
送信ランクが3であるすべてのプリコーディング行列が第10のプリコーディング行列サブセットを備え、前記第10のプリコーディング行列サブセット内の各プリコーディング行列の非スカラ部分が、3つのプリコーディング行列の非スカラ部分内の列を組み合わせることによって取得され、前記3つのプリコーディング行列が前記第2のプリコーディング行列サブセットからランダムに選択された3つのプリコーディング行列であり、
送信ランクが4であるプリコーディング行列の非スカラ部分が、4つのプリコーディング行列の非スカラ部分内の列を組み合わせることによって取得され、前記4つのプリコーディング行列が前記第2のプリコーディング行列サブセット内のすべての前記プリコーディング行列である、
請求項15に記載の端末。
【請求項２２】
プロセッサおよび通信インターフェースを備える基地局であって、
前記プロセッサが指示情報を決定するように構成され、前記指示情報が第1のビットフィールドを備え、前記第1のビットフィールドが、第1のプリコーディング行列セットに備えられたプリコーディング行列および前記プリコーディング行列に対応する送信ランクを示すために使用され、前記プリコーディング行列が、r個の送信レイヤにおいて送信データストリームをプリコーディングして前記端末のN個の送信ポート上で送信されるべき信号を取得するために使用され、前記プリコーディング行列の行数が送信ポートの前記数Nに等しく、N＝4であり、前記プリコーディング行列の列数が送信レイヤの前記数rに等しく、1≦r≦Nであり、前記送信ランクの値が送信レイヤの前記数rに等しく、r＞1であるとき、前記第1のプリコーディング行列セット内の送信ランクがrであるプリコーディング行列の非スカラ部分が、r個のプリコーディング行列の非スカラ部分内の列を組み合わせることによって取得され、前記r個のプリコーディング行列が、送信ランクが1であるすべてのプリコーディング行列から選択されたプリコーディング行列であり、
前記通信インターフェースが前記端末に前記指示情報を送信するように構成され、前記指示情報が、すべての前記送信レイヤにおいて前記送信データストリームをプリコーディングするための前記プリコーディング行列を特定するために前記端末によって使用される、
基地局。
【請求項２３】
前記送信ポート間でコヒーレント送信を実行することができ、
送信ランクが1であるすべての前記プリコーディング行列が、少なくとも第1のプリコーディング行列サブセットおよび第2のプリコーディング行列サブセットを備え、前記第1のプリコーディング行列サブセット内の各プリコーディング行列の列が4つの非ゼロ要素を備え、前記第2のプリコーディング行列サブセットが4つのプリコーディング行列を備え、前記4つのプリコーディング行列の各々の列が1つの非ゼロ要素および3つのゼロ要素を備え、前記ゼロ要素が対応する送信ポートの送信電力が0であることを示し、前記4つのプリコーディング行列のすべてに備えられた非ゼロ要素が異なる行に配置され、
送信ランクが2であるすべてのプリコーディング行列が第3のプリコーディング行列サブセットを備え、前記第3のプリコーディング行列サブセット内の各プリコーディング行列の非スカラ部分が、2つのプリコーディング行列の非スカラ部分内の列を組み合わせることによって取得され、前記2つのプリコーディング行列が前記第1のプリコーディング行列サブセットから選択された2つの互いに直交するプリコーディング行列であり、
送信ランクが3であるすべてのプリコーディング行列が第4のプリコーディング行列サブセットを備え、前記第4のプリコーディング行列サブセット内の各プリコーディング行列の非スカラ部分が、3つのプリコーディング行列の非スカラ部分内の列を組み合わせることによって取得され、前記3つのプリコーディング行列が前記第1のプリコーディング行列サブセットから選択された3つの互いに直交するプリコーディング行列であり、
送信ランクが4であるプリコーディング行列の非スカラ部分が、4つのプリコーディング行列の非スカラ部分内の列を組み合わせることによって取得され、前記4つのプリコーディング行列が前記第2のプリコーディング行列サブセットに備えられたすべての前記プリコーディング行列である、
請求項22に記載の基地局。
【請求項２４】
前記第3のプリコーディング行列サブセットが、第1のタイプのプリコーディング行列、第2のタイプのプリコーディング行列、および第3のタイプのプリコーディング行列のうちの任意の2つまたは3つのタイプを備え、前記第1のタイプのプリコーディング行列の第1の列および第2の列が、完全に同じビーム空間を有するが、異なる交差偏波位相を有し、前記第2のタイプのプリコーディング行列の第1の列および第2の列が、反対のビーム空間を有するが、同じ交差偏波位相を有し、前記第2のタイプのプリコーディング行列の第1の列および第2の列が、反対のビーム空間および異なる交差偏波位相を有する、
請求項23に記載の基地局。
【請求項２５】
前記送信ポートが第1のポートグループおよび第2のポートグループに分類され、前記送信ポート間でコヒーレント送信を実行することができ、コヒーレント送信が、前記第1のポートグループ内、前記第2のポートグループ内、および前記第1のポートグループと前記第2のポートグループとの間で実行することができる、請求項23または24に記載の基地局。
【請求項２６】
前記送信ポートが第1のポートグループおよび第2のポートグループに分類され、コヒーレント送信が、前記第1のポートグループ内および前記第2のポートグループ内で実行することができるが、コヒーレント送信が、前記第1のポートグループと前記第2のポートグループとの間で実行することができず、
送信ランクが1であるすべての前記プリコーディング行列が、第5のプリコーディング行列サブセットおよび第2のプリコーディング行列サブセットを備え、前記第5のプリコーディング行列サブセット内の各プリコーディング行列の列が2つの非ゼロ要素および2つのゼロ要素を備え、前記非ゼロ要素を備える行に対応する送信ポートが前記第1のポートグループまたは前記第2のポートグループに備えられた送信ポートであり、前記ゼロ要素を備える行に対応する送信ポートの送信電力が0であり、前記第2のプリコーディング行列サブセットが4つのプリコーディング行列を備え、前記4つのプリコーディング行列の各々の列が1つの非ゼロ要素および3つのゼロ要素を備え、前記4つのプリコーディング行列のすべてに備えられた非ゼロ要素が異なる行に配置され、
送信ランクが2であるすべてのプリコーディング行列が第6のプリコーディング行列サブセットを備え、前記第6のプリコーディング行列サブセット内の各プリコーディング行列の非スカラ部分が、2つのプリコーディング行列の非スカラ部分内の列を組み合わせることによって取得され、前記2つのプリコーディング行列が前記第5のプリコーディング行列サブセットから選択された2つのプリコーディング行列であり、
送信ランクが3であるすべてのプリコーディング行列が第7のプリコーディング行列サブセットを備え、前記第7のプリコーディング行列サブセット内の各プリコーディング行列の非スカラ部分が、3つのプリコーディング行列の非スカラ部分内の列を組み合わせることによって取得され、前記3つのプリコーディング行列のうちの1つが前記第5のプリコーディング行列サブセットから選択されたプリコーディング行列であり、前記3つのプリコーディング行列のうちの他の2つが前記第2のプリコーディング行列サブセットから選択された2つのプリコーディング行列であり、
送信ランクが4であるプリコーディング行列の非スカラ部分が、4つのプリコーディング行列の非スカラ部分内の列を組み合わせることによって取得され、前記4つのプリコーディング行列が前記第2のプリコーディング行列サブセット内のすべての前記プリコーディング行列である、
請求項22に記載の基地局。
【請求項２７】
送信ランクが2であるすべての前記プリコーディング行列が第8のプリコーディング行列サブセットをさらに備え、前記第8のプリコーディング行列サブセットが第1のプリコーディング行列および第2のプリコーディング行列を備え、前記第1のプリコーディング行列の非スカラ部分および前記第2のプリコーディング行列の非スカラ部分が、各々2つのプリコーディング行列の非スカラ部分内の列を組み合わせることによって取得され、前記2つのプリコーディング行列が前記第2のプリコーディング行列サブセットから選択されたプリコーディング行列であり、前記第1のプリコーディング行列内の非ゼロ要素を備える行に対応する送信ポートが、前記第1のポートグループに備えられた送信ポートであり、前記第2のプリコーディング行列内の非ゼロ要素を備える行に対応する送信ポートが、前記第2のポートグループに備えられた送信ポートである、
請求項25または26に記載の基地局。
【請求項２８】
前記送信ポート間でコヒーレント送信を実行することができず、
送信ランクが1であるすべての前記プリコーディング行列が第2のプリコーディング行列サブセットを備え、前記第2のプリコーディング行列サブセットが4つのプリコーディング行列を備え、前記4つのプリコーディング行列の各々の列が1つの非ゼロ要素および3つのゼロ要素を備え、前記4つのプリコーディング行列のすべてに備えられた非ゼロ要素が異なる行に配置され、前記ゼロ要素を備える行に対応する送信ポートの送信電力が0であり、
送信ランクが2であるすべてのプリコーディング行列が第9のプリコーディング行列サブセットを備え、前記第9のプリコーディング行列サブセット内の各プリコーディング行列の非スカラ部分が、2つのプリコーディング行列の非スカラ部分内の列を組み合わせることによって取得され、前記2つのプリコーディング行列が前記第2のプリコーディング行列サブセットからランダムに選択された2つのプリコーディング行列であり、
送信ランクが3であるすべてのプリコーディング行列が第10のプリコーディング行列サブセットを備え、前記第10のプリコーディング行列サブセット内の各プリコーディング行列の非スカラ部分が、3つのプリコーディング行列の非スカラ部分内の列を組み合わせることによって取得され、前記3つのプリコーディング行列が前記第2のプリコーディング行列サブセットからランダムに選択された3つのプリコーディング行列であり、
送信ランクが4であるプリコーディング行列の非スカラ部分が、4つのプリコーディング行列の非スカラ部分内の列を組み合わせることによって取得され、前記4つのプリコーディング行列が前記第2のプリコーディング行列サブセット内のすべての前記プリコーディング行列である、
請求項22に記載の基地局。
【請求項２９】
インターフェースユニットと、制御および演算ユニットと、記憶ユニットとを備える回路システムであって、前記インターフェースユニットが基地局または端末の別の構成要素に接続するように構成され、前記記憶ユニットがコンピュータプログラムまたは命令を記憶するように構成され、前記制御および演算ユニットが、前記コンピュータプログラムまたは前記命令を復号し実行するように構成され、前記コンピュータプログラムまたは前記命令が、請求項1から7のいずれか一項または請求項8から14のいずれか一項に記載の方法を実施するために実行される、回路システム。
【発明の詳細な説明】
【技術分野】
【０００１】
関連出願の相互参照
本出願は、参照によりその全体が本明細書に組み込まれる、2017年11月17日に中国特許庁に出願され、「COMMUNICATION METHOD，TERMINAL，AND BASE STATION」と題する、中国特許出願第201711149083．0号の優先権を主張する。
【０００２】
本出願は、モバイル通信技術の分野に関し、詳細には、通信方法、端末、および基地局に関する。
【背景技術】
【０００３】
第3世代パートナーシッププロジェクト（3rd generation partnership project、3GPP）の新無線（New Radio access technology、NR）の議論では、アップリンクマルチアンテナ送信が現在サポートされていると決定された。アップリンクマルチアンテナ送信のためのメカニズムは、ダウンリンクマルチアンテナ送信のためのメカニズムと同様である。端末は最初にサウンディング基準信号（sounding reference signal、SRS）を送信し、基地局はSRSを受信し、チャネル推定によってアップリンクチャネル状態を知り、さらにダウンリンク制御情報（downlink control information、DCI）を送信することによってアップリンク送信をスケジュールする。最新のNRの議論の結論に基づいて、最大4つのアップリンクSRSポートをサポートすることができる。加えて、コードブックベースのアップリンク送信を考慮すると、アップリンク送信を実行するように端末に指示するとき、基地局は、事前定義されたコードブックを使用することにより、アップリンクマルチアンテナ送信用のプリコーディング行列を示すことができる。具体的には、コードブックは、N個の利用可能なプリコーディング行列を含む。基地局は、端末によって送信されたSRSに基づいてN個のプリコーディング行列のうちの1つを選択し、そのプリコーディング行列をSRSポート上で使用される必要があるプリコーディング行列として決定し、プリコーディング行列指示（transmit precoding matrix indication、TPMI）を送信して、SRSポート上で使用される必要があるプリコーディング行列を示す。アップリンクスケジューリング用のDCIを受信した後、端末は、TPMI指示ビットを読むことにより、アップリンク送信に使用される必要があるプリコーディング行列を知る。
【０００４】
LTE−A（long term evolution−advanced）では、シングルキャリア変換拡散波長分割多重（discrete fourier transform spread orthogonal frequency divided multiplexing、DFT−S−OFDM）波形を使用するアップリンクコードブックは、DFT−S−OFDMシングルキャリア波形の低いピーク対平均比によって大幅に制限される。低いピーク対平均比の要件を満たすために、ランクが1より大きいプリコーディング行列間のプリコーディング行列間隔は不均一である。ランクが1より大きいとき、NRアップリンク送信で使用するために、巡回プレフィックス波長分割多重（cyclic prefixed orthogonal frequency divided multiplexing、CP−OFDM）波形が決定される。したがって、アップリンクコードブックは、低いピーク対平均比によって制限されない。この場合、ランクが1より大きいLTE−Aプリコーディング行列を直接使用すると、パフォーマンスが低下する。これを考慮して、アップリンクコードブックが改善される。複数のポートグループが考慮され、様々なポートグループに基づいて、プリコーディング行列のアップリンクコードブックが設計される。ランクが1である合計64個または128個のプリコーディング行列が存在し、ランクが2である64個または128個のプリコーディング行列も存在する。アップリンクコードブックは非常に大きくなるように設計されており、様々なポートグループに基づいてプリコーディング行列を生成すると、規格がより複雑になり、実装がより複雑になり、オーバーヘッドが増加する。したがって、この設計は最適な解決策ではない。
【発明の概要】
【０００５】
結論として、ランクが1より大きいときにNRアップリンク送信においてCP−OFDM波形を使用することを決定するという要件のために、簡略化された普遍的なコードブックが設計される必要がある。
【課題を解決するための手段】
【０００６】
本出願は、上記の要件を満たすために、通信方法、端末、および基地局を提供する。
【０００７】
第1の態様によれば、本出願は通信方法を提供し、方法は、
端末により、基地局によって送信された指示情報を受信するステップであって、指示情報が第1のビットフィールドを含み、第1のビットフィールドが、第1のプリコーディング行列セットに含まれるプリコーディング行列およびプリコーディング行列に対応する送信ランクを示すために使用され、プリコーディング行列が、r個の送信レイヤにおいて送信データストリームをプリコーディングして端末のN個の送信ポート上で送信されるべき信号を取得するために使用され、プリコーディング行列の行数が送信ポートの数Nに等しく、N＝4であり、プリコーディング行列の列数が送信レイヤの数rに等しく、1≦r≦Nであり、送信ランクの値が送信レイヤの数rに等しく、r＞1であるとき、第1のプリコーディング行列セット内の送信ランクがrであるプリコーディング行列の非スカラ部分が、r個のプリコーディング行列の非スカラ部分内の列を組み合わせることによって取得され、r個のプリコーディング行列が、送信ランクが1であるすべてのプリコーディング行列から選択されたプリコーディング行列である、ステップと、端末により、指示情報に基づいて、すべての送信レイヤにおいて送信データストリームをプリコーディングするためのプリコーディング行列を特定するステップと
を含む。
【０００８】
可能な設計では、送信ポート間でコヒーレント送信を実行することができ、
送信ランクが1であるすべてのプリコーディング行列は、少なくとも第1のプリコーディング行列サブセットおよび第2のプリコーディング行列サブセットを含み、第1のプリコーディング行列サブセット内の各プリコーディング行列の列は4つの非ゼロ要素を含み、第2のプリコーディング行列サブセットは4つのプリコーディング行列を含み、4つのプリコーディング行列の各々の列は1つの非ゼロ要素および3つのゼロ要素を含み、ゼロ要素は対応する送信ポートの送信電力が0であることを示し、4つのプリコーディング行列のすべてに含まれる非ゼロ要素は異なる行に配置され、
送信ランクが2であるすべてのプリコーディング行列は第3のプリコーディング行列サブセットを含み、第3のプリコーディング行列サブセット内の各プリコーディング行列の非スカラ部分は、2つのプリコーディング行列の非スカラ部分内の列を組み合わせることによって取得され、2つのプリコーディング行列は第1のプリコーディング行列サブセットから選択された2つの互いに直交するプリコーディング行列であり、
送信ランクが3であるすべてのプリコーディング行列は第4のプリコーディング行列サブセットを含み、第4のプリコーディング行列サブセット内の各プリコーディング行列の非スカラ部分は、3つのプリコーディング行列の非スカラ部分内の列を組み合わせることによって取得され、3つのプリコーディング行列は第1のプリコーディング行列サブセットから選択された3つの互いに直交するプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセットに含まれるすべてのプリコーディング行列である。
【０００９】
可能な設計では、第3のプリコーディング行列サブセットは、第1のタイプのプリコーディング行列、第2のタイプのプリコーディング行列、および第3のタイプのプリコーディング行列のうちの任意の2つまたは3つのタイプを含み、第1のタイプのプリコーディング行列の第1の列および第2の列は、完全に同じビーム空間を有するが、異なる交差偏波位相を有し、第2のタイプのプリコーディング行列の第1の列および第2の列は、反対のビーム空間を有するが、同じ交差偏波位相を有し、第2のタイプのプリコーディング行列の第1の列および第2の列は、反対のビーム空間および異なる交差偏波位相を有する。
【００１０】
可能な設計では、送信ポートは第1のポートグループおよび第2のポートグループに分類され、送信ポート間でコヒーレント送信を実行することができ、コヒーレント送信は、第1のポートグループ内、第2のポートグループ内、および第1のポートグループと第2のポートグループとの間で実行することができる。
【００１１】
可能な設計では、送信ポートは第1のポートグループおよび第2のポートグループに分類され、コヒーレント送信は、第1のポートグループ内および第2のポートグループ内で実行することができるが、コヒーレント送信は、第1のポートグループと第2のポートグループとの間で実行することができず、
送信ランクが1であるすべてのプリコーディング行列は、第5のプリコーディング行列サブセットおよび第2のプリコーディング行列サブセットを含み、第5のプリコーディング行列サブセット内の各プリコーディング行列の列は2つの非ゼロ要素および2つのゼロ要素を含み、非ゼロ要素を含む行に対応する送信ポートは第1のポートグループまたは第2のポートグループに含まれる送信ポートであり、ゼロ要素を含む行に対応する送信ポートの送信電力は0であり、第2のプリコーディング行列サブセットは4つのプリコーディング行列を含み、4つのプリコーディング行列の各々の列は1つの非ゼロ要素および3つのゼロ要素を含み、4つのプリコーディング行列のすべてに含まれる非ゼロ要素は異なる行に配置され、
送信ランクが2であるすべてのプリコーディング行列は第6のプリコーディング行列サブセットを含み、第6のプリコーディング行列サブセット内の各プリコーディング行列の非スカラ部分は、2つのプリコーディング行列の非スカラ部分内の列を組み合わせることによって取得され、2つのプリコーディング行列は第5のプリコーディング行列サブセットから選択された2つのプリコーディング行列であり、
送信ランクが3であるすべてのプリコーディング行列は第7のプリコーディング行列サブセットを含み、第7のプリコーディング行列サブセット内の各プリコーディング行列の非スカラ部分は、3つのプリコーディング行列の非スカラ部分内の列を組み合わせることによって取得され、3つのプリコーディング行列のうちの1つは第5のプリコーディング行列サブセットから選択されたプリコーディング行列であり、3つのプリコーディング行列のうちの他の2つは第2のプリコーディング行列サブセットから選択された2つのプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセット内のすべてのプリコーディング行列である。
【００１２】
可能な設計では、送信ランクが2であるすべてのプリコーディング行列は第8のプリコーディング行列サブセットをさらに含み、第8のプリコーディング行列サブセットは第1のプリコーディング行列および第2のプリコーディング行列を含み、第1のプリコーディング行列の非スカラ部分および第2のプリコーディング行列の非スカラ部分は、各々2つのプリコーディング行列の非スカラ部分内の列を組み合わせることによって取得され、2つのプリコーディング行列は第2のプリコーディング行列サブセットから選択されたプリコーディング行列であり、第1のプリコーディング行列内の非ゼロ要素を含む行に対応する送信ポートは、第1のポートグループに含まれる送信ポートであり、第2のプリコーディング行列内の非ゼロ要素を含む行に対応する送信ポートは、第2のポートグループに含まれる送信ポートである。
【００１３】
可能な設計では、送信ポート間でコヒーレント送信を実行することができず、
送信ランクが1であるすべてのプリコーディング行列は第2のプリコーディング行列サブセットを含み、第2のプリコーディング行列サブセットは4つのプリコーディング行列を含み、4つのプリコーディング行列の各々の列は1つの非ゼロ要素および3つのゼロ要素を含み、4つのプリコーディング行列のすべてに含まれる非ゼロ要素は異なる行に配置され、ゼロ要素を含む行に対応する送信ポートの送信電力は0であり、
送信ランクが2であるすべてのプリコーディング行列は第9のプリコーディング行列サブセットを含み、第9のプリコーディング行列サブセット内の各プリコーディング行列の非スカラ部分は、2つのプリコーディング行列の非スカラ部分内の列を組み合わせることによって取得され、2つのプリコーディング行列は第2のプリコーディング行列サブセットからランダムに選択された2つのプリコーディング行列であり、
送信ランクが3であるすべてのプリコーディング行列は第10のプリコーディング行列サブセットを含み、第10のプリコーディング行列サブセット内の各プリコーディング行列の非スカラ部分は、3つのプリコーディング行列の非スカラ部分内の列を組み合わせることによって取得され、3つのプリコーディング行列は第2のプリコーディング行列サブセットからランダムに選択された3つのプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセット内のすべてのプリコーディング行列である。
【００１４】
可能な設計では、コヒーレント送信が送信ポート間で実行することができるとき、第1のビットフィールドは7ビットまたは6ビットを占有する。
【００１５】
可能な設計では、コヒーレント送信が第1のポートグループ内および第2のポートグループ内で実行することができるが、コヒーレント送信が第1のポートグループと第2のポートグループとの間で実行することができないとき、第1のビットフィールドは6ビットまたは5ビットを占有する。
【００１６】
可能な設計では、コヒーレント送信が送信ポート間で実行することができないとき、第1のビットフィールドは4ビットを占有する。
【００１７】
可能な設計では、第1のプリコーディング行列セット内の各プリコーディング行列に含まれる非ゼロ要素は、1、−1、j、および−jのうちの一部またはすべてを含む。
【００１８】
可能な設計では、非ゼロ要素を含む行の2ノルムは、第1のプリコーディング行列セット内のすべてのプリコーディング行列において常に1／2である。
【００１９】
可能な設計では、第1のポートグループに含まれる2つの送信ポートは1つの二重偏波アンテナ対に対応するか、または第1のポートグループに含まれる2つの送信ポートは、同じビーム方向を有するが、垂直偏波方向を有する2つのビームに対応する。
【００２０】
第2の態様によれば、本出願は、基地局により、指示情報を決定するステップであって、指示情報が第1のビットフィールドを含み、第1のビットフィールドが、第1のプリコーディング行列セットに含まれるプリコーディング行列およびプリコーディング行列に対応する送信ランクを示すために使用され、プリコーディング行列が、r個の送信レイヤにおいて送信データストリームをプリコーディングして端末のN個の送信ポート上で送信されるべき信号を取得するために使用され、プリコーディング行列の行数が送信ポートの数Nに等しく、N＝4であり、プリコーディング行列の列数が送信レイヤの数rに等しく、1≦r≦Nであり、送信ランクの値が送信レイヤの数rに等しく、r＞1であるとき、第1のプリコーディング行列セット内の送信ランクがrであるプリコーディング行列の非スカラ部分が、r個のプリコーディング行列の非スカラ部分内の列を組み合わせることによって取得され、r個のプリコーディング行列が、送信ランクが1であるすべてのプリコーディング行列から選択されたプリコーディング行列である、ステップと、基地局により、端末に指示情報を送信するステップであって、指示情報がすべての送信レイヤにおいて送信データストリームをプリコーディングするためのプリコーディング行列を特定するために端末によって使用される、ステップとを含む、通信方法を提供する。
【００２１】
可能な設計では、送信ポート間でコヒーレント送信を実行することができ、
送信ランクが1であるすべてのプリコーディング行列は、少なくとも第1のプリコーディング行列サブセットおよび第2のプリコーディング行列サブセットを含み、第1のプリコーディング行列サブセット内の各プリコーディング行列の列は4つの非ゼロ要素を含み、第2のプリコーディング行列サブセットは4つのプリコーディング行列を含み、4つのプリコーディング行列の各々の列は1つの非ゼロ要素および3つのゼロ要素を含み、ゼロ要素は対応する送信ポートの送信電力が0であることを示し、4つのプリコーディング行列のすべてに含まれる非ゼロ要素は異なる行に配置され、
送信ランクが2であるすべてのプリコーディング行列は第3のプリコーディング行列サブセットを含み、第3のプリコーディング行列サブセット内の各プリコーディング行列の非スカラ部分は、2つのプリコーディング行列の非スカラ部分内の列を組み合わせることによって取得され、2つのプリコーディング行列は第1のプリコーディング行列サブセットから選択された2つの互いに直交するプリコーディング行列であり、
送信ランクが3であるすべてのプリコーディング行列は第4のプリコーディング行列サブセットを含み、第4のプリコーディング行列サブセット内の各プリコーディング行列の非スカラ部分は、3つのプリコーディング行列の非スカラ部分内の列を組み合わせることによって取得され、3つのプリコーディング行列は第1のプリコーディング行列サブセットから選択された3つの互いに直交するプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセットに含まれるすべてのプリコーディング行列である。
【００２２】
可能な設計では、第3のプリコーディング行列サブセットは、第1のタイプのプリコーディング行列、第2のタイプのプリコーディング行列、および第3のタイプのプリコーディング行列のうちの任意の2つまたは3つのタイプを含み、第1のタイプのプリコーディング行列の第1の列および第2の列は、完全に同じビーム空間を有するが、異なる交差偏波位相を有し、第2のタイプのプリコーディング行列の第1の列および第2の列は、反対のビーム空間を有するが、同じ交差偏波位相を有し、第2のタイプのプリコーディング行列の第1の列および第2の列は、反対のビーム空間および異なる交差偏波位相を有する。
【００２３】
可能な設計では、送信ポートは第1のポートグループおよび第2のポートグループに分類され、送信ポート間でコヒーレント送信を実行することができ、コヒーレント送信は、第1のポートグループ内、第2のポートグループ内、および第1のポートグループと第2のポートグループとの間で実行することができる。
【００２４】
可能な設計では、送信ポートは第1のポートグループおよび第2のポートグループに分類され、コヒーレント送信は、第1のポートグループ内および第2のポートグループ内で実行することができるが、コヒーレント送信は、第1のポートグループと第2のポートグループとの間で実行することができず、
送信ランクが1であるすべてのプリコーディング行列は、第5のプリコーディング行列サブセットおよび第2のプリコーディング行列サブセットを含み、第5のプリコーディング行列サブセット内の各プリコーディング行列の列は2つの非ゼロ要素および2つのゼロ要素を含み、非ゼロ要素を含む行に対応する送信ポートは第1のポートグループまたは第2のポートグループに含まれる送信ポートであり、ゼロ要素を含む行に対応する送信ポートの送信電力は0であり、第2のプリコーディング行列サブセットは4つのプリコーディング行列を含み、4つのプリコーディング行列の各々の列は1つの非ゼロ要素および3つのゼロ要素を含み、4つのプリコーディング行列のすべてに含まれる非ゼロ要素は異なる行に配置され、
送信ランクが2であるすべてのプリコーディング行列は第6のプリコーディング行列サブセットを含み、第6のプリコーディング行列サブセット内の各プリコーディング行列の非スカラ部分は、2つのプリコーディング行列の非スカラ部分内の列を組み合わせることによって取得され、2つのプリコーディング行列は第5のプリコーディング行列サブセットから選択された2つのプリコーディング行列であり、
送信ランクが3であるすべてのプリコーディング行列は第7のプリコーディング行列サブセットを含み、第7のプリコーディング行列サブセット内の各プリコーディング行列の非スカラ部分は、3つのプリコーディング行列の非スカラ部分内の列を組み合わせることによって取得され、3つのプリコーディング行列のうちの1つは第5のプリコーディング行列サブセットから選択されたプリコーディング行列であり、3つのプリコーディング行列のうちの他の2つは第2のプリコーディング行列サブセットから選択された2つのプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセット内のすべてのプリコーディング行列である。
【００２５】
可能な設計では、送信ランクが2であるすべてのプリコーディング行列は第8のプリコーディング行列サブセットをさらに含み、第8のプリコーディング行列サブセットは第1のプリコーディング行列および第2のプリコーディング行列を含み、第1のプリコーディング行列の非スカラ部分および第2のプリコーディング行列の非スカラ部分は、各々2つのプリコーディング行列の非スカラ部分内の列を組み合わせることによって取得され、2つのプリコーディング行列は第2のプリコーディング行列サブセットから選択されたプリコーディング行列であり、第1のプリコーディング行列内の非ゼロ要素を含む行に対応する送信ポートは、第1のポートグループに含まれる送信ポートであり、第2のプリコーディング行列内の非ゼロ要素を含む行に対応する送信ポートは、第2のポートグループに含まれる送信ポートである。
【００２６】
可能な設計では、送信ポート間でコヒーレント送信を実行することができず、
送信ランクが1であるすべてのプリコーディング行列は第2のプリコーディング行列サブセットを含み、第2のプリコーディング行列サブセットは4つのプリコーディング行列を含み、4つのプリコーディング行列の各々の列は1つの非ゼロ要素および3つのゼロ要素を含み、4つのプリコーディング行列のすべてに含まれる非ゼロ要素は異なる行に配置され、ゼロ要素を含む行に対応する送信ポートの送信電力は0であり、
送信ランクが2であるすべてのプリコーディング行列は第9のプリコーディング行列サブセットを含み、第9のプリコーディング行列サブセット内の各プリコーディング行列の非スカラ部分は、2つのプリコーディング行列の非スカラ部分内の列を組み合わせることによって取得され、2つのプリコーディング行列は第2のプリコーディング行列サブセットからランダムに選択された2つのプリコーディング行列であり、
送信ランクが3であるすべてのプリコーディング行列は第10のプリコーディング行列サブセットを含み、第10のプリコーディング行列サブセット内の各プリコーディング行列の非スカラ部分は、3つのプリコーディング行列の非スカラ部分内の列を組み合わせることによって取得され、3つのプリコーディング行列は第2のプリコーディング行列サブセットからランダムに選択された3つのプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセット内のすべてのプリコーディング行列である。
【００２７】
可能な設計では、コヒーレント送信が送信ポート間で実行することができるとき、第1のビットフィールドは7ビットまたは6ビットを占有する。
【００２８】
可能な設計では、コヒーレント送信が第1のポートグループ内および第2のポートグループ内で実行することができるが、コヒーレント送信が第1のポートグループと第2のポートグループとの間で実行することができないとき、第1のビットフィールドは6ビットまたは5ビットを占有する。
【００２９】
可能な設計では、コヒーレント送信が送信ポート間で実行することができないとき、第1のビットフィールドは4ビットを占有する。
【００３０】
可能な設計では、第1のプリコーディング行列セット内の各プリコーディング行列に含まれる非ゼロ要素は、1、−1、j、および−jのうちの一部またはすべてを含む。
【００３１】
可能な設計では、非ゼロ要素を含む行の2ノルムは、第1のプリコーディング行列セット内のすべてのプリコーディング行列において常に1／2である。
【００３２】
可能な設計では、第1のポートグループに含まれる2つの送信ポートは1つの二重偏波アンテナ対に対応するか、または第1のポートグループに含まれる2つの送信ポートは、同じビーム方向を有するが、垂直偏波方向を有する2つのビームに対応する。
【００３３】
第3の態様によれば、本出願は、プロセッサおよび通信インターフェースを含む端末を提供する。プロセッサは、上記の方法の中の対応する基地局機能を実行する際に基地局をサポートするように構成される。通信インターフェースは、上記の方法において使用される情報または命令を基地局に送信するために、端末と基地局との間の通信をサポートするように構成される。端末はメモリをさらに含んでもよい。メモリは、プロセッサに結合され、基地局に必要なプログラム命令およびデータを記憶するように構成される。
【００３４】
通信インターフェースは基地局から指示情報を受信するように構成され、指示情報は第1のビットフィールドを含み、第1のビットフィールドは、第1のプリコーディング行列セットに含まれるプリコーディング行列およびプリコーディング行列に対応する送信ランクを示すために使用され、プリコーディング行列は、r個の送信レイヤにおいて送信データストリームをプリコーディングして端末のN個の送信ポート上で送信されるべき信号を取得するために使用され、プリコーディング行列の行数は送信ポートの数Nに等しく、N＝4であり、プリコーディング行列の列数は送信レイヤの数rに等しく、1≦r≦Nであり、送信ランクの値は送信レイヤの数rに等しく、r＞1であるとき、第1のプリコーディング行列セット内の送信ランクがrであるプリコーディング行列の非スカラ部分は、r個のプリコーディング行列の非スカラ部分内の列を組み合わせることによって取得され、r個のプリコーディング行列は、送信ランクが1であるすべてのプリコーディング行列から選択されたプリコーディング行列であり、
プロセッサは、指示情報に基づいて、すべての送信レイヤにおいて送信データストリームをプリコーディングするためのプリコーディング行列を特定するように構成される。
【００３５】
可能な設計では、送信ポート間でコヒーレント送信を実行することができ、
送信ランクが1であるすべてのプリコーディング行列は、少なくとも第1のプリコーディング行列サブセットおよび第2のプリコーディング行列サブセットを含み、第1のプリコーディング行列サブセット内の各プリコーディング行列の列は4つの非ゼロ要素を含み、第2のプリコーディング行列サブセットは4つのプリコーディング行列を含み、4つのプリコーディング行列の各々の列は1つの非ゼロ要素および3つのゼロ要素を含み、ゼロ要素は対応する送信ポートの送信電力が0であることを示し、4つのプリコーディング行列のすべてに含まれる非ゼロ要素は異なる行に配置され、
送信ランクが2であるすべてのプリコーディング行列は第3のプリコーディング行列サブセットを含み、第3のプリコーディング行列サブセット内の各プリコーディング行列の非スカラ部分は、2つのプリコーディング行列の非スカラ部分内の列を組み合わせることによって取得され、2つのプリコーディング行列は第1のプリコーディング行列サブセットから選択された2つの互いに直交するプリコーディング行列であり、
送信ランクが3であるすべてのプリコーディング行列は第4のプリコーディング行列サブセットを含み、第4のプリコーディング行列サブセット内の各プリコーディング行列の非スカラ部分は、3つのプリコーディング行列の非スカラ部分内の列を組み合わせることによって取得され、3つのプリコーディング行列は第1のプリコーディング行列サブセットから選択された3つの互いに直交するプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセットに含まれるすべてのプリコーディング行列である。
【００３６】
可能な設計では、第3のプリコーディング行列サブセットは、第1のタイプのプリコーディング行列、第2のタイプのプリコーディング行列、および第3のタイプのプリコーディング行列のうちの任意の2つまたは3つのタイプを含み、第1のタイプのプリコーディング行列の第1の列および第2の列は、完全に同じビーム空間を有するが、異なる交差偏波位相を有し、第2のタイプのプリコーディング行列の第1の列および第2の列は、反対のビーム空間を有するが、同じ交差偏波位相を有し、第2のタイプのプリコーディング行列の第1の列および第2の列は、反対のビーム空間および異なる交差偏波位相を有する。
【００３７】
可能な設計では、送信ポートは第1のポートグループおよび第2のポートグループに分類され、送信ポート間でコヒーレント送信を実行することができ、コヒーレント送信は、第1のポートグループ内、第2のポートグループ内、および第1のポートグループと第2のポートグループとの間で実行することができる。
【００３８】
可能な設計では、送信ポートは第1のポートグループおよび第2のポートグループに分類され、コヒーレント送信は、第1のポートグループ内および第2のポートグループ内で実行することができるが、コヒーレント送信は、第1のポートグループと第2のポートグループとの間で実行することができず、
送信ランクが1であるすべてのプリコーディング行列は、第5のプリコーディング行列サブセットおよび第2のプリコーディング行列サブセットを含み、第5のプリコーディング行列サブセット内の各プリコーディング行列の列は2つの非ゼロ要素および2つのゼロ要素を含み、非ゼロ要素を含む行に対応する送信ポートは第1のポートグループまたは第2のポートグループに含まれる送信ポートであり、ゼロ要素を含む行に対応する送信ポートの送信電力は0であり、第2のプリコーディング行列サブセットは4つのプリコーディング行列を含み、4つのプリコーディング行列の各々の列は1つの非ゼロ要素および3つのゼロ要素を含み、4つのプリコーディング行列のすべてに含まれる非ゼロ要素は異なる行に配置され、
送信ランクが2であるすべてのプリコーディング行列は第6のプリコーディング行列サブセットを含み、第6のプリコーディング行列サブセット内の各プリコーディング行列の非スカラ部分は、2つのプリコーディング行列の非スカラ部分内の列を組み合わせることによって取得され、2つのプリコーディング行列は第5のプリコーディング行列サブセットから選択された2つのプリコーディング行列であり、
送信ランクが3であるすべてのプリコーディング行列は第7のプリコーディング行列サブセットを含み、第7のプリコーディング行列サブセット内の各プリコーディング行列の非スカラ部分は、3つのプリコーディング行列の非スカラ部分内の列を組み合わせることによって取得され、3つのプリコーディング行列のうちの1つは第5のプリコーディング行列サブセットから選択されたプリコーディング行列であり、3つのプリコーディング行列のうちの他の2つは第2のプリコーディング行列サブセットから選択された2つのプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセット内のすべてのプリコーディング行列である。
【００３９】
可能な設計では、送信ランクが2であるすべてのプリコーディング行列は第8のプリコーディング行列サブセットをさらに含み、第8のプリコーディング行列サブセットは第1のプリコーディング行列および第2のプリコーディング行列を含み、第1のプリコーディング行列の非スカラ部分および第2のプリコーディング行列の非スカラ部分は、各々2つのプリコーディング行列の非スカラ部分内の列を組み合わせることによって取得され、2つのプリコーディング行列は第2のプリコーディング行列サブセットから選択されたプリコーディング行列であり、第1のプリコーディング行列内の非ゼロ要素を含む行に対応する送信ポートは、第1のポートグループに含まれる送信ポートであり、第2のプリコーディング行列内の非ゼロ要素を含む行に対応する送信ポートは、第2のポートグループに含まれる送信ポートである。
【００４０】
可能な設計では、送信ポート間でコヒーレント送信を実行することができず、
送信ランクが1であるすべてのプリコーディング行列は第2のプリコーディング行列サブセットを含み、第2のプリコーディング行列サブセットは4つのプリコーディング行列を含み、4つのプリコーディング行列の各々の列は1つの非ゼロ要素および3つのゼロ要素を含み、4つのプリコーディング行列のすべてに含まれる非ゼロ要素は異なる行に配置され、ゼロ要素を含む行に対応する送信ポートの送信電力は0であり、
送信ランクが2であるすべてのプリコーディング行列は第9のプリコーディング行列サブセットを含み、第9のプリコーディング行列サブセット内の各プリコーディング行列の非スカラ部分は、2つのプリコーディング行列の非スカラ部分内の列を組み合わせることによって取得され、2つのプリコーディング行列は第2のプリコーディング行列サブセットからランダムに選択された2つのプリコーディング行列であり、
送信ランクが3であるすべてのプリコーディング行列は第10のプリコーディング行列サブセットを含み、第10のプリコーディング行列サブセット内の各プリコーディング行列の非スカラ部分は、3つのプリコーディング行列の非スカラ部分内の列を組み合わせることによって取得され、3つのプリコーディング行列は第2のプリコーディング行列サブセットからランダムに選択された3つのプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセット内のすべてのプリコーディング行列である。
【００４１】
可能な設計では、コヒーレント送信が送信ポート間で実行することができるとき、第1のビットフィールドは7ビットまたは6ビットを占有する。
【００４２】
可能な設計では、コヒーレント送信が第1のポートグループ内および第2のポートグループ内で実行することができるが、コヒーレント送信が第1のポートグループと第2のポートグループとの間で実行することができないとき、第1のビットフィールドは6ビットまたは5ビットを占有する。
【００４３】
可能な設計では、コヒーレント送信が送信ポート間で実行することができないとき、第1のビットフィールドは4ビットを占有する。
【００４４】
可能な設計では、第1のプリコーディング行列セット内の各プリコーディング行列に含まれる非ゼロ要素は、1、−1、j、および−jのうちの一部またはすべてを含む。
【００４５】
可能な設計では、非ゼロ要素を含む行の2ノルムは、第1のプリコーディング行列セット内のすべてのプリコーディング行列において常に1／2である。
【００４６】
可能な設計では、第1のポートグループに含まれる2つの送信ポートは1つの二重偏波アンテナ対に対応するか、または第1のポートグループに含まれる2つの送信ポートは、同じビーム方向を有するが、垂直偏波方向を有する2つのビームに対応する。
【００４７】
第4の態様によれば、本出願は、プロセッサおよび通信インターフェースを含む基地局を提供する。プロセッサは、上記の方法の中の対応する基地局機能を実行する際に基地局をサポートするように構成される。通信インターフェースは、上記の方法において使用される情報または命令を端末に送信するために、基地局と端末との間の通信をサポートするように構成される。基地局はメモリをさらに含んでもよい。メモリは、プロセッサに結合され、基地局に必要なプログラム命令およびデータを記憶するように構成される。
【００４８】
プロセッサは指示情報を決定するように構成され、指示情報は第1のビットフィールドを含み、第1のビットフィールドは、第1のプリコーディング行列セットに含まれるプリコーディング行列およびプリコーディング行列に対応する送信ランクを示すために使用され、プリコーディング行列は、r個の送信レイヤにおいて送信データストリームをプリコーディングして端末のN個の送信ポート上で送信されるべき信号を取得するために使用され、プリコーディング行列の行数は送信ポートの数Nに等しく、N＝4であり、プリコーディング行列の列数は送信レイヤの数rに等しく、1≦r≦Nであり、送信ランクの値は送信レイヤの数rに等しく、r＞1であるとき、第1のプリコーディング行列セット内の送信ランクがrであるプリコーディング行列の非スカラ部分は、r個のプリコーディング行列の非スカラ部分内の列を組み合わせることによって取得され、r個のプリコーディング行列は、送信ランクが1であるすべてのプリコーディング行列から選択されたプリコーディング行列であり、通信インターフェースは端末に指示情報を送信するように構成され、指示情報は、すべての送信レイヤにおいて送信データストリームをプリコーディングするためのプリコーディング行列を特定するために端末によって使用される。
【００４９】
可能な設計では、送信ポート間でコヒーレント送信を実行することができ、
送信ランクが1であるすべてのプリコーディング行列は、少なくとも第1のプリコーディング行列サブセットおよび第2のプリコーディング行列サブセットを含み、第1のプリコーディング行列サブセット内の各プリコーディング行列の列は4つの非ゼロ要素を含み、第2のプリコーディング行列サブセットは4つのプリコーディング行列を含み、4つのプリコーディング行列の各々の列は1つの非ゼロ要素および3つのゼロ要素を含み、ゼロ要素は対応する送信ポートの送信電力が0であることを示し、4つのプリコーディング行列のすべてに含まれる非ゼロ要素は異なる行に配置され、
送信ランクが2であるすべてのプリコーディング行列は第3のプリコーディング行列サブセットを含み、第3のプリコーディング行列サブセット内の各プリコーディング行列の非スカラ部分は、2つのプリコーディング行列の非スカラ部分内の列を組み合わせることによって取得され、2つのプリコーディング行列は第1のプリコーディング行列サブセットから選択された2つの互いに直交するプリコーディング行列であり、
送信ランクが3であるすべてのプリコーディング行列は第4のプリコーディング行列サブセットを含み、第4のプリコーディング行列サブセット内の各プリコーディング行列の非スカラ部分は、3つのプリコーディング行列の非スカラ部分内の列を組み合わせることによって取得され、3つのプリコーディング行列は第1のプリコーディング行列サブセットから選択された3つの互いに直交するプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセットに含まれるすべてのプリコーディング行列である。
【００５０】
可能な設計では、第3のプリコーディング行列サブセットは、第1のタイプのプリコーディング行列、第2のタイプのプリコーディング行列、および第3のタイプのプリコーディング行列のうちの任意の2つまたは3つのタイプを含み、第1のタイプのプリコーディング行列の第1の列および第2の列は、完全に同じビーム空間を有するが、異なる交差偏波位相を有し、第2のタイプのプリコーディング行列の第1の列および第2の列は、反対のビーム空間を有するが、同じ交差偏波位相を有し、第2のタイプのプリコーディング行列の第1の列および第2の列は、反対のビーム空間および異なる交差偏波位相を有する。
【００５１】
可能な設計では、送信ポートは第1のポートグループおよび第2のポートグループに分類され、送信ポート間でコヒーレント送信を実行することができ、コヒーレント送信は、第1のポートグループ内、第2のポートグループ内、および第1のポートグループと第2のポートグループとの間で実行することができる。
【００５２】
可能な設計では、送信ポートは第1のポートグループおよび第2のポートグループに分類され、コヒーレント送信は、第1のポートグループ内および第2のポートグループ内で実行することができるが、コヒーレント送信は、第1のポートグループと第2のポートグループとの間で実行することができず、
送信ランクが1であるすべてのプリコーディング行列は、第5のプリコーディング行列サブセットおよび第2のプリコーディング行列サブセットを含み、第5のプリコーディング行列サブセット内の各プリコーディング行列の列は2つの非ゼロ要素および2つのゼロ要素を含み、非ゼロ要素を含む行に対応する送信ポートは第1のポートグループまたは第2のポートグループに含まれる送信ポートであり、ゼロ要素を含む行に対応する送信ポートの送信電力は0であり、第2のプリコーディング行列サブセットは4つのプリコーディング行列を含み、4つのプリコーディング行列の各々の列は1つの非ゼロ要素および3つのゼロ要素を含み、4つのプリコーディング行列のすべてに含まれる非ゼロ要素は異なる行に配置され、
送信ランクが2であるすべてのプリコーディング行列は第6のプリコーディング行列サブセットを含み、第6のプリコーディング行列サブセット内の各プリコーディング行列の非スカラ部分は、2つのプリコーディング行列の非スカラ部分内の列を組み合わせることによって取得され、2つのプリコーディング行列は第5のプリコーディング行列サブセットから選択された2つのプリコーディング行列であり、
送信ランクが3であるすべてのプリコーディング行列は第7のプリコーディング行列サブセットを含み、第7のプリコーディング行列サブセット内の各プリコーディング行列の非スカラ部分は、3つのプリコーディング行列の非スカラ部分内の列を組み合わせることによって取得され、3つのプリコーディング行列のうちの1つは第5のプリコーディング行列サブセットから選択されたプリコーディング行列であり、3つのプリコーディング行列のうちの他の2つは第2のプリコーディング行列サブセットから選択された2つのプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセット内のすべてのプリコーディング行列である。
【００５３】
可能な設計では、送信ランクが2であるすべてのプリコーディング行列は第8のプリコーディング行列サブセットをさらに含み、第8のプリコーディング行列サブセットは第1のプリコーディング行列および第2のプリコーディング行列を含み、第1のプリコーディング行列の非スカラ部分および第2のプリコーディング行列の非スカラ部分は、各々2つのプリコーディング行列の非スカラ部分内の列を組み合わせることによって取得され、2つのプリコーディング行列は第2のプリコーディング行列サブセットから選択されたプリコーディング行列であり、第1のプリコーディング行列内の非ゼロ要素を含む行に対応する送信ポートは、第1のポートグループに含まれる送信ポートであり、第2のプリコーディング行列内の非ゼロ要素を含む行に対応する送信ポートは、第2のポートグループに含まれる送信ポートである。
【００５４】
可能な設計では、送信ポート間でコヒーレント送信を実行することができず、
送信ランクが1であるすべてのプリコーディング行列は第2のプリコーディング行列サブセットを含み、第2のプリコーディング行列サブセットは4つのプリコーディング行列を含み、4つのプリコーディング行列の各々の列は1つの非ゼロ要素および3つのゼロ要素を含み、4つのプリコーディング行列のすべてに含まれる非ゼロ要素は異なる行に配置され、ゼロ要素を含む行に対応する送信ポートの送信電力は0であり、
送信ランクが2であるすべてのプリコーディング行列は第9のプリコーディング行列サブセットを含み、第9のプリコーディング行列サブセット内の各プリコーディング行列の非スカラ部分は、2つのプリコーディング行列の非スカラ部分内の列を組み合わせることによって取得され、2つのプリコーディング行列は第2のプリコーディング行列サブセットからランダムに選択された2つのプリコーディング行列であり、
送信ランクが3であるすべてのプリコーディング行列は第10のプリコーディング行列サブセットを含み、第10のプリコーディング行列サブセット内の各プリコーディング行列の非スカラ部分は、3つのプリコーディング行列の非スカラ部分内の列を組み合わせることによって取得され、3つのプリコーディング行列は第2のプリコーディング行列サブセットからランダムに選択された3つのプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセット内のすべてのプリコーディング行列である。
【００５５】
可能な設計では、コヒーレント送信が送信ポート間で実行することができるとき、第1のビットフィールドは7ビットまたは6ビットを占有する。
【００５６】
可能な設計では、コヒーレント送信が第1のポートグループ内および第2のポートグループ内で実行することができるが、コヒーレント送信が第1のポートグループと第2のポートグループとの間で実行することができないとき、第1のビットフィールドは6ビットまたは5ビットを占有する。
【００５７】
可能な設計では、コヒーレント送信が送信ポート間で実行することができないとき、第1のビットフィールドは4ビットを占有する。
【００５８】
可能な設計では、第1のプリコーディング行列セット内の各プリコーディング行列に含まれる非ゼロ要素は、1、−1、j、および−jのうちの一部またはすべてを含む。
【００５９】
可能な設計では、非ゼロ要素を含む行の2ノルムは、第1のプリコーディング行列セット内のすべてのプリコーディング行列において常に1／2である。
【００６０】
可能な設計では、第1のポートグループに含まれる2つの送信ポートは1つの二重偏波アンテナ対に対応するか、または第1のポートグループに含まれる2つの送信ポートは、同じビーム方向を有するが、垂直偏波方向を有する2つのビームに対応する。
【００６１】
第5の態様によれば、上記の発明目的を達成するために、本出願は回路システムを提供し、回路システムは、インターフェースユニットと、制御および演算ユニットと、記憶ユニットとを含む。インターフェースユニットは基地局または端末の別の構成要素に接続するように構成され、記憶ユニットはコンピュータプログラムまたは命令を記憶するように構成され、制御および演算ユニットはコンピュータプログラムまたは命令を復号し実行するように構成される。コンピュータプログラムまたは命令は、第1の態様および第1の態様の可能な実装形態のうちのいずれか1つを実施するか、または第2の態様および第2の態様の可能な実装形態のうちのいずれか1つを実施するために実行される。
【図面の簡単な説明】
【００６２】
【図１】本出願によるワイヤレス通信システムの概略アーキテクチャ図である。
【図２】本出願による二重偏波アンテナ対の想定の概略構造図である。
【図３】本出願による装置の概略構造図である。
【図４】本出願による別の装置の概略構造図である。
【図５】本出願による回路システムの概略構造図である。
【図６】本出願による別の回路システムの概略構造図である。
【図７】本出願による通信方法の方法手順の概略図である。
【発明を実施するための形態】
【００６３】
以下では、添付の図面を参照して本出願をさらに詳細に記載する。
【００６４】
以下では、本出願のシステム動作環境を記載する。本出願に記載された技術は、LTE／LTE−A／eLTEシステムなどのLTEシステム、または以下のアクセス技術：符号分割多元接続（code division multiple access、CDMA）、周波数分割多元接続（frequency division multiple access、FDMA）、時分割多元接続（time division multiple access、TDMA）、直交周波数分割多元接続（orthogonal frequency division multiple access、OFDMA）、シングルキャリア周波数分割多元接続（single carrier−frequency division multiple access、SC−FDMA）などを使用するシステムなどの、様々なワイヤレスアクセス技術を使用する別のワイヤレス通信システムに適用可能であり、（新無線（new radio、NR）と呼ばれる場合もある）第5世代5Gシステムなどの後続の発展型システムにさらに適用可能であり、WiFi、WiMAX、および3GPPに関連するセルラシステムなどの、同様のワイヤレス通信システムにも適用可能である。
【００６５】
図1は、通信システムの概略図を提供する。通信システムは、少なくとも1つの基地局100（ただ1つの基地局が示されている）、および基地局100に接続された1つまたは複数の端末200を含んでもよい。
【００６６】
基地局100は、端末200と通信することができるデバイスであってもよい。基地局100は、ワイヤレス送受信機能を有する任意のデバイスであってもよく、限定はしないが、ノードB NodeB、発展型ノードB eNodeB、第5世代（the fifth generation、5G）通信システムにおける基地局、基地局、または将来の通信システムにおける基地局、WiFiシステムにおけるアクセスノード、ワイヤレス中継ノード、ワイヤレスバックホールノードなどが含まれる。あるいは、基地局100は、クラウド無線アクセスネットワーク（cloud radio access network、CRAN）シナリオにおける無線コントローラであってもよい。基地局100は、5Gネットワーク内の基地局または将来の発展型ネットワーク内の基地局であってもよく、ウェアラブルデバイスまたは車載デバイスであってもよい。基地局100は、スモールセル、送信ノード（transmission reference point、TRP）などであってもよい。確かに、このことは本出願では限定されない。
【００６７】
端末200は、ワイヤレス送受信機能を有するデバイスであり、陸上に配備されてもよく、陸上に配備されたデバイスには、屋内用、屋外用、ハンドヘルド、ウェアラブル、または車載用のデバイスが含まれ、または水面（たとえば、蒸気船）に配備されてもよく、または空中（たとえば、飛行機、気球、もしくは衛星）に配備されてもよい。端末は、携帯電話（mobile phone）、タブレットコンピュータ（Pad）、ワイヤレス送受信機能を有するコンピュータ、仮想現実（virtual reality、VR）端末、拡張現実（augmented reality、AR）端末、産業用制御（industrial control）におけるワイヤレス端末、自動運転（self driving）におけるワイヤレス端末、遠隔医療（remote medical）におけるワイヤレス端末、スマートグリッド（smart grid）におけるワイヤレス端末、交通安全（transportation safety）におけるワイヤレス端末、スマートシティ（smart city）におけるワイヤレス端末、スマートホーム（smart home）におけるワイヤレス端末などであってもよい。アプリケーションシナリオは、本出願の実施形態では限定されない。端末は、時々、ユーザ機器（user equipment、UE）、アクセス端末、UEユニット、UE局、移動局、移動局、遠隔局、遠隔端末、モバイルデバイス、UE端末、端末、ワイヤレス通信デバイス、UEエージェント、UE装置などと呼ばれる場合もある。
【００６８】
「システム」および「ネットワーク」という用語は、本発明の実施形態では互換的に使用されてもよいことに留意されたい。「複数」は2つ以上を意味する。これに基づいて、本発明の実施形態における「複数」は、「少なくとも2つ」として理解されてもよい。「および／または」という用語は、関連するオブジェクトを記述するための関連付け関係を記述し、3つの関係が存在する場合があることを表す。たとえば、Aおよび／またはBは、以下の3つのケースを表すことができる：Aのみが存在する、AとBの両方が存在する、およびBのみが存在する。加えて、文字「／」は、特に明記しない限り、一般に、関連付けられたオブジェクト間の「または」関係を示す。本出願では、「TPMI」および「プリコーディング行列シーケンス番号」は互換的に使用されてもよく、「TRI」および「送信ランクの数」は互換的に使用されてもよく、「送信ランク」および「ランク」は互換的に使用されてもよく、「送信データストリーム」および「伝送データストリーム」は互換的に使用されてもよい。
【００６９】
多入力多出力（multiple−input multiple−output、MIMO）技術は、余分な空間多重化利得を取得するために、複数のアンテナを使用して複数のデータ経路を同時に送信する。複素チャネル空間の特性をより良く使用するために、送信データストリームは、通常、プリコーディングされ、信号は、信号送信品質を改善するために、チャネル状態情報を使用して送信端において前処理される。
【００７０】
プリコーディング技術では、受信ベクトルはy＝HWx＋nとして表されてもよく、ここで、Hは空間チャネル行列を表し、Wはプリコーディング行列であり、xは送信信号ベクトルであり、nは雑音ベクトルである。プリコーディング行列WはI×Nlayerの行列である。Iは送信ポートの数であり、Nlayerはシンボルストリームの数であり、通常、送信ランクまたは送信レイヤの数と呼ばれる。プリコーディング行列Wは、Nlayer個の送信レイヤ上のデータストリームをプリコーディングし、データストリームをI個の送信ポートにマッピングするために使用することができ、Nlayer≦Iである。Wは、通常、1つのコードブック、言い換えれば、1つのプリコーディング行列セットに基づいて選択される。コードブックは通信規格に記録されており、ワイヤレス通信内の受信側と送信側の両方に知られている。受信側または送信側に対応するプリコーディング行列情報を示すために、シグナリング内でコードブック内の行列のインデックスが示される。一般に、マルチアンテナワイヤレス通信では、プリコーディング行列Wが選択され、その結果、復調アルゴリズムに基づいて、マルチアンテナチャネル容量を最大化することができるか、またはビット誤り率を最小化することができる。
【００７１】
LTE−AにはアップリンクMIMO技術が導入されている。LTE−AアップリンクMIMOシステムでは、端末用に2つまたは4つの送信ポートが構成されてもよい。LTE−Aアップリンクデータ送信では、データストリームは単一のコードブックを使用してプリコーディングされる。
【００７２】
図2は、端末の4送信ポート二重偏波アレイである。ポート1およびポート3は同じ二重偏波アンテナ対に属し、ポート2およびポート4は同じ二重偏波アンテナ対に属する。ポート1およびポート2は同じ偏波方向を表し、ポート3およびポート4は同じ偏波方向を表す。
【００７３】
図2に示された二重偏波アレイに基づいて、DFT−S−OFDM波形を使用し、LTE−Aに適用されるアップリンクコードブックの設計規則は以下の通りである。
【００７４】
1つの送信データストリームが存在する、すなわちランクが1であるとき、ポートの組合せに使用されるプリコーディング行列、具体的には表1のシーケンス番号0〜15に対応するプリコーディング行列は、4次元複素空間内で互いに不偏のベース（mutually unbiased bases、MUB）に基づいて生成される。具体的には、シーケンス番号が0、2、8、および10であるプリコーディング行列が1つの直交基底に対応し、シーケンス番号が1、3、9、および11であるプリコーディング行列が1つの直交基底に対応し、シーケンス番号が4、6、12、および14であるプリコーディング行列が1つの直交基底に対応し、シーケンス番号が5、7、13、および15であるプリコーディング行列が1つの直交基底に対応する。表1のシーケンス番号16から23に対応するプリコーディング行列は以下の機能を示す：いずれかの二重偏波アンテナ対がブロックされると、対応するポートが無効にされ得る。この場合、ポートの送信電力は0である。
【００７５】
2つの送信データストリームが存在する、すなわちランクが2であるとき、シングルキャリアの特性を維持するために、各送信レイヤに対応するプリコーディングは、4ポートの組合せに使用されるプリコーディング行列を使用して生成されないが、代わりに、送信データストリームごとに2つの対応する送信ポートが選択され、いずれのポートも2つのデータストリームに使用されないことが保証される。具体的には、2つの送信レイヤがそれぞれ異なる偏波方向を有する2つのビームに対応するとき、表2のシーケンス番号0から7に対応するプリコーディング行列を取得するために、ポート1およびポート2が1つのポートグループに組み合わされ、ポート3およびポート4が別のポートグループに組み合わされる二重偏波アンテナ対の組合せ方式が使用され、2位相偏移変調（Binary Phase Shift Keying、BPSK）位相に対応するビーム量子化が定義され、4位相偏移変調（Quadri Phase Shift Keying、QPSK）位相が使用され、8つのプリコーディング行列が使用される。それに対応して、表2のシーケンス番号8から11に対応するプリコーディング行列を取得するために、ポート1およびポート3が1つのポートグループに組み合わされ、ポート2およびポート4が別のポートグループに組み合わされる二重偏波アンテナ対の組合せ方式が使用される。それに対応して、表2のシーケンス番号12から15に対応するプリコーディング行列を取得するために、ポート1およびポート4が1つのポートグループに組み合わされ、ポート2およびポート3が別のポートグループに組み合わされる二重偏波アンテナ対の組合せ方式が使用される。
【００７６】
3つの送信データストリームが存在する、すなわちランクが3であるとき、シングルキャリアの特性を維持するために、同様の規則が使用される：送信データストリームごとに対応する送信ポートが選択され、いずれのポートも2つのデータストリームに使用されないことが保証される。送信データストリームの分類が復号特性に影響を与えないことを考慮して、第1のデータストリーム（言い換えれば、プリコーディング行列の第1の列）に対して2つの送信ポートが選択され使用されるケースのみが設計される。加えて、ランクが3であるとき、より正確なポートの組合せによって大きい利得が得られないことを考慮して、BPSK位相のみが使用される。
【００７７】
4つの送信データストリームが存在する、すなわちランクが4であるとき、各送信データストリームは1つの送信ポートのみに対応する。
【００７８】
DFT−S−OFDMに基づいて、1つの送信データストリームの場合のLTE−Aアップリンクコードブックの設計については表1を参照されたく、2つの送信データストリームの場合のLTE−Aアップリンクコードブックの設計については表2を参照されたく、3つの送信データストリームの場合のLTE−Aアップリンクコードブックの設計については表3を参照されたく、4つの送信データストリームの場合のLTE−Aアップリンクコードブックの設計については表4を参照されたい。
【００７９】
【表１】
2020504487.tif 000003
【００８０】
【表２】
2020504487.tif 000004
【００８１】
【表３】
2020504487.tif 000005
【００８２】
【表４】
2020504487.tif 000006
【００８３】
LTE−Aアップリンクコードブックの設計は、DFT−S−OFDMシングルキャリア波形の低いピーク対平均比によって大きく制限される。低いピーク対平均比の要件を満たすために、ランクが1より大きいとき、いくつかのプリコーディング行列間隔が犠牲にされる、言い換えれば、グラスマン（Grassmannian）G（4，n）複素空間におけるプリコーディング行列上でサンプリングを実行することの均一性および密度が犠牲にされる。ランクが1より大きいとき、NRアップリンク送信で使用するためにCP−OFDM波形が決定される。したがって、アップリンクコードブックは、低いピーク対平均比によって制限されない。この場合、ランクが1より大きいLTE−Aプリコーディング行列を直接使用すると、パフォーマンスが低下する。
【００８４】
図2に示された二重偏波アレイに基づいて、DFT−S−OFDM波形を使用し、NRに適用されるアップリンクコードブックの設計規則は以下の通りである。
【００８５】
不均一線形アレイ（uniform linear array、ULA）の場合、ランクが1より大きいプリコーディング行列は、LTE−Aコードブック内のランクが1であるプリコーディング行列によって使用されるMUB基底に基づいて構築される。2つのプリコーディング行列間の空間的な弦距離（chordal distance）が0である場合、両方のプリコーディング行列をコードブックに入れる必要はない。設計規則に基づいて、8PSK位相ベースのラージコードブックが取得されてもよく、既存のコードブックは、ラージコードブックのサブセットと見なすことができる。コードブックには、ランクが1である合計64個または128個のプリコーディング行列が存在し、ランクが2である64個または128個のプリコーディング行列も存在する。コードブック制限セット（code book subset restriction、CBSR）の構成によってユーザごとに異なるコードブックサブセットが構成されてもよく、その結果、ダウンリンク制御情報（downlink control information、DCI）内のTPMI指示シグナリングのオーバーヘッドを低減することができる。
【００８６】
しかしながら、アップリンクコードブックは非常に大きくなるように設計されている。変調能力が低い端末に8PSKを適用することは不適切かもしれない。加えて、MTKのコードブック設計では複数のポートグループが考慮され、異なるポートグループに基づいてプリコーディング行列が生成される。しかしながら、実際には、実装中にアンテナポートの再説明によってポートを分類することができる。多くの類似する冗長設計が存在する。設計規則に基づいて生成されたラージコードブックは規格をより複雑にする。この設計により、実装がより柔軟になるように見えるが、実際には実装がより複雑になり、オーバーヘッドが増大する。したがって、この設計は最適な解決策ではない。たとえば、設計において、コードブックサブセットはCBSRに基づいて構成される必要があり、冗長設計に加えてRRC構成オーバーヘッドは回避できない。
【００８７】
上記の2つのアップリンクコードブック設計の欠点を考慮して、本出願は、簡略化された普遍的なコードブックを設計するために、CP−OFDM波形を使用し、NRに適用されるアップリンクコードブックの設計を提供する。本出願で提供されるアップリンクコードブックの設計意図は以下の通りである。
【００８８】
本出願は、最初に、図2に示された二重偏波アンテナ対の以下の関連説明を提供する。
【００８９】
送信ポートに対応するアンテナアレイ素子の考察に基づいて、図2に示されたように、ポート1およびポート2は、同じ偏波方向または同様の偏波方向を有するアンテナアレイ素子または送信アンテナアレイ素子（transmit radio frequency unit、TXRU）と見なされてもよく、ポート3およびポート4は、同じ偏波方向または同様の偏波方向を有するアンテナアレイ素子またはTXRUと見なされてもよい。この場合、ポート1およびポート2は第1の偏波方向に対応するデジタルビームを生成し、ポート3およびポート4は第2の偏波方向に対応するデジタルビームを生成する。そのような理解に基づいて、プリコーディング行列セット｛0，2，8，10｝およびプリコーディング行列セット｛5，7，13，15｝に対応する直交基底は、2つの共偏波方向ポートグループに対応するデジタルビームが直交する場合であり、プリコーディング行列セット｛1，3，9，11｝およびプリコーディング行列セット｛4，6，12，14｝に対応する直交基底は、2つの共偏波方向ポートグループに対応するデジタルビームが同じ場合である。図2に示された二重偏波アレイの想定は、実際には一般的な想定である。主にこの点が以下に記載される。第1に、いずれのワイヤレス通信システムも2つの偏波方向に電磁波を送信／受信する能力を有する必要があるが、いずれのアンテナまたはTXRUも1つの偏波方向にしか送信／受信することができない。したがって、特に送信端の場合、アンテナアレイ素子の数が2以上であるとき、二重偏波アンテナを使用して信号を送信することは、一般的なランダムチャネル状態でより良い効果を達成する可能性が高い。4つのアンテナアレイ素子が存在するとき、一般的なランダムチャネル状態で信号を送信するために、2つの二重偏波アンテナ対が通常使用される。2つの二重偏波アンテナ対の間の間隔がどれほど大きいか、および2つの二重偏波アンテナ対の間の相関関係がどれほど強いかにかかわらず、周波数またはチャネル状態で同じ偏波方向または同様の偏波方向を有する1対のアンテナに対して、特定の位相係数を見出すことができる。位相係数を使用して2つの偏波アンテナ対が組み合わされることが考えられてもよい。したがって、二重偏波アレイは一般的であるが、特定のUEに対応するアンテナ形態ではない。第2
に、図2に示されたポート分類は、いずれの二重偏波アンテナ対に対しても一般的である。実装中、各端末の製造業者は、デフォルトで、図2に示されたポート分類に基づいて基準信号を送信することができる。
【００９０】
次いで、本出願は、二重偏波アンテナ対の関連コンテンツを参照して、プリコーディング行列の関連説明を提供する。
【００９１】
具体的には、ランクがrであるNポートのプリコーディング行列は、R個のデータ送信レイヤでプリコーディングを実行し、N個のアンテナポートでアップリンク送信信号を取得するために使用されてもよい。言い換えれば、プリコーディング行列の各列は1つのデータストリームに対応し、プリコーディング行列の各行は1つのアンテナポートに対応する。プリコーディング行列のランク、言い換えれば列の数は、空間多重化データストリームの数である。プリコーディング行列のポートの数、言い換えれば行の数は、信号送信用のアンテナポートの数である。アンテナポートは抽象的な概念であり、特定の物理アンテナに対応してもよく、またはビームフォーミングによって取得される（通常、仮想アンテナとも呼ばれる）ビームに対応してもよい。
【００９２】
これに基づいて、任意のプリコーディング行列Pは、以下の形式で書かれてもよい：
【数１】
2020504487.tif 000007
、ここで
ηはプリコーディング行列のスカラ部分であり、Aはプリコーディング行列の非スカラ部分であり、プリコーディング行列内の各要素αnrは0またはその対数係数が1の複素数であり得るし、n＝1，2，…，N、r＝1，2，…，Rである。
【００９３】
一般に、N＝4であるとき、アップリンク送信用の4つのポートは2つのポートグループと見なされてもよく、各ポートグループは、1つの二重偏波アンテナ対または同じビーム方向を有するが、異なる偏波方向を有する1対の2つのビームに対応する。たとえば、LTEアップリンクコードブックの設計において、4つのアンテナポートが連続して1、2、3、および4と番号付けされていると仮定すると、ポート1およびポート3は同じポートグループに対応し、ポート2およびポート4は同じポートグループに対応する。一般に、ポート1およびポート2は同じ偏波方向を有し、ビームフォーミングは送信位相差を発生させることによって実行されてもよく、ポート3およびポート4は同じ偏波方向を有し、ビームフォーミングは送信位相差を発生させることによって実行されてもよい。この場合、4ポートプリコーディング行列の非スカラ部分では、各列は、実際には、送信レイヤに対応するプリコーディングにおける2つの偏波方向に別々に対応するビーム情報を示し、言い換えれば、4ポートのビーム空間を示す。列に対して、ポート1およびポート2に対応する送信位相差がポート3およびポート4に対応する送信位相差と同じである場合、同じビーム空間が存在する。列に対して、ポート1およびポート2に対応する送信位相差がポート3およびポート4に対応する送信位相差と反対である場合、反対のビーム空間が存在する。2つの列に対して、ポート1およびポート2に対応する送信位相差が同じであり、ポート3およびポート4に対応する送信位相差も同じである場合、2つの列は完全に同じビーム空間を有する。2つの列に対して、ポート1およびポート2に対応する送信位相差が反対であり、ポート3およびポート4に対応する送信位相差も反対である場合、2つの列は完全に反対のビーム空間を有する。これに基づいて、ポート1とポート3との間の送信位相差は、実際には、2つの偏波方向におけるそれぞれのビーム間の位相差であり、通常、交差偏波位相と呼ばれる。
【００９４】
たとえば、表1のプリコーディング行列0の場合、2つの二重偏波アンテナ対に対応するビーム空間は反対であり、ポート1およびポート2を含むポートグループに対応するビーム空間は［1，1］であり、ポート3およびポート4を含むポートグループに対応するビーム空間は［1，−1］であり、2つのポートグループの交差偏波位相は［1，1］である。別の例では、表1のプリコーディング行列6の場合、2つの二重偏波アンテナ対に対応するビーム空間は同じであり、ポート1およびポート2を含むポートグループに対応するビーム空間と、ポート3およびポート4を含むポートグループに対応するビーム空間の両方は［1，j］であり、対応する交差偏波位相は［1，−1］である。
【００９５】
加えて、ベクトルaの2ノルム
【数２】
2020504487.tif 000008
は以下のように定義される（aは行ベクトルであっても列ベクトルであってもよく、aが列ベクトルである例が下記で使用され、行ベクトルの計算方法は列ベクトルの計算方法と完全に一致し、Nはaに含まれる要素の数である）：
【数３】
2020504487.tif 000009
【００９６】
次いで、端末用の4つの送信ポート（具体的には、図2の二重偏波アンテナ対に対応する4つのアンテナポート）の普遍的なアプリケーションシナリオが以下のように分析される。
【００９７】
シナリオ1：4つの送信ポート間でコヒーレント送信を実行することができる。
【００９８】
シナリオ2：4つの送信ポートは2つのグループに分類されてもよく、グループ内でコヒーレント送信を実行することはできるが、グループ間でコヒーレント送信を実行することはできない。
【００９９】
シナリオ3：4つの送信ポート間でインコヒーレント送信のみを実行することができる、言い換えれば、4つの送信ポート間でコヒーレント送信を実行することはできない。
【０１００】
上記の分析および想定に基づいて、本出願におけるアップリンクコードブックを設計するための規則は、以下のように要約される。
【０１０１】
第1に、ランクが1であるときに端末のマルチアンテナプリコーディングが波形切替えによって影響を受けないことを保証するために、本出願では、CP−OFDM波形の場合のランクが1であるプリコーディング行列として、DFT−S−OFDM波形の場合のプリコーディング行列が依然として使用される。詳細については、表5を参照されたい。
【０１０２】
第2に、端末の実装をより複雑でないようにするために、ランクが1より大きい各プリコーディング行列の非スカラ部分は、ランクが1であるプリコーディング行列の非スカラ部分を組み合わせることによって取得される。
【０１０３】
第3に、シナリオに対応するプリコーディング行列の特性は以下のように記載される：シナリオ1に対応するプリコーディング行列の特性は以下の通りである：ランクが1より大きい任意のプリコーディング行列の任意の列は最大4つの非ゼロ要素を含む。シナリオ2に対応するプリコーディング行列の特性は以下の通りである：ランクが1より大きい任意のプリコーディング行列の任意のベクトルは最大2つの非ゼロ要素を含む。シナリオ3に対応するプリコーディング行列の特性は以下の通りである：ランクが1より大きい任意のプリコーディング行列の任意のベクトルは最大1つの非ゼロ要素を含む。
【０１０４】
現在のポートグループおよび想定に基づいて、プリコーディング行列は、コヒーレントシナリオ、部分コヒーレントシナリオ、およびインコヒーレントシナリオについて別々に設計される。設計されたコードブックは普遍的であり、プリコーディング行列の数は最小化されてもよく、その結果、制御シグナリング内のTPMIおよびTRIのハイブリッドコーディング中に指示ビットの数が6未満である必要があるという制限条件で、システム送信性能を最適化することができる。
【０１０５】
加えて、4つの送信ポートについて、本出願は、閉塞（たとえば、いくつかの送信ポートはユーザの手によってブロックされる場合がある）によるアンテナ利得不均衡（Antenna Gain Imbalance、AGI）によって引き起こされる問題に対応する解決策をさらに提供し、いくつかの無線周波数リンクを無効にするように指示する機能を有するプリコーディング行列が、ランクが1より大きいプリコーディング行列に追加され、そのようなプリコーディング行列は、ブロックされた送信ポートの送信電力を0に設定するために使用される。
【０１０６】
上記の3つのシナリオにおけるアップリンクコードブックの設計意図に基づいて、本出願は通信方法を提供する。図7に示されたように、方法は主に以下のステップを含む。
【０１０７】
ステップ101：基地局が指示情報を決定し、端末に指示情報を送信し、指示情報は第1のビットフィールドを含み、第1のビットフィールドは、第1のプリコーディング行列セットに含まれるプリコーディング行列およびプリコーディング行列に対応する送信ランクを示すために使用される。
【０１０８】
プリコーディング行列は、r個の送信レイヤにおいて送信データストリームをプリコーディングして端末のN個の送信ポート上で送信されるべき信号を取得するために使用される。プリコーディング行列の行数は送信ポートの数Nに等しく、N＝4である。プリコーディング行列の列数は送信レイヤの数rに等しく、1≦r≦Nであり、送信ランクの値は送信レイヤの数rに等しい。
【０１０９】
r＞1であるとき、第1のプリコーディング行列セット内の送信ランクがrであるプリコーディング行列の非スカラ部分は、r個のプリコーディング行列の非スカラ部分内の列を組み合わせることによって取得され、r個のプリコーディング行列は、送信ランクが1であるすべてのプリコーディング行列から選択されたプリコーディング行列である。
【０１１０】
プリコーディング行列の詳細説明については、プリコーディング行列の上記の関連説明を参照されたい。
【０１１１】
ステップ102：端末が、基地局によって送信された指示情報を受信し、すべての送信レイヤにおいて送信データストリームをプリコーディングするためのプリコーディング行列を特定する。
【０１１２】
ステップ103：端末が、プリコーディング行列に基づいてすべての送信レイヤにおいて送信データストリームをプリコーディングして、N個の送信ポート上で送信されるべき信号を取得し、送信される信号を基地局に送信する。
【０１１３】
本出願では、r＞1であるとき、第1のプリコーディング行列セット内の送信ランクがrであるプリコーディング行列の非スカラ部分は、r個のプリコーディング行列の非スカラ部分内の列を組み合わせることによって取得され、r個のプリコーディング行列は、送信ランクが1であるすべてのプリコーディング行列から選択されたプリコーディング行列である。言い換えれば、アップリンクコードブック内のランクが1より大きいプリコーディング行列は、ランクが1であるプリコーディング行列を連結することによって取得されると見なされてもよい。したがって、端末の実装の複雑さを軽減することができ、低いダウンリンクシグナリング指示オーバーヘッドおよびよい良い性能を有するアップリンクコードブックを保証することができる。DFT−S−OFDM波形を使用し、LTE−Aに適用される従来技術のアップリンクコードブックと比較して、ランク2およびランク3の場合のコードブック設計では、最小プリコーディング行列間隔を最大化し、性能を向上させるために、MUB上で列抽出を実行することによってプリコーディング行列が生成される。
【０１１４】
場合によっては、第1のプリコーディング行列セット内の各プリコーディング行列に含まれる非ゼロ要素は、1、−1、j、および−jのうちの一部またはすべてを含む。
【０１１５】
場合によっては、非ゼロ要素を含む行の2ノルムは、第1のプリコーディング行列セット内のすべてのプリコーディング行列において常に1／2である。
【０１１６】
場合によっては、4つの送信ポートは第1のポートグループおよび第2のポートグループに分類され、第1のポートグループおよび第2のポートグループの各々に含まれる2つの送信ポートは、1つの二重偏波アンテナ対に対応するか、または同じビーム方向を有するが、垂直偏波方向を有する2つのビームに対応する。たとえば、図2に示された二重偏波アンテナ対の想定では、第1のポートグループに含まれる2つの送信ポートはポート1およびポート3であり、第2のポートグループに含まれる2つの送信ポートはポート2およびポート4である。ポート1およびポート3は1つの二重偏波アンテナ対に対応し、ポート2およびポート4は別の二重偏波アンテナ対に対応する。あるいは、ポート1およびポート3は、同じビーム方向を有するが、垂直偏波方向を有する2つのビームに対応し、ポート2およびポート4は、同じビーム方向を有するが、垂直偏波方向を有する2つのビームに対応する。
【０１１７】
本出願では普遍的なアップリンク送信シナリオが考慮されているので、最小プリコーディング行列間隔を最大化することができ、DCIシグナリング指示オーバーヘッドを低減することができる。
【０１１８】
場合によっては、上記の実施形態の第1の実装シナリオでは、端末は4つの送信ポートの完全コヒーレント送信状態をサポートし、言い換えれば、コヒーレント送信は第1のポートグループ内、第2のポートグループ内、および第1のポートグループと第2のポートグループとの間で実行することができる。それに対応して、ステップ101で設定された第1のプリコーディング行列は、シナリオ1に対応するアップリンクコードブックである。
【０１１９】
ステップ101で設定された第1のプリコーディング行列がシナリオ1に対応するアップリンクコードブックであるとき、それに対応して、ステップ101で設定された第1のプリコーディング行列に含まれる、送信ランクが1であるプリコーディング行列および送信ランクが1より大きいプリコーディング行列は、以下の特性を有する。
【０１２０】
送信ランクが1であるすべてのプリコーディング行列は、少なくとも第1のプリコーディング行列サブセットおよび第2のプリコーディング行列サブセットを含み、第1のプリコーディング行列サブセット内の各プリコーディング行列の列は4つの非ゼロ要素を含み、第2のプリコーディング行列サブセットは4つのプリコーディング行列を含み、4つのプリコーディング行列の各々の列は1つの非ゼロ要素および3つのゼロ要素を含み、ゼロ要素は対応する送信ポートの送信電力が0であることを示し、4つのプリコーディング行列のすべてに含まれる非ゼロ要素は異なる行に配置され、
送信ランクが2であるすべてのプリコーディング行列は第3のプリコーディング行列サブセットを含み、第3のプリコーディング行列サブセット内の各プリコーディング行列の非スカラ部分は、2つのプリコーディング行列の非スカラ部分内の列を組み合わせることによって取得され、2つのプリコーディング行列は第1のプリコーディング行列サブセットから選択された2つの互いに直交するプリコーディング行列であり、
送信ランクが3であるすべてのプリコーディング行列は第4のプリコーディング行列サブセットを含み、第4のプリコーディング行列サブセット内の各プリコーディング行列の非スカラ部分は、3つのプリコーディング行列の非スカラ部分内の列を組み合わせることによって取得され、3つのプリコーディング行列は第1のプリコーディング行列サブセットから選択された3つの互いに直交するプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセットに含まれるすべてのプリコーディング行列である。
【０１２１】
具体的には、本出願は、シナリオ1で設計されたアップリンクコードブック向けに以下の解決策を提供する。
【０１２２】
1つの送信データストリームが存在するとき、端末のマルチアンテナ送信のためのプリコーディングプロセスが、ランクが1であるときに波形切替えによって影響を受けないことを保証するために、本出願は、表5に示されたように、CP−OFDM波形を使用し、NRに適用される、ランクが1であるプリコーディング行列を提供する。表5に示されたランクが1であるプリコーディング行列は、DFT−S−OFDM波形を使用し、NRに適用される、ランクが1であるプリコーディング行列と同じである。LTE−Aコードブックとの違いは、シングルポートビーム選択機能を有するプリコーディング行列、具体的には、表5のプリコーディング行列シーケンス番号が24から27であるプリコーディング行列が、CP−OFDM波形を使用し、NRに適用される、ランクが1であるプリコーディング行列に追加されることである。
【０１２３】
表5に示されたように、ランクが1である28個のプリコーディング行列：プリコーディング行列シーケンス番号が0から27であるプリコーディング行列が存在する。
【０１２４】
たとえば、第1のプリコーディング行列サブセット内のプリコーディング行列は、表5のプリコーディング行列シーケンス番号が0から15であるプリコーディング行列を含み、第2のプリコーディング行列サブセット内のプリコーディング行列は、表5のプリコーディング行列シーケンス番号が24から27であるプリコーディング行列を含む。
【０１２５】
【表５】
2020504487.tif 000010
【０１２６】
ランクが2である完全コヒーレント送信の場合、低いピーク対平均比特性がもはや主な設計要件ではないことを考慮すると、最小プリコーディング行列間隔は、できるだけ4次元複素空間内のサンプリングを最適化するために最大化される必要がある。したがって、この解決策では、ランクが2であるプリコーディング行列を取得するために、MUB基底ベースの列選択方法が使用される。
【０１２７】
2つの送信データストリームが存在するとき、送信ランクが2であるすべてのプリコーディング行列は第3のプリコーディング行列サブセットを含み、第3のプリコーディング行列サブセット内の各プリコーディング行列の非スカラ部分は2つの列を含み、2つの列は、第1のプリコーディング行列サブセットから選択された、2つの互いに直交するプリコーディング行列の列を含む。
【０１２８】
言い換えれば、送信ランクが2である任意のプリコーディング行列の非スカラ部分を決定するために、2つの直交プリコーディング行列は、表5のプリコーディング行列シーケンス番号が0から15であるプリコーディング行列から選択されてもよく、送信ランクが2であるプリコーディング行列の非スカラ部分を取得するために、2つの直交プリコーディング行列の列が組み合わされる。本明細書における列の組合せは、2つの列を取得するために、ランクが1である2つのプリコーディング行列の単一の列を並行して配置することである。ハイブリッドコーディングはプリコーディング行列シーケンス番号および送信ランクシーケンス番号に対して実行されるので、2つの単一の列の分類は制限されない。
【０１２９】
表5のプリコーディング行列シーケンス番号が0から15であるプリコーディング行列は、表1のプリコーディング行列シーケンス番号が0から15であるプリコーディング行列と完全に同じである。表1に示されたプリコーディング行列シーケンス番号が0から15であるプリコーディング行列の説明から、プリコーディング行列シーケンス番号が0から15であるプリコーディング行列に対して直交基底の4つのグループが存在し、直交基底の各グループは4つのプリコーディング行列を含み、4つのプリコーディング行列は互いに直交することが分かる。説明を容易にするために、直交基底の4つのグループに含まれるプリコーディング行列を表すために、プリコーディング行列シーケンス番号セットが使用される。詳細は以下の通りである。
直交基底1：［0，2，8，10］
直交基底2：［1，3，9，11］
直交基底3：［4，6，12，14］
直交基底4：［5，7，13，15］
【０１３０】
本出願における図2の理解を参照して、本出願は、4つの直交基底から2つの直交プリコーディング行列を選択し、次いで、ランクが2であるプリコーディング行列を生成するための3つの方法を提供する。
【０１３１】
方法1：ランクが2であるプリコーディング行列を取得するために、直交基底の4つのグループ内で、同じビーム空間を有するが、異なる交差偏波位相を有するプリコーディング行列に対して列の組合せが実行される。したがって、8つのプリコーディング行列の非スカラ部分に含まれる以下の列：［0，2］、［8，10］、［1，3］、［9，11］、［4，6］、［12，14］、［5，7］、および［13，15］が取得されてもよい。
【０１３２】
TPMIによって示されるプリコーディング行列が変化したとき、対応する送信ポートの総平均電力は、ポートが無効にされない（対応する要素が0でない）限り変わらないままであることに留意されたい。ランクが1より大きいとき、そのような特性はコードブックの設計においても使用されるべきである。したがって、ランクの変更を含め、TPMIで示されるプリコーディング行列が変化したとき、対応する送信ポートの総平均電力が変わらないままであることを保証するために、ランクが2である各プリコーディング行列の正規化係数は
【数４】
2020504487.tif 000011
である必要がある。正規化係数はプリコーディング行列のスカラ部分である。
【０１３３】
したがって、正規化係数
【数５】
2020504487.tif 000012
、ならびに［0，2］、［8，10］、［1，3］、［9，11］、［4，6］、［12，14］、［5，7］、および［13，15］のプリコーディング行列シーケンス番号に対応する表5のプリコーディング行列の列に基づいて、以下の8つのプリコーディング行列が取得されてもよい：
【数６】
2020504487.tif 000013
【０１３４】
8つのプリコーディング行列は、ランクが2であるプリコーディング行列内の第1のタイプのプリコーディング行列と呼ばれる。第1のタイプのプリコーディング行列の第1の列および第2の列は、完全に同じビーム空間を有するが、異なる交差偏波位相を有する。
【０１３５】
方法2：ランクが2であるプリコーディング行列を取得するために、直交基底の4つのグループ内で、反対のビーム空間を有するが、同じ交差偏波位相を有するプリコーディング行列に対して列の組合せが実行される。したがって、8つのプリコーディング行列の非スカラ部分に含まれる以下の列：［0，8］、［2，10］、［1，9］、［3，11］、［4，12］、［6，14］、［5，13］、および［7、15］が取得されてもよい。したがって、決定された正規化係数
【数７】
2020504487.tif 000014
、ならびに［0，8］、［2，10］、［1，9］、［3，11］、［4，12］、［6，14］、［5，13］、および［7、15］のプリコーディング行列シーケンス番号に対応する表5のプリコーディング行列の列に基づいて、以下の8つのプリコーディング行列が取得されてもよい：
【数８】
2020504487.tif 000015
【０１３６】
8つのプリコーディング行列は、ランクが2であるプリコーディング行列内の第2のタイプのプリコーディング行列と呼ばれる。第2のタイプのプリコーディング行列の第1の列および第2の列は、反対のビーム空間を有するが、同じ交差偏波位相を有する。
【０１３７】
方法3：ランクが2であるプリコーディング行列を取得するために、直交基底の4つのグループ内で、反対のビーム空間および異なる交差偏波位相を有するプリコーディング行列に対して列の組合せが実行される。したがって、8つのプリコーディング行列の非スカラ部分に含まれる以下の列：［0，10］、［2，8］、［1，11］、［3，9］、［4，14］、［6，12］、［5，15］、および［7，13］が取得されてもよい。
【０１３８】
したがって、決定された正規化係数
【数９】
2020504487.tif 000016
、ならびに［0，10］、［2，8］、［1，11］、［3，9］、［4，14］、［6，12］、［5，15］、および［7，13］のプリコーディング行列シーケンス番号に対応する表5のプリコーディング行列の列に基づいて、以下の8つのプリコーディング行列が取得されてもよい：
【数１０】
2020504487.tif 000017
【０１３９】
8つのプリコーディング行列は、ランクが2であるプリコーディング行列内の第3のタイプのプリコーディング行列と呼ばれる。第2のタイプのプリコーディング行列の第1の列および第2の列は、反対のビーム空間および異なる交差偏波位相を有する。
【０１４０】
オプションの実施形態では、第3のプリコーディング行列サブセットが8つの第1のタイプのプリコーディング行列、8つの第2のタイプのプリコーディング行列、および8つの第3のタイププリコーディング行列を含む場合、第3のプリコーディング行列サブセットは24個のプリコーディング行列を含む。したがって、最小射影2ノルム距離を最大化することができる。ここで、射影2ノルム距離はグラスマン空間距離の1つである。文献［1］は、プリコーディング行列間の最小射影2ノルム距離を最大化すると、最適なMSE復号性能を達成できることを証明している（［1］D．J．LoveおよびR．W．Heath、「Limited feedback unitary precoding for spatial multiplexing systems」、IEEE Transactions on Information Theory、第51巻、第8号、ページ2967〜2976、2005年8月、doi：10．1109／TIT．2005．850152）。
【０１４１】
3つの送信データストリームが存在するとき、ランクが3であるときの完全コヒーレント送信に対して、ランク2の場合と同様の規則が使用される：16個のプリコーディング行列を生成するために、直交基底の4つのグループに対して3アウトオブ4抽出が別々に実行される。16個のプリコーディング行列の非スカラ部分に含まれる列は以下のように表されてもよい：
［0，2，8］、［8，10，2］、［1，3，9］、［9，11，3］、［4，6，12］、［12，14，6］、［5，7，13］、［13，15，7］、［0，8，10］、［2，10，0］、［1，9，11］、［3，11，1］、［4，12，14］、［6，14，4］、［5，13，15］、および［7，15，5］。
【０１４２】
ランクの変更を含め、TPMIで示されるプリコーディング行列が変化したとき、対応する送信ポートの総平均電力が変わらないままであることを保証するために、ランクが3である各プリコーディング行列の正規化係数は
【数１１】
2020504487.tif 000018
である必要がある。正規化係数はプリコーディング行列のスカラ部分である。
【０１４３】
決定された正規化係数
【数１２】
2020504487.tif 000019
、およびこれらのプリコーディング行列シーケンス番号に対応する表5のプリコーディング行列の列に基づいて、以下の16個のプリコーディング行列が取得されてもよい：
【数１３】
2020504487.tif 000020
【０１４４】
オプションの実施形態では、第4のプリコーディング行列サブセットは16個のプリコーディング行列を含んでもよい。
【０１４５】
4つの送信データストリームが存在する、すなわちランクが4であるとき、4行4列のプリコーディング行列はフルランク行列であるため、任意の2つの直交基底間の射影2ノルム距離は0である。したがって、ランクが4であるとき、ただ1つのプリコーディング行列が設計され、それはLTE−Aコードブックの設計と一致する。プリコーディング行列の非スカラ部分は4つの列を含み、4つの列は第2のプリコーディング行列サブセットに含まれるすべてのプリコーディング行列の列を含み、［24，25，26，27］として表されてもよい。
【０１４６】
ランクの変更を含め、TPMIで示されるプリコーディング行列が変化したとき、対応する送信ポートの総平均電力が変わらないままであることを保証するために、ランクが4であるプリコーディング行列の正規化係数は
【数１４】
2020504487.tif 000021
である必要がある。
【０１４７】
決定された正規化係数
【数１５】
2020504487.tif 000022
、およびこれらのプリコーディング行列シーケンス番号に対応する表5のプリコーディング行列の列に基づいて、ランクが4である以下のプリコーディング行列が取得されてもよい：
【数１６】
2020504487.tif 000023
【０１４８】
加えて、ステップ101で設定された第1のプリコーディング行列がシナリオ1に対応するアップリンクコードブックであるとき、アンテナが4つのアンテナポート上でブロックされる、言い換えれば、AGIが発生すると仮定すると、AGIは1つの二重偏波アンテナ対（言い換えれば、1つのポートグループ）で発生する可能性が高い。仮定に基づいて、ランク2の送信は、他の二重偏波アンテナ対で依然として実行することができる。これに基づいて、本出願では、同じポートグループに含まれる送信ポートを無効にするように指示するために、送信ランクが2であるすべてのプリコーディング行列に、2つのプリコーディング行列がさらに追加される。
【０１４９】
場合によっては、送信ランクが2であるすべてのプリコーディング行列は第8のプリコーディング行列サブセットをさらに含み、第8のプリコーディング行列サブセットは第1のプリコーディング行列および第2のプリコーディング行列を含み、第1のプリコーディング行列の非スカラ部分および第2のプリコーディング行列の非スカラ部分は、各々2つのプリコーディング行列の非スカラ部分内の列を組み合わせることによって取得され、2つのプリコーディング行列は第2のプリコーディング行列サブセットから選択されたプリコーディング行列であり、第1のプリコーディング行列内の非ゼロ要素を含む行に対応する送信ポートは、第1のポートグループに含まれる送信ポートであり、第2のプリコーディング行列内の非ゼロ要素を含む行に対応する送信ポートは、第2のポートグループに含まれる送信ポートである。ブロックされた送信ポートの無線周波数リンクを無効にするために、ランクが2であるプリコーディング行列に2つのプリコーディング行列が追加される。
【０１５０】
具体的には、図2に対応する二重偏波アンテナ対の想定を考慮すると、ランクが2であるプリコーディング行列に、ポート選択に使用される2つのプリコーディング行列が追加されてもよく、2つのプリコーディング行列の非スカラ部分に含まれる列は、［24，26］および［25，27］として表されてもよい。決定された正規化係数
【数１７】
2020504487.tif 000024
、およびこれらのプリコーディング行列シーケンス番号に対応する表5のプリコーディング行列の列に基づいて、以下の2つのプリコーディング行列が取得されてもよい：
【数１８】
2020504487.tif 000025
【０１５１】
ランク4の場合と同じであるが、ランク2の送信は有効なポートグループ上で実行されるので、第1のプリコーディング行列および第2のプリコーディング行列内の非ゼロ要素を含む行を含む部分行列は、フルランク行列である。フルランク行列用のすべての直交基底のうちの任意の2つの間の射影2ノルム距離は0なので、有効なポートグループごとに1つのコードワードが設計されるだけでよい。
【０１５２】
設計に基づいて、完全コヒーレント送信の場合、第1のビットフィールドが、ランクが1から4であるすべてのプリコーディング行列のTRIおよびTPMIを示すことが可能な場合、
ランクが1である合計28個のプリコーディング行列：プリコーディング行列シーケンス番号が0から27であり、表5に示されたプリコーディング行列が存在し、
ランクが2である合計26個のプリコーディング行列が存在し、26個のプリコーディング行列は、第3のプリコーディング行列サブセット内の24個のプリコーディング行列、および第8のプリコーディング行列サブセット内の2つのプリコーディング行列を含み、
ランクが3である合計16個のプリコーディング行列：第4のプリコーディング行列サブセット内の16個のプリコーディング行列が存在し、
ランクが4である1つのプリコーディング行列が存在することが分かる。
【０１５３】
したがって、合計28＋26＋16＋1＝71個のプリコーディング行列が存在する。TPMIおよび送信ランク指示（Transmit Rank Indication、TRI）に対してハイブリッドコーディングが実行される場合、言い換えれば、ステップ101の指示情報が第1のビットフィールドを含み、第1のビットフィールドが第1のプリコーディング行列セット内のプリコーディング行列およびプリコーディング行列に対応する送信ランクを示す場合、指示のために第1のビットフィールドに7ビットが必要である。
【０１５４】
ステップ101の指示情報は、DCIを使用して端末に示される。ダウンリンク制御チャネル上で信頼性が高い復号を保証するためにできるだけ少ないDCI指示ビットが存在するべきであることを考慮すると、63個のプリコーディング行列を含むアップリンクコードブックを取得するために、71個のプリコーディング行列から8つのプリコーディング行列を取り除くことが考慮される必要がある。この場合、TPMIおよびTRIを示すために6ビットだけが必要である。
【０１５５】
本出願において提供された、71個のプリコーディング行列から8つのプリコーディング行列を取り除く実装形態は、以下の実装オプションを含む。
【０１５６】
実装オプション1：ランク2の第3のプリコーディング行列サブセットは、依然として、第1のタイプのプリコーディング行列、第2のタイプのプリコーディング行列、および第3のタイプのプリコーディング行列のうちの任意の2つのタイプを含む。
【０１５７】
たとえば、ランク2の第3のプリコーディング行列サブセット内の8つの第1のタイプのプリコーディング行列が取り除かれる、言い換えれば、8つの第2のタイプのプリコーディング行列および8つの第3のタイプのプリコーディング行列は第3のプリコーディング行列サブセット内に残る。
【０１５８】
たとえば、ランク2の第3のプリコーディング行列サブセット内の8つの第2のタイプのプリコーディング行列が取り除かれる、言い換えれば、8つの第1のタイプのプリコーディング行列および8つの第3のタイプのプリコーディング行列は第3のプリコーディング行列サブセット内に残る。
【０１５９】
たとえば、ランク2の第3のプリコーディング行列サブセット内の8つの第3のタイプのプリコーディング行列が取り除かれる、言い換えれば、8つの第1のタイプのプリコーディング行列および8つの第2のタイプのプリコーディング行列は第3のプリコーディング行列サブセット内に残る。
【０１６０】
ビーム空間が反対であるときに反対の交差偏波位相を選択する必要性が低いことを考慮すると、8つの第1のタイプのプリコーディング行列および8つの第2のタイプのプリコーディング行列は、第3プリコーディング行列サブセット内に残ってもよい。
【０１６１】
実装オプション2：8つの第1のタイプのプリコーディング行列、4つの第2のタイプのプリコーディング行列、および4つの第3のタイプのプリコーディング行列が、ランク2の第3プリコーディング行列サブセット内に残る。
【０１６２】
ランクが2である第2のタイプのプリコーディング行列および第3のタイプのプリコーディング行列は、反対のビーム空間を有するプリコーディング行列を含む。4つの第2のタイプのプリコーディング行列および4つの第3のタイプのプリコーディング行列が取り除かれた場合、同じ交差偏波位相および異なる交差偏波位相に対して均一サンプリングを保証することができる。残りのすべてのプリコーディング行列が直交基底の4つのグループに含まれることが保証される必要があり、直交基底の同じグループ内の2つの直交プリコーディング行列がプリコーディング行列の削除中に一緒に削除される必要があることに留意されたい。
【０１６３】
たとえば、ランクが2であるプリコーディング行列の中で、4つのプリコーディング行列［1，9］、［3，11］、［4，12］、および［6，14］が、8つの第2のタイプのプリコーディング行列［0，8］、［2，10］、［1，9］、［3，11］、［4，12］、［6，14］、［5，13］、および［7，15］から取り除かれ、4つのプリコーディング行列［0，10］、［2，8］、［5，15］、および［7，13］が、8つの第3のタイプのプリコーディング行列［0，10］、［2，8］、［1，11］、［3，9］、［4，14］、［6，12］、［5，15］、および［7，13］から取り除かれる。
【０１６４】
実装オプション3：ランク2の第3のプリコーディング行列サブセットから4つのプリコーディング行列が取り除かれ、4つのプリコーディング行列の列は、直交基底1および直交基底4においてランクが1であるプリコーディング行列から選択されたプリコーディング行列の列を含み、ランク3の第4のプリコーディング行列サブセットから4つのプリコーディング行列が取り除かれ、4つのプリコーディング行列の列は、直交基底1および直交基底4においてランクが1であるプリコーディング行列から選択されたプリコーディング行列の列を含む。
【０１６５】
この実装オプションは、2つの偏波方向にそれぞれ対応するビーム空間が高度に相関しているときにプリコーディング行列の数を最適化することである。2つの送信ポートグループが高度に相関しているとき（たとえば、2つの送信ポートグループに対応する二重偏波アンテナ対間の間隔が0．5−xの波長であるとき）、かつランクが1より大きいとき、直交基底1および直交基底4は、直交基底2および直交基底3よりも発生する可能性が低い。したがって、ランク2およびランク3の各場合では、直交基底1および直交基底4においてランクが1であるプリコーディング行列から4つのプリコーディング行列が取り除かれる。たとえば、ランクが2であるとき、第3のプリコーディング行列サブセットから以下の4つのプリコーディング行列：［5，13］、［7，15］、［0，8］、および［2、10］が取り除かれる。ランクが3であるとき、第4のプリコーディング行列サブセットから以下の4つのプリコーディング行列：［0，8，10］、［2，10，0］、［5，13，15］、および［7，15，5］が取り除かれる。
【０１６６】
【表６】
2020504487.tif 000026
【０１６７】
【表７】
2020504487.tif 000027
【０１６８】
【表８】
2020504487.tif 000028
【０１６９】
実装オプション4：ランク3の第4のプリコーディング行列サブセットから8つのプリコーディング行列が取り除かれる。8つのプリコーディング行列の列は、直交基底1、直交基底2、直交基底3、および直交基底4においてランクが1であるプリコーディング行列から選択されたプリコーディング行列の列を含む。たとえば、ランクが3であるとき、第4のプリコーディング行列サブセットから以下の8つのプリコーディング行列：［0，8，10］、［2，10，0］、［1，9，11］、［3，11，1］、［4，12，14］、［6，14，4］、［5，13，15］、および［7，15，5］が取り除かれる。
【０１７０】
プリコーディング行列の数を最適化するための実装オプション3の解決策のために、本出願は最適化された第1のプリコーディング行列セットを提供する。
【０１７１】
ランクが1である28個のプリコーディング行列については、表5を参照されたい。
【０１７２】
ランクが2である22個のプリコーディング行列については、表6を参照されたい。22個のプリコーディング行列は、第3のプリコーディング行列サブセット内の（表6のプリコーディング行列シーケンス番号が0から19である）20個のプリコーディング行列、および第8のプリコーディング行列内の（表6のプリコーディング行列シーケンス番号が20および21である）2つのプリコーディング行列を含む。
【０１７３】
ランクが3である12個のプリコーディング行列については、表7を参照されたい。12個のプリコーディング行列は、第4のプリコーディング行列サブセット内の（表7のプリコーディング行列シーケンス番号が0から11である）12個のプリコーディング行列を含む。
【０１７４】
ランクが4である1つのプリコーディング行列については、表8を参照されたい。
【０１７５】
設計に基づいて、シナリオ1に対応するアップリンクコードブック内に合計28＋22＋12＋1＝63個のプリコーディング行列が存在し、TPMIおよびTRIに対してハイブリッドコーディングが実行される場合、指示には6ビットしか必要とされない。
【０１７６】
場合によっては、4つの送信ポートが第1のポートグループおよび第2のポートグループに分類されると、上記の実施形態の第2の実装シナリオでは、端末は4つの送信ポートの部分コヒーレント送信状態をサポートし、具体的には、コヒーレント送信は第1のポートグループ内および第2のポートグループ内で実行することができるが、コヒーレント送信は第1のポートグループと第2のポートグループとの間で実行することができない。それに対応して、ステップ101で設定された第1のプリコーディング行列は、シナリオ2に対応するアップリンクコードブックである。
【０１７７】
ステップ101で設定された第1のプリコーディング行列がシナリオ1に対応するアップリンクコードブックであるとき、それに対応して、ステップ101で設定された第1のプリコーディング行列に含まれる、送信ランクが1であるプリコーディング行列および送信ランクが1より大きいプリコーディング行列は、以下の特性を有する。
【０１７８】
送信ランクが1であるすべてのプリコーディング行列は、第5のプリコーディング行列サブセットおよび第2のプリコーディング行列サブセットを含み、第5のプリコーディング行列サブセット内の各プリコーディング行列の列は2つの非ゼロ要素および2つのゼロ要素を含み、非ゼロ要素を含む行に対応する送信ポートは第1のポートグループまたは第2のポートグループに含まれる送信ポートであり、ゼロ要素を含む行に対応する送信ポートの送信電力は0であり、第2のプリコーディング行列サブセットは4つのプリコーディング行列を含み、4つのプリコーディング行列の各々の列は1つの非ゼロ要素および3つのゼロ要素を含み、4つのプリコーディング行列のすべてに含まれる非ゼロ要素は異なる行に配置され、
送信ランクが2であるすべてのプリコーディング行列は第6のプリコーディング行列サブセットを含み、第6のプリコーディング行列サブセット内の各プリコーディング行列の非スカラ部分は、2つのプリコーディング行列の非スカラ部分内の列を組み合わせることによって取得され、2つのプリコーディング行列は第5のプリコーディング行列サブセットから選択された2つのプリコーディング行列であり、
送信ランクが3であるすべてのプリコーディング行列は第7のプリコーディング行列サブセットを含み、第7のプリコーディング行列サブセット内の各プリコーディング行列の非スカラ部分は、3つのプリコーディング行列の非スカラ部分内の列を組み合わせることによって取得され、3つのプリコーディング行列のうちの1つは第5のプリコーディング行列サブセットから選択されたプリコーディング行列であり、3つのプリコーディング行列のうちの他の2つは第2のプリコーディング行列サブセットから選択された2つのプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセット内のすべてのプリコーディング行列である。
【０１７９】
具体的には、本出願は、シナリオ2で設計されたアップリンクコードブック向けに以下の解決策を提供する。
【０１８０】
ランクが2および3であるLTE−Aプリコーディング行列との違いは、部分コヒーレント送信の場合、UEはその間でコヒーレント送信を実行できる2つの送信ポートを知ることができることであり、したがって、LTEとは異なり、すべての可能なポートの組合せを網羅的に列挙する必要がない。第1のポートグループ内のポート1とポート3との間でコヒーレント送信が実行できるとき、かつ／または第2のポートグループ内のポート2とポート4との間でコヒーレント送信が実行できるとき、本出願は、シナリオ2で設計されたアップリンクコードブック向けの解決策を提供する。
【０１８１】
ステップ101で設定された第1のプリコーディング行列がシナリオ2に対応するアップリンクコードブックであるとき、ランクが1であるとき、合計12個のプリコーディング行列：表5のプリコーディング行列シーケンス番号が16から27であるプリコーディング行列が、送信ランクが1であるすべてのプリコーディング行列として使用される。
【０１８２】
送信ランクが1であるすべてのプリコーディング行列は、プリコーディング行列の列に含まれる非ゼロ要素の数に基づく第5のプリコーディング行列サブセットおよび第2のプリコーディング行列サブセットを含む。第5のプリコーディング行列サブセットは、表5のプリコーディング行列シーケンス番号が16から23であるプリコーディング行列を含み、各プリコーディング行列の列は2つの非ゼロ要素を含む。第2のプリコーディング行列サブセットは、表5のプリコーディング行列シーケンス番号が24から27であるプリコーディング行列を含み、各プリコーディング行列の列は1つの非ゼロ要素を含む。表5を参照すると、プリコーディング行列シーケンス番号が24から27である4つのプリコーディング行列のすべてに含まれる非ゼロ要素は、異なる行に配置される。
【０１８３】
ステップ101で設定された第1のプリコーディング行列がシナリオ2に対応するアップリンクコードブックであるとき、ランクが2であるとき、図2の2つの二重偏波アンテナ対の想定に基づいて、各二重偏波アンテナ対のQPSK位相が網羅的に列挙されてもよい。具体的には、16個のプリコーディング行列の非スカラ部分に含まれる以下の列は、第5のプリコーディング行列サブセットからランダムに選択された2つのプリコーディング行列の列から取得されもよい：［16，20］、［16，21］、［16，22］、［16，23］、［17，20］、［17，21］、［17，22］、［17，23］、［18，20］、［18，21］、［18，22］、［18，23］、［19，20］、［19，21］、［19，22］、および［19，23］。
【０１８４】
ランクの変更を含め、TPMIで示されるプリコーディング行列が変化したとき、対応する送信ポートの総平均電力が変わらないままであることを保証するために、ランクが2であるプリコーディング行列の正規化係数は
【数１９】
2020504487.tif 000029
である必要がある。
【０１８５】
決定された正規化係数
【数２０】
2020504487.tif 000030
、およびこれらのプリコーディング行列シーケンス番号に対応する表5のプリコーディング行列の列に基づいて、ランクが2である以下のプリコーディング行列が取得されてもよい：
【数２１】
2020504487.tif 000031
【０１８６】
ランク2の第6のプリコーディング行列サブセットは16個のプリコーディング行列を含む。
【０１８７】
ステップ101で設定された第1のプリコーディング行列がシナリオ2に対応するアップリンクコードブックであるとき、ランクが3であるとき、2つの送信レイヤがポートグループの1つで送信されるので、ポートグループに対応する2つの送信レイヤに対応する列、および2つの列内に非ゼロ要素を含む行を含む部分行列は、フルランク行列である。フルランク行列用のすべての直交基底のうちの任意の2つの間の射影2ノルム距離は0なので、2つの送信レイヤを送信するためのポートグループについて1つのプリコーディング行列が定義されるだけでよい。したがって、ランクが3であるプリコーディング行列では、1つの列は第5のプリコーディング行列サブセットから選択されたプリコーディング行列の列であり、他の2つの列は第2のプリコーディング行列サブセットから選択された2つのプリコーディング行列の列を含む。したがって、8つのプリコーディング行列の非スカラ部分に含まれる以下の列が取得されてもよい：［16，25，27］、［17，25，27］、［18，25，27］、［19，25，27］、［20，24，26］、［21，24，26］、［22，24，26］、および［23，24，26］。
【０１８８】
ランクの変更を含め、TPMIで示されるプリコーディング行列が変化したとき、対応する送信ポートの総平均電力が変わらないままであることを保証するために、ランクが3であるプリコーディング行列の正規化係数は
【数２２】
2020504487.tif 000032
である必要がある。
【０１８９】
決定された正規化係数
【数２３】
2020504487.tif 000033
、およびこれらのプリコーディング行列シーケンス番号に対応する表5のプリコーディング行列の列に基づいて、ランクが3である以下の8つのプリコーディング行列が取得されてもよい：
【数２４】
2020504487.tif 000034
【０１９０】
ランク3の第7のプリコーディング行列サブセットは8つのプリコーディング行列を含む。
【０１９１】
加えて、ステップ101で設定された第1のプリコーディング行列がシナリオ2に対応するアップリンクコードブックであるとき、アンテナが4つのアンテナポート上でブロックされる、言い換えれば、AGIが発生すると仮定すると、AGIは1つの二重偏波アンテナ対（言い換えれば、1つのポートグループ）で発生する可能性が高い。仮定に基づいて、ランク2の送信は、他の二重偏波アンテナ対で依然として実行することができる。これに基づいて、本出願では、同じポートグループに含まれる送信ポートを無効にするように指示するために、送信ランクが2であるすべてのプリコーディング行列に、2つのプリコーディング行列がさらに追加される。
【０１９２】
具体的には、図2に対応する二重偏波アンテナ対の想定を考慮すると、ランクが2であるプリコーディング行列に、ポート選択に使用される2つのプリコーディング行列が追加されてもよく、2つのプリコーディング行列の非スカラ部分に含まれる列は、［24，26］および［25，27］として表されてもよい。決定された正規化係数
【数２５】
2020504487.tif 000035
、およびこれらのプリコーディング行列シーケンス番号に対応する表5のプリコーディング行列の列に基づいて、以下の2つのプリコーディング行列が取得されてもよい：
【数２６】
2020504487.tif 000036
【０１９３】
ステップ101で設定された第1のプリコーディング行列がシナリオ2に対応するアップリンクコードブックであるとき、明らかに、ランクが4であるプリコーディング行列も、シナリオにおけるプリコーディング行列と完全に同じであるべきである。したがって、1つのプリコーディング行列が存在し、プリコーディング行列の非スカラ部分に含まれる列は、［24，25，26，27］として表される。決定された正規化係数
【数２７】
2020504487.tif 000037
、およびこれらのプリコーディング行列シーケンス番号に対応する表5のプリコーディング行列の列に基づいて、ランクが4である以下のプリコーディング行列が取得される：
【数２８】
2020504487.tif 000038
【０１９４】
設計に基づいて、ポートグループ内でのみコヒーレント送信が実行できるシナリオ2におけるケースの場合、第1のビットフィールドが、ランクが1から4であるすべてのプリコーディング行列のTRIおよびTPMIを示すことが可能な場合、
ランクが1である合計12個のプリコーディング行列：プリコーディング行列シーケンス番号が16から27であり、表5に示されたプリコーディング行列が存在し、
ランクが2である合計18個のプリコーディング行列が存在し、18個のプリコーディング行列は、第6のプリコーディング行列サブセット内の16個のプリコーディング行列、および第8のプリコーディング行列サブセット内の2つのプリコーディング行列を含み、
ランクが3である合計8つのプリコーディング行列：第7のプリコーディング行列サブセット内の8つのプリコーディング行列が存在し、
ランクが4である1つのプリコーディング行列が存在することが分かる。
【０１９５】
したがって、合計12＋18＋8＋1＝39個のプリコーディング行列が存在する。TPMIおよびTRIに対してハイブリッドコーディングが実行される場合、言い換えれば、ステップ101の指示情報が第1のビットフィールドを含み、第1のビットフィールドが第1のプリコーディング行列セット内のプリコーディング行列およびプリコーディング行列に対応する送信ランクを示す場合、指示のために第1のビットフィールドに6ビットが必要である。
【０１９６】
ステップ101の指示情報は、DCIを使用して端末に示される。ダウンリンク制御チャネル上で信頼性が高い復号を保証するためにできるだけ少ないDCI指示ビットが存在するべきであることを考慮すると、31個のプリコーディング行列を含むアップリンクコードブックを取得するために、39個のプリコーディング行列から8つのプリコーディング行列を取り除くことが考慮される必要がある。この場合、TPMIおよびTRIを示すために5ビットだけが必要である。
【０１９７】
本出願において提供された、39個のプリコーディング行列から8つのプリコーディング行列を取り除く実装形態は、以下の実装オプションを含む。
【０１９８】
実装オプション1：ランク2の第6のプリコーディング行列サブセット内の16個のプリコーディング行列から8つのプリコーディング行列が取り除かれる。
【０１９９】
ランクが2であるときにすべての位相の組合せの抽出がオーバーヘッドを高くすることを考慮すると、16個のプリコーディング行列から8つのプリコーディング行列が取り除かれてもよい。
【０２００】
場合によっては、LTE−Aアップリンクコードブックとの整合性を保つために、2つの二重偏波対の位相は、ランクが2である16個のプリコーディング行列から残っているプリコーディング行列ごとに異なる直交位相の組合せからもたらされる。
【０２０１】
したがって、残りの8つのプリコーディング行列の非スカラ部分に含まれる列は、［16，22］、［16，23］、［17，22］、［17，23］、［18，20］、［18，21］、［19，20］、および［19，21］として表されてもよい。残りの8つのプリコーディング行列は以下の通りである：
【数２９】
2020504487.tif 000039
【０２０２】
が一例として使用される。ポート1とポート3との間の送信位相差は、ポート2とポート4との間の送信位相差とは異なり、したがって、ポート1およびポート3に対応する二重偏波対の位相、ならびにポート2およびポート4に対応する二重偏波対の位相は、異なる直交位相の組合せからもたらされる。
【０２０３】
それに対応して、ランクが2である16個のプリコーディング行列から取り除かれた8つのプリコーディング行列の各々に対応する2つの二重偏波対の位相は、同じ直交位相の組合せからもたらされる。
【０２０４】
たとえば、取り除かれた8つのプリコーディング行列の非スカラ部分に含まれる列は、［16，20］、［16，21］、［17，20］、［17，21］、［18，22］、［18，23］、［19，22］、および［19，23］として表されてもよく、取り除かれた8つのプリコーディング行列は以下の通りである：
【数３０】
2020504487.tif 000040
【０２０５】
実装オプション2：ランク2の第6のプリコーディング行列サブセット内の16個のプリコーディング行列から4つのプリコーディング行列が取り除かれ、ランク3の第7のプリコーディング行列サブセット内の8つのプリコーディング行列から4つのプリコーディング行列が取り除かれる。
【０２０６】
たとえば、ランク2の第6のプリコーディング行列から取り除かれた4つのプリコーディング行列は、以下の条件を満たす4つのプリコーディング行列である：2つの二重偏波対の位相が同じ直交位相の組合せからもたらされ、送信位相差はBPSK位相差ではない。4つのプリコーディング行列は、［18，22］、［18，23］、［19，22］、および［19，23］として表されてもよい。取り除かれた4つのプリコーディング行列は以下の通りである：
【数３１】
2020504487.tif 000041
【０２０７】
ランク3の第7のプリコーディング行列から取り除かれた4つのプリコーディング行列は、以下の条件を満たす4つのプリコーディング行列である：1つの送信ポートにおける2つのポートの送信レイヤの場合、言い換えれば第5のプリコーディング行列サブセット内の列の場合、送信位相差はBPSK位相差ではない。4つのプリコーディング行列は、［18，25，27］、［19，25，27］、［22，24，26］、および［23，24，26］として表されてもよい。取り除かれた4つのプリコーディング行列は以下の通りである：
【数３２】
2020504487.tif 000042
【０２０８】
プリコーディング行列の数を最適化するための実装オプション1の解決策のために、本出願は、以下を含む、シナリオ2における最適化された第1のプリコーディング行列セットを提供する。
【０２０９】
1つの送信データストリームが存在する、すなわちランクが1であるとき、ランクが1である12個のプリコーディング行列については、表5のプリコーディング行列シーケンス番号が16から27であるプリコーディング行列を参照されたい。
【０２１０】
2つの送信データストリームが存在する、すなわちランクが2であるとき、ランクが2である10個のプリコーディング行列については、表9を参照されたい。10個のプリコーディング行列は、第6のプリコーディング行列サブセット内の（表9のプリコーディング行列シーケンス番号が0から7である）8つのプリコーディング行列、および第8のプリコーディング行列内の（表9のプリコーディング行列シーケンス番号が8および9である）2つのプリコーディング行列を含む。
【０２１１】
3つの送信データストリームが存在する、すなわちランクが3であるとき、ランクが3である8つのプリコーディング行列については、表10を参照されたい。8つのプリコーディング行列は、第7のプリコーディング行列サブセット内の（表10のプリコーディング行列シーケンス番号が0から7である）8つのプリコーディング行列を含む。
【０２１２】
4つの送信データストリームが存在する、すなわちランクが4であるとき、ランクが4である1つのプリコーディング行列については、表8を参照されたい。
【０２１３】
設計に基づいて、シナリオ2に対応するアップリンクコードブック内に合計12＋10＋8＋1＝31個のプリコーディング行列が存在し、TPMIおよびTRIに対してハイブリッドコーディングが実行される場合、指示には5ビットしか必要とされない。
【０２１４】
【表９】
2020504487.tif 000043
【０２１５】
【表１０】
2020504487.tif 000044
【０２１６】
場合によっては、4つの送信ポートが第1のポートグループおよび第2のポートグループに分類されると、上記の実施形態の第3の実装シナリオでは、端末は4つの送信ポートのインコヒーレント送信状態をサポートし、具体的には、コヒーレント送信は第1のポートグループ内、第2のポートグループ内、または第1のポートグループと第2のポートグループとの間で実行することができない。それに対応して、ステップ101で設定された第1のプリコーディング行列は、シナリオ3に対応するアップリンクコードブックである。
【０２１７】
ステップ101で設定された第1のプリコーディング行列がシナリオ3に対応するアップリンクコードブックであるとき、それに対応して、ステップ101で設定された第1のプリコーディング行列に含まれる、送信ランクが1であるプリコーディング行列および送信ランクが1より大きいプリコーディング行列は、以下の特性を有する。
【０２１８】
送信ランクが1であるすべてのプリコーディング行列は第2のプリコーディング行列サブセットを含み、第2のプリコーディング行列サブセットは4つのプリコーディング行列を含み、4つのプリコーディング行列の各々の列は1つの非ゼロ要素および3つのゼロ要素を含み、4つのプリコーディング行列のすべてに含まれる非ゼロ要素は異なる行に配置され、ゼロ要素を含む行に対応する送信ポートの送信電力は0であり、
送信ランクが2であるすべてのプリコーディング行列は第9のプリコーディング行列サブセットを含み、第9のプリコーディング行列サブセット内の各プリコーディング行列の非スカラ部分は、2つのプリコーディング行列の非スカラ部分内の列を組み合わせることによって取得され、2つのプリコーディング行列は第2のプリコーディング行列サブセットからランダムに選択された2つのプリコーディング行列であり、
送信ランクが3であるすべてのプリコーディング行列は第10のプリコーディング行列サブセットを含み、第10のプリコーディング行列サブセット内の各プリコーディング行列の非スカラ部分は、3つのプリコーディング行列の非スカラ部分内の列を組み合わせることによって取得され、3つのプリコーディング行列は第2のプリコーディング行列サブセットからランダムに選択された3つのプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセット内のすべてのプリコーディング行列である。
【０２１９】
本出願は、シナリオ3で設計されたアップリンクコードブック向けに以下の解決策を提供する。
【０２２０】
1つの送信データストリームが存在する、すなわちランクが1であるとき、合計4つのプリコーディング行列：表5のプリコーディング行列シーケンス番号24から27に対応するプリコーディング行列が、ランクが1であるプリコーディング行列として使用される。4つのプリコーディング行列の各々の列は、1つの非ゼロ要素および3つのゼロ要素を含み、4つのプリコーディング行列のすべてに含まれる非ゼロ要素は異なる行に配置され、ゼロ要素を含む行に対応する送信ポートの送信電力は0である。
【０２２１】
2つの送信データストリームが存在する、すなわちランクが2であるとき、ランクが2である各プリコーディング行列の非スカラ部分は2つの列を含み、2つの列は、ランクが1である4つのプリコーディング行列からランダムに選択された2つのプリコーディング行列の列のすべての組合せを含む。取得された6つのプリコーディング行列は、［24，26］、［25，27］、［24，25］、［26，27］、［24，27］、および［25，26］として表されてもよい。取得された6つのプリコーディング行列については、表11のプリコーディング行列シーケンス番号0から5に対応するプリコーディング行列を参照されたい。
【０２２２】
3つの送信データストリームが存在する、すなわちランクが3であるとき、ランクが3である各プリコーディング行列の非スカラ部分は3つの列を含み、3つの列は、ランクが1である4つのプリコーディング行列からランダムに選択された3つのプリコーディング行列の列のすべての組合せを含む。取得された4つのプリコーディング行列は、［24，25，26］、［24，25，27］、［24，26，27］、および［25，26，27］として表されてもよい。取得された4つのプリコーディング行列については、表12のプリコーディング行列シーケンス番号0から3に対応するプリコーディング行列を参照されたい。
【０２２３】
4つの送信データストリームが存在する、すなわちランクが4であるとき、ランクが4である1つのプリコーディング行列については、表8を参照されたい。
【０２２４】
設計に基づいて、シナリオ3に対応するアップリンクコードブック内に合計4＋6＋4＋1＝15個のプリコーディング行列が存在し、TPMIおよびTRIに対してハイブリッドコーディングが実行される場合、指示には4ビットしか必要とされない。
【０２２５】
加えて、オプションの実施形態では、上記のすべての実施形態におけるすべてのテーブル内のプリコーディング行列の各々のスカラ部分は1であってもよい。この場合、基地局は電力ヘッドルーム（power headroom、PHR）レポートを受信して、端末の電力制御ヘッドルームを知る。
【０２２６】
本出願では、コヒーレント送信に関連する3つの異なるシナリオについて、低いダウンリンクシグナリング指示オーバーヘッドおよびより良い性能を保証することができる、簡略化されたアップリンクコードブックが設計されている。アップリンクコードブックにおいてランクが1より大きいプリコーディング行列は、ランクが1であるプリコーディング行列を連結することによって取得されてもよく、その結果、端末の実装の複雑さを低減することができる。従来技術と比較して、CBSRを示すためにさらなるRRCシグナリングオーバーヘッドは必要とされない。
【０２２７】
DFT−S−OFDM波形を使用し、LTE−Aに適用される従来技術のアップリンクコードブックと比較して、本出願におけるランク2およびランク3の場合のコードブック設計では、3つの異なるシナリオが考慮され、最小プリコーディング行列間隔を最大化し、性能を向上させるために、MUB上で列抽出を実行することによってプリコーディング行列が生成される。
【０２２８】
DFT−S−OFDM波形を使用し、NRに適用される従来技術のアップリンクコードブックと比較して、本出願におけるプリコーディング行列の設計は簡略化されコンパクトであり、その結果、DCI指示オーバーヘッドを最小化することができ、CBSRを示すためにRRCシグナリングオーバーヘッドは必要でない。
【０２２９】
本出願では普遍的なアップリンク送信シナリオが考慮されているので、最小プリコーディング行列間隔を最大化することができ、DCIシグナリング指示オーバーヘッドを低減することができる。加えて、すべてのシナリオについて、アンテナがブロックされると、ブロックされた送信ポートの無線周波数リンクを無効にするために、ランクが2であるプリコーディング行列に2つのプリコーディング行列が追加される。
【０２３０】
【表１１】
2020504487.tif 000045
【０２３１】
【表１２】
2020504487.tif 000046
【０２３２】
同じ発明概念に基づいて、図3に示されたように、本出願の一実施形態は、少なくとも1つのプロセッサ21、通信バス22、メモリ23、および少なくとも1つの通信インターフェース24を含む装置20を提供する。
【０２３３】
たとえば、図2の端末200は、図3に示された装置20であってもよい。装置20は、プロセッサ21を使用することにより、本出願の実施形態における通信方法内の端末関連ステップを実施することができる。
【０２３４】
たとえば、図2の基地局100は、図3に示された装置20であってもよい。装置20は、プロセッサ21を使用することにより、本出願の実施形態における通信方法内の基地局関連ステップを実施することができる。
【０２３５】
プロセッサ21は、汎用中央処理装置（CPU）、マイクロプロセッサ、特定用途向け集積回路（application−specific integrated circuit、ASIC）、または本出願における解決策のプログラム実行を制御するための1つもしくは複数の集積回路であってもよい。
【０２３６】
通信バス22は、上記の構成要素間で情報を送信するための経路を含んでもよい。通信インターフェース24は、任意のトランシーバ装置を使用して、別のデバイス、またはイーサネット（登録商標）、無線アクセスネットワーク（RAN）、もしくはWALNなどの通信ネットワークと通信するように構成される。
【０２３７】
メモリ23は、読取り専用メモリ（read−only memory、ROM）もしくは静的情報および命令を記憶することができる別のタイプの静的ストレージデバイス、またはランダムアクセスメモリ（random access memory、RAM）もしくは情報および命令を記憶することができる別のタイプの動的ストレージデバイスであってもよく、電気的消去可能プログラマブル読取り専用メモリ（electrically erasable programmable read−only memory、EEPROM）、コンパクトディスク読取り専用メモリ（compact disc read−only memory、CD−ROM）もしくは別のコンパクトディスクストレージ、（コンパクトディスク、レーザーディスク（登録商標）、光ディスク、デジタル多用途ディスク、ブルーレイディスクなどを含む）光ディスクストレージ、またはディスク記憶媒体もしくは別の磁気ストレージデバイス、または命令もしくはデータ構造の形態で予想されるプログラムコードを搬送もしくは記憶するために使用することができ、装置によってアクセスすることができる任意の他の媒体であってもよい。しかしながら、このことは本明細書では限定されない。メモリは、独立して存在してもよく、バスを使用してプロセッサに接続される。あるいは、メモリは、プロセッサと一体化されてもよい。
【０２３８】
メモリ23は、本出願の解決策を実行するためのアプリケーションプログラムコードを記憶するように構成され、アプリケーションプログラムコードの実行はプロセッサ21によって制御される。プロセッサ21は、メモリ23に記憶されたアプリケーションプログラムコードを実行するように構成される。
【０２３９】
具体的な実装中に、一実施形態では、プロセッサ21は、図3のCPU0およびCPU1などの1つまたは複数のCPUを含んでもよい。
【０２４０】
具体的な実装中に、一実施形態では、装置20は、図28のプロセッサ21およびプロセッサ28などの複数のプロセッサを含んでもよい。プロセッサの各々は、シングルコア（single−CPU）プロセッサであってもよく、マルチコア（multi−CPU）プロセッサであってもよい。本明細書では、プロセッサは、データ（たとえば、コンピュータプログラム命令）を処理するように構成された1つもしくは複数のデバイス、回路、および／または処理コアであってもよい。
【０２４１】
本出願のこの実施形態では、図3に示された装置の機能モジュールは、上記の方法例に基づく分割によって取得されてもよい。たとえば、各機能モジュールは各機能に基づいて分割によって取得されてもよく、2つ以上の機能は1つの処理モジュールに統合されてもよい。統合モジュールは、ハードウェアの形態で実装されてもよく、ソフトウェア機能モジュールの形態で実装されてもよい。本出願のこの実施形態におけるモジュール分割は一例であり、論理的な機能分割にすぎず、実際の実装形態では別の分割方式であってもよいことに留意されたい。
【０２４２】
本実施形態では、各機能に対応する各機能モジュールを分割によって取得することにより、図3に示された装置が提示されるか、または装置は、統合方式で分割によって各機能モジュールを取得することによって提示される。本明細書における「モジュール」は、特定用途向け集積回路（application−specific integrated circuit、ASIC）、回路、1つもしくは複数のソフトウェアプログラムもしくはファームウェアプログラムを実行するプロセッサ、メモリ、集積論理回路、および／または上記の機能を実現することができる別の構成要素であってもよい。
【０２４３】
たとえば、各機能モジュールが各機能に基づいて分割によって取得される場合、図4は上記の実施形態における装置の可能な概略構成図である。装置900は、上記の実施形態における端末または基地局であってもよい。装置900は、処理ユニット901およびトランシーバユニット902を含む。トランシーバユニット902は、信号を受信および送信するために処理ユニット901によって使用される。図4の処理ユニット901によって実行される方法は、図3のプロセッサ21（および／またはプロセッサ28）ならびにメモリ23を使用して実施されてもよい。具体的には、処理ユニット901によって実行される方法は、メモリ23に記憶されたアプリケーションプログラムコードを呼び出すことにより、図3のプロセッサ21（および／またはプロセッサ28）を使用して実行されてもよい。このことは、本出願のこの実施形態では限定されない。
【０２４４】
具体的な実装中に、装置900が上記の実施形態における端末であってもよいとき、トランシーバユニット902は基地局から指示情報を受信するように構成され、指示情報は第1のビットフィールドを含み、第1のビットフィールドは、第1のプリコーディング行列セットに含まれるプリコーディング行列およびプリコーディング行列に対応する送信ランクを示すために使用され、プリコーディング行列は、r個の送信レイヤにおいて送信データストリームをプリコーディングして端末のN個の送信ポート上で送信されるべき信号を取得するために使用され、プリコーディング行列の行数は送信ポートの数Nに等しく、N＝4であり、プリコーディング行列の列数は送信レイヤの数rに等しく、1≦r≦Nであり、送信ランクの値は送信レイヤの数rに等しく、r＞1であるとき、第1のプリコーディング行列セット内の送信ランクがrであるプリコーディング行列の非スカラ部分は、r個のプリコーディング行列の非スカラ部分内の列を組み合わせることによって取得され、r個のプリコーディング行列は、送信ランクが1であるすべてのプリコーディング行列から選択されたプリコーディング行列であり、処理ユニット901は、指示情報に基づいて、すべての送信レイヤにおいて送信データストリームをプリコーディングするためのプリコーディング行列を特定するように構成される。
【０２４５】
可能な設計では、送信ポート間でコヒーレント送信を実行することができ、
送信ランクが1であるすべてのプリコーディング行列は、少なくとも第1のプリコーディング行列サブセットおよび第2のプリコーディング行列サブセットを含み、第1のプリコーディング行列サブセット内の各プリコーディング行列の列は4つの非ゼロ要素を含み、第2のプリコーディング行列サブセットは4つのプリコーディング行列を含み、4つのプリコーディング行列の各々の列は1つの非ゼロ要素および3つのゼロ要素を含み、ゼロ要素は対応する送信ポートの送信電力が0であることを示し、4つのプリコーディング行列のすべてに含まれる非ゼロ要素は異なる行に配置され、
送信ランクが2であるすべてのプリコーディング行列は第3のプリコーディング行列サブセットを含み、第3のプリコーディング行列サブセット内の各プリコーディング行列の非スカラ部分は、2つのプリコーディング行列の非スカラ部分内の列を組み合わせることによって取得され、2つのプリコーディング行列は第1のプリコーディング行列サブセットから選択された2つの互いに直交するプリコーディング行列であり、
送信ランクが3であるすべてのプリコーディング行列は第4のプリコーディング行列サブセットを含み、第4のプリコーディング行列サブセット内の各プリコーディング行列の非スカラ部分は、3つのプリコーディング行列の非スカラ部分内の列を組み合わせることによって取得され、3つのプリコーディング行列は第1のプリコーディング行列サブセットから選択された3つの互いに直交するプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセットに含まれるすべてのプリコーディング行列である。
【０２４６】
可能な設計では、第3のプリコーディング行列サブセットは、第1のタイプのプリコーディング行列、第2のタイプのプリコーディング行列、および第3のタイプのプリコーディング行列のうちの任意の2つまたは3つのタイプを含み、第1のタイプのプリコーディング行列の第1の列および第2の列は、完全に同じビーム空間を有するが、異なる交差偏波位相を有し、第2のタイプのプリコーディング行列の第1の列および第2の列は、反対のビーム空間を有するが、同じ交差偏波位相を有し、第2のタイプのプリコーディング行列の第1の列および第2の列は、反対のビーム空間および異なる交差偏波位相を有する。
【０２４７】
可能な設計では、送信ポートは第1のポートグループおよび第2のポートグループに分類され、送信ポート間でコヒーレント送信を実行することができ、コヒーレント送信は、第1のポートグループ内、第2のポートグループ内、および第1のポートグループと第2のポートグループとの間で実行することができる。
【０２４８】
可能な設計では、送信ポートは第1のポートグループおよび第2のポートグループに分類され、コヒーレント送信は、第1のポートグループ内および第2のポートグループ内で実行することができるが、コヒーレント送信は、第1のポートグループと第2のポートグループとの間で実行することができず、
送信ランクが1であるすべてのプリコーディング行列は、第5のプリコーディング行列サブセットおよび第2のプリコーディング行列サブセットを含み、第5のプリコーディング行列サブセット内の各プリコーディング行列の列は2つの非ゼロ要素および2つのゼロ要素を含み、非ゼロ要素を含む行に対応する送信ポートは第1のポートグループまたは第2のポートグループに含まれる送信ポートであり、ゼロ要素を含む行に対応する送信ポートの送信電力は0であり、第2のプリコーディング行列サブセットは4つのプリコーディング行列を含み、4つのプリコーディング行列の各々の列は1つの非ゼロ要素および3つのゼロ要素を含み、4つのプリコーディング行列のすべてに含まれる非ゼロ要素は異なる行に配置され、
送信ランクが2であるすべてのプリコーディング行列は第6のプリコーディング行列サブセットを含み、第6のプリコーディング行列サブセット内の各プリコーディング行列の非スカラ部分は、2つのプリコーディング行列の非スカラ部分内の列を組み合わせることによって取得され、2つのプリコーディング行列は第5のプリコーディング行列サブセットから選択された2つのプリコーディング行列であり、
送信ランクが3であるすべてのプリコーディング行列は第7のプリコーディング行列サブセットを含み、第7のプリコーディング行列サブセット内の各プリコーディング行列の非スカラ部分は、3つのプリコーディング行列の非スカラ部分内の列を組み合わせることによって取得され、3つのプリコーディング行列のうちの1つは第5のプリコーディング行列サブセットから選択されたプリコーディング行列であり、3つのプリコーディング行列のうちの他の2つは第2のプリコーディング行列サブセットから選択された2つのプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセット内のすべてのプリコーディング行列である。
【０２４９】
可能な設計では、送信ランクが2であるすべてのプリコーディング行列は第8のプリコーディング行列サブセットをさらに含み、第8のプリコーディング行列サブセットは第1のプリコーディング行列および第2のプリコーディング行列を含み、第1のプリコーディング行列の非スカラ部分および第2のプリコーディング行列の非スカラ部分は、各々2つのプリコーディング行列の非スカラ部分内の列を組み合わせることによって取得され、2つのプリコーディング行列は第2のプリコーディング行列サブセットから選択されたプリコーディング行列であり、第1のプリコーディング行列内の非ゼロ要素を含む行に対応する送信ポートは、第1のポートグループに含まれる送信ポートであり、第2のプリコーディング行列内の非ゼロ要素を含む行に対応する送信ポートは、第2のポートグループに含まれる送信ポートである。
【０２５０】
可能な設計では、送信ポート間でコヒーレント送信を実行することができず、
送信ランクが1であるすべてのプリコーディング行列は第2のプリコーディング行列サブセットを含み、第2のプリコーディング行列サブセットは4つのプリコーディング行列を含み、4つのプリコーディング行列の各々の列は1つの非ゼロ要素および3つのゼロ要素を含み、4つのプリコーディング行列のすべてに含まれる非ゼロ要素は異なる行に配置され、ゼロ要素を含む行に対応する送信ポートの送信電力は0であり、
送信ランクが2であるすべてのプリコーディング行列は第9のプリコーディング行列サブセットを含み、第9のプリコーディング行列サブセット内の各プリコーディング行列の非スカラ部分は、2つのプリコーディング行列の非スカラ部分内の列を組み合わせることによって取得され、2つのプリコーディング行列は第2のプリコーディング行列サブセットからランダムに選択された2つのプリコーディング行列であり、
送信ランクが3であるすべてのプリコーディング行列は第10のプリコーディング行列サブセットを含み、第10のプリコーディング行列サブセット内の各プリコーディング行列の非スカラ部分は、3つのプリコーディング行列の非スカラ部分内の列を組み合わせることによって取得され、3つのプリコーディング行列は第2のプリコーディング行列サブセットからランダムに選択された3つのプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセット内のすべてのプリコーディング行列である。
【０２５１】
可能な設計では、コヒーレント送信が送信ポート間で実行することができるとき、第1のビットフィールドは7ビットまたは6ビットを占有する。
【０２５２】
可能な設計では、コヒーレント送信が第1のポートグループ内および第2のポートグループ内で実行することができるが、コヒーレント送信が第1のポートグループと第2のポートグループとの間で実行することができないとき、第1のビットフィールドは6ビットまたは5ビットを占有する。
【０２５３】
可能な設計では、コヒーレント送信が送信ポート間で実行することができないとき、第1のビットフィールドは4ビットを占有する。
【０２５４】
可能な設計では、第1のプリコーディング行列セット内の各プリコーディング行列に含まれる非ゼロ要素は、1、−1、j、および−jのうちの一部またはすべてを含む。
【０２５５】
可能な設計では、非ゼロ要素を含む行の2ノルムは、第1のプリコーディング行列セット内のすべてのプリコーディング行列において常に1／2である。
【０２５６】
可能な設計では、第1のポートグループに含まれる2つの送信ポートは1つの二重偏波アンテナ対に対応するか、または第1のポートグループに含まれる2つの送信ポートは、同じビーム方向を有するが、垂直偏波方向を有する2つのビームに対応する。
【０２５７】
具体的な実装中に、装置900が上記の実施形態における基地局であってもよいとき、処理ユニット901は指示情報を決定するように構成され、指示情報は第1のビットフィールドを含み、第1のビットフィールドは、第1のプリコーディング行列セットに含まれるプリコーディング行列およびプリコーディング行列に対応する送信ランクを示すために使用され、プリコーディング行列は、r個の送信レイヤにおいて送信データストリームをプリコーディングして端末のN個の送信ポート上で送信されるべき信号を取得するために使用され、プリコーディング行列の行数は送信ポートの数Nに等しく、N＝4であり、プリコーディング行列の列数は送信レイヤの数rに等しく、1≦r≦Nであり、送信ランクの値は送信レイヤの数rに等しく、r＞1であるとき、第1のプリコーディング行列セット内の送信ランクがrであるプリコーディング行列の非スカラ部分は、r個のプリコーディング行列の非スカラ部分内の列を組み合わせることによって取得され、r個のプリコーディング行列は、送信ランクが1であるすべてのプリコーディング行列から選択されたプリコーディング行列であり、
トランシーバユニット902は端末に指示情報を送信するように構成され、指示情報は、すべての送信レイヤにおいて送信データストリームをプリコーディングするためのプリコーディング行列を特定するために端末によって使用される。
【０２５８】
可能な設計では、送信ポート間でコヒーレント送信を実行することができ、
送信ランクが1であるすべてのプリコーディング行列は、少なくとも第1のプリコーディング行列サブセットおよび第2のプリコーディング行列サブセットを含み、第1のプリコーディング行列サブセット内の各プリコーディング行列の列は4つの非ゼロ要素を含み、第2のプリコーディング行列サブセットは4つのプリコーディング行列を含み、4つのプリコーディング行列の各々の列は1つの非ゼロ要素および3つのゼロ要素を含み、ゼロ要素は対応する送信ポートの送信電力が0であることを示し、4つのプリコーディング行列のすべてに含まれる非ゼロ要素は異なる行に配置され、
送信ランクが2であるすべてのプリコーディング行列は第3のプリコーディング行列サブセットを含み、第3のプリコーディング行列サブセット内の各プリコーディング行列の非スカラ部分は、2つのプリコーディング行列の非スカラ部分内の列を組み合わせることによって取得され、2つのプリコーディング行列は第1のプリコーディング行列サブセットから選択された2つの互いに直交するプリコーディング行列であり、
送信ランクが3であるすべてのプリコーディング行列は第4のプリコーディング行列サブセットを含み、第4のプリコーディング行列サブセット内の各プリコーディング行列の非スカラ部分は、3つのプリコーディング行列の非スカラ部分内の列を組み合わせることによって取得され、3つのプリコーディング行列は第1のプリコーディング行列サブセットから選択された3つの互いに直交するプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセットに含まれるすべてのプリコーディング行列である。
【０２５９】
可能な設計では、第3のプリコーディング行列サブセットは、第1のタイプのプリコーディング行列、第2のタイプのプリコーディング行列、および第3のタイプのプリコーディング行列のうちの任意の2つまたは3つのタイプを含み、第1のタイプのプリコーディング行列の第1の列および第2の列は、完全に同じビーム空間を有するが、異なる交差偏波位相を有し、第2のタイプのプリコーディング行列の第1の列および第2の列は、反対のビーム空間を有するが、同じ交差偏波位相を有し、第2のタイプのプリコーディング行列の第1の列および第2の列は、反対のビーム空間および異なる交差偏波位相を有する。
【０２６０】
可能な設計では、送信ポートは第1のポートグループおよび第2のポートグループに分類され、送信ポート間でコヒーレント送信を実行することができ、コヒーレント送信は、第1のポートグループ内、第2のポートグループ内、および第1のポートグループと第2のポートグループとの間で実行することができる。
【０２６１】
可能な設計では、送信ポートは第1のポートグループおよび第2のポートグループに分類され、コヒーレント送信は、第1のポートグループ内および第2のポートグループ内で実行することができるが、コヒーレント送信は、第1のポートグループと第2のポートグループとの間で実行することができず、
送信ランクが1であるすべてのプリコーディング行列は、第5のプリコーディング行列サブセットおよび第2のプリコーディング行列サブセットを含み、第5のプリコーディング行列サブセット内の各プリコーディング行列の列は2つの非ゼロ要素および2つのゼロ要素を含み、非ゼロ要素を含む行に対応する送信ポートは第1のポートグループまたは第2のポートグループに含まれる送信ポートであり、ゼロ要素を含む行に対応する送信ポートの送信電力は0であり、第2のプリコーディング行列サブセットは4つのプリコーディング行列を含み、4つのプリコーディング行列の各々の列は1つの非ゼロ要素および3つのゼロ要素を含み、4つのプリコーディング行列のすべてに含まれる非ゼロ要素は異なる行に配置され、
送信ランクが2であるすべてのプリコーディング行列は第6のプリコーディング行列サブセットを含み、第6のプリコーディング行列サブセット内の各プリコーディング行列の非スカラ部分は、2つのプリコーディング行列の非スカラ部分内の列を組み合わせることによって取得され、2つのプリコーディング行列は第5のプリコーディング行列サブセットから選択された2つのプリコーディング行列であり、
送信ランクが3であるすべてのプリコーディング行列は第7のプリコーディング行列サブセットを含み、第7のプリコーディング行列サブセット内の各プリコーディング行列の非スカラ部分は、3つのプリコーディング行列の非スカラ部分内の列を組み合わせることによって取得され、3つのプリコーディング行列のうちの1つは第5のプリコーディング行列サブセットから選択されたプリコーディング行列であり、3つのプリコーディング行列のうちの他の2つは第2のプリコーディング行列サブセットから選択された2つのプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセット内のすべてのプリコーディング行列である。
【０２６２】
可能な設計では、送信ランクが2であるすべてのプリコーディング行列は第8のプリコーディング行列サブセットをさらに含み、第8のプリコーディング行列サブセットは第1のプリコーディング行列および第2のプリコーディング行列を含み、第1のプリコーディング行列の非スカラ部分および第2のプリコーディング行列の非スカラ部分は、各々2つのプリコーディング行列の非スカラ部分内の列を組み合わせることによって取得され、2つのプリコーディング行列は第2のプリコーディング行列サブセットから選択されたプリコーディング行列であり、第1のプリコーディング行列内の非ゼロ要素を含む行に対応する送信ポートは、第1のポートグループに含まれる送信ポートであり、第2のプリコーディング行列内の非ゼロ要素を含む行に対応する送信ポートは、第2のポートグループに含まれる送信ポートである。
【０２６３】
可能な設計では、送信ポート間でコヒーレント送信を実行することができず、
送信ランクが1であるすべてのプリコーディング行列は第2のプリコーディング行列サブセットを含み、第2のプリコーディング行列サブセットは4つのプリコーディング行列を含み、4つのプリコーディング行列の各々の列は1つの非ゼロ要素および3つのゼロ要素を含み、4つのプリコーディング行列のすべてに含まれる非ゼロ要素は異なる行に配置され、ゼロ要素を含む行に対応する送信ポートの送信電力は0であり、
送信ランクが2であるすべてのプリコーディング行列は第9のプリコーディング行列サブセットを含み、第9のプリコーディング行列サブセット内の各プリコーディング行列の非スカラ部分は、2つのプリコーディング行列の非スカラ部分内の列を組み合わせることによって取得され、2つのプリコーディング行列は第2のプリコーディング行列サブセットからランダムに選択された2つのプリコーディング行列であり、
送信ランクが3であるすべてのプリコーディング行列は第10のプリコーディング行列サブセットを含み、第10のプリコーディング行列サブセット内の各プリコーディング行列の非スカラ部分は、3つのプリコーディング行列の非スカラ部分内の列を組み合わせることによって取得され、3つのプリコーディング行列は第2のプリコーディング行列サブセットからランダムに選択された3つのプリコーディング行列であり、
送信ランクが4であるプリコーディング行列の非スカラ部分は、4つのプリコーディング行列の非スカラ部分内の列を組み合わせることによって取得され、4つのプリコーディング行列は第2のプリコーディング行列サブセット内のすべてのプリコーディング行列である。
【０２６４】
可能な設計では、コヒーレント送信が送信ポート間で実行することができるとき、第1のビットフィールドは7ビットまたは6ビットを占有する。
【０２６５】
可能な設計では、コヒーレント送信が第1のポートグループ内および第2のポートグループ内で実行することができるが、コヒーレント送信が第1のポートグループと第2のポートグループとの間で実行することができないとき、第1のビットフィールドは6ビットまたは5ビットを占有する。
【０２６６】
可能な設計では、コヒーレント送信が送信ポート間で実行することができないとき、第1のビットフィールドは4ビットを占有する。
【０２６７】
可能な設計では、第1のプリコーディング行列セット内の各プリコーディング行列に含まれる非ゼロ要素は、1、−1、j、および−jのうちの一部またはすべてを含む。
【０２６８】
可能な設計では、非ゼロ要素を含む行の2ノルムは、第1のプリコーディング行列セット内のすべてのプリコーディング行列において常に1／2である。
【０２６９】
可能な設計では、第1のポートグループに含まれる2つの送信ポートは1つの二重偏波アンテナ対に対応するか、または第1のポートグループに含まれる2つの送信ポートは、同じビーム方向を有するが、垂直偏波方向を有する2つのビームに対応する。
【０２７０】
上記の装置実施形態の具体的な実装は、方法実施形態の実装に対応する。装置実施形態の具体的な実装および有益な効果については、方法実施形態における関連説明を参照されたい。
【０２７１】
同じ発明概念に基づいて、本出願の一実施形態は回路システムをさらに提供する。図5は、本発明の一実装形態による、回路システム（たとえば、アクセスポイント、基地局、サイト、または端末などの通信装置）の概略構造図である。
【０２７２】
図5に示されたように、回路システム1200は、一般的なバスアーキテクチャとしてバス1201を使用して実装されてもよい。バス1201は、回路システム1200の特定の用途および全体的な設計制約条件に基づいて、任意の数の相互接続されたバスおよびブリッジを含んでもよい。バス1201は様々な回路を一緒に接続し、これらの回路には、プロセッサ1202、記憶媒体1203、およびバスインターフェース1204が含まれる。場合によっては、回路システム1200では、バス1201を使用して、かつバスインターフェース1204を使用して、ネットワークアダプタ1205などが接続される。ネットワークアダプタ1205は、ワイヤレス通信ネットワークにおける物理層の信号処理機能を実装し、アンテナ1207を使用して無線周波数信号を送受信するように構成されてもよい。キーボード、ディスプレイ、マウス、またはジョイスティックなどのユーザインターフェース1206は、ユーザ端末に接続されてもよい。バス1201はさらに、タイミングソース、周辺デバイス、電圧調整器、または電力管理回路などの様々な他の回路を接続することができる。これらの回路は当技術分野ではよく知られており、本明細書では詳細に記載されない。
【０２７３】
あるいは、回路システム1200は、チップまたはシステムオンチップとして構成されてもよい。チップまたはシステムオンチップは、プロセッサ機能を提供する1つまたは複数のマイクロプロセッサ、および記憶媒体1203の少なくとも一部を提供する外部メモリを含む。すべての構成要素は、外部バスアーキテクチャを使用して別のサポート回路に接続される。
【０２７４】
あるいは、回路システム1200は、プロセッサ1202、バスインターフェース1204、およびユーザインターフェース1206、ならびにシングルチップに統合された記憶媒体1203の少なくとも一部を含むASIC（application−specific integrated circuit）を使用して実装されてもよい。あるいは、回路システム1200は、1つもしくは複数のFPGA（field programmable gate array）、PLD（programmable logic device）、コントローラ、状態機械、ゲートロジック、個別ハードウェア構成要素、任意の他の適切な回路、または本発明に記載された様々な機能を実行することができる回路の任意の組合せを使用して実装されてもよい。
【０２７５】
プロセッサ1202は、バスを管理すること、および（記憶媒体1203に記憶されたソフトウェアを実行することを含む）一般的な処理を担当する。プロセッサ1202は、1つまたは複数の汎用プロセッサおよび／または専用プロセッサを使用して実装されてもよい。プロセッサの例には、マイクロプロセッサ、マイクロコントローラ、DSPプロセッサ、およびソフトウェアを実行することが可能な他の回路が含まれる。ソフトウェアが、ソフトウェア、ファームウェア、ミドルウェア、マイクロコード、ハードウェア記述言語、または他のものと呼ばれるかどうかにかかわらず、ソフトウェアは、命令、データ、またはそれらの任意の組合せの表現として広く解釈されるべきである。
【０２７６】
以下の図では、記憶媒体1203はプロセッサ1202から分離されている。しかしながら、当業者は、記憶媒体1203またはその任意の部分が回路システム1200の外部に配置されてもよいことを容易に理解する。たとえば、記憶媒体1203は、伝送線路、データを使用して変調された搬送波波形、および／またはワイヤレスノードから分離されたコンピュータ製品を含んでもよい。これらの媒体は、バスインターフェース1204を使用することにより、プロセッサ1202によってアクセス可能である。あるいは、記憶媒体1203またはその任意の部分は、プロセッサ1202に統合されてもよく、たとえば、キャッシュおよび／または汎用レジスタであってもよい。
【０２７７】
プロセッサ1202は、本出願の上記の実施形態のうちのいずれにおいても、アップリンクサブバンドプリコーディング行列指示方法を実行することができ、詳細は本明細書で再び記載されない。
【０２７８】
図6は、本発明の一実施形態による、回路システムの別の概略構造図である。回路システムはプロセッサであってもよい。プロセッサは、チップまたはシステムオンチップ（system on chip、SOC）として表されてもよく、本発明の実施形態では、ワイヤレス通信システム内の基地局または端末に配置され、その結果、基地局または端末は、本発明の実施形態における通信方法を実施する。図6に示されたように、回路システム60は、インターフェースユニット601と、制御および演算ユニット602と、記憶ユニット603とを含む。インターフェースユニットは基地局または端末の別の構成要素に接続するように構成され、記憶ユニット603はコンピュータプログラムまたは命令を記憶するように構成され、制御および演算ユニット602はコンピュータプログラムまたは命令を復号し実行するように構成される。コンピュータプログラムまたは命令は、上記の端末機能プログラムを含んでもよく、上記の基地局機能プログラムを含んでもよいことを理解されたい。端末機能プログラムが制御および演算ユニット602によって復号され実行されると、端末は、本発明の実施形態におけるアップリンクサブバンドプリコーディング行列指示方法の中の端末の機能を実行することができる。基地局機能プログラムが制御および演算ユニット602によって復号され実行されると、基地局は、本発明の実施形態におけるアップリンクサブバンドプリコーディング行列指示方法の中の基地局の機能を実行することができる。
【０２７９】
可能な設計では、端末機能プログラムまたは基地局機能プログラムは、回路システム60の外部のメモリに記憶される。端末機能プログラムまたは基地局機能プログラムが制御および演算ユニット602によって復号され実行されると、記憶ユニット603は、端末機能プログラムの一部もしくはすべての内容を一時的に記憶するか、または基地局機能プログラムの一部もしくはすべての内容を一時的に記憶する。
【０２８０】
別のオプションの実装形態では、端末機能プログラムまたは基地局機能プログラムは、回路システム60内の記憶ユニット603に記憶されるように設定される。回路システム60内の記憶ユニット603が端末機能プログラムを記憶するとき、回路システム60は、本発明の実施形態におけるワイヤレス通信システム内の端末200に配置されてもよい。回路システム60内の記憶ユニット603が基地局機能プログラムを記憶するとき、回路システム60は、本発明の実施形態におけるワイヤレス通信システム内の基地局100に配置されてもよい。
【０２８１】
さらに別のオプションの実施形態では、端末機能プログラムまたは基地局機能プログラムの一部の内容が回路システム60の外部のメモリに記憶され、端末機能プログラムまたは基地局機能プログラムの他の内容が回路システム60内の記憶ユニット603に記憶される。
【０２８２】
同じ概念に基づいて、本出願はコンピュータ可読記憶媒体を提供する。コンピュータ可読記憶媒体は命令を記憶し、命令がコンピュータ上で実行されると、コンピュータは、本出願の様々な実施形態における端末関連の方法ステップを実行する。
【０２８３】
同じ概念に基づいて、本出願はコンピュータ可読記憶媒体を提供する。コンピュータ可読記憶媒体は命令を記憶し、命令がコンピュータ上で実行されると、コンピュータは、本出願の様々な実施形態における基地局関連の方法ステップを実行する。
【０２８４】
同じ概念に基づいて、本出願は命令を含むコンピュータプログラム製品を提供し、命令がコンピュータ上で実行されると、コンピュータは、本出願の様々な実施形態における端末関連の方法ステップを実行する。
【０２８５】
同じ概念に基づいて、本出願は命令を含むコンピュータプログラム製品を提供し、命令がコンピュータ上で実行されると、コンピュータは、本出願の様々な実施形態における基地局関連の方法ステップを実行する。
【０２８６】
上記の実施形態のすべてまたは一部は、ソフトウェア、ハードウェア、ファームウェア、またはそれらの任意の組合せによって実装されてもよい。実施形態を実装するためにソフトウェアが使用されると、実施形態はコンピュータプログラム製品の形態で完全または部分的に実装されてもよい。コンピュータプログラム製品は1つまたは複数のコンピュータ命令を含む。コンピュータプログラム命令がコンピュータにロードされ実行されると、本発明の実施形態に記載された手順または機能が、すべてまたは部分的に生成される。コンピュータは、汎用コンピュータ、専用コンピュータ、コンピュータネットワーク、または別のプログラム可能な装置であってもよい。コンピュータ命令は、コンピュータ可読記憶媒体に記憶されてもよく、コンピュータ可読記憶媒体から別の媒体に送信されてもよい。たとえば、コンピュータ命令は、ウェブサイト、コンピュータ、サーバ、またはデータセンタから、別のウェブサイト、コンピュータ、サーバ、またはデータセンタに、有線（たとえば、同軸ケーブル、光ファイバ、もしくはデジタル加入者回線（DSL））、またはワイヤレス（たとえば、赤外線、無線、もしくはマイクロ波）で送信されてもよい。コンピュータ可読記憶媒体は、コンピュータによってアクセス可能な任意の使用可能媒体、または1つもしくは複数の使用可能媒体を統合する、サーバもしくはデータセンタなどのデータストレージデバイスであってもよい。使用可能媒体は、磁気媒体（たとえば、フロッピーディスク、ハードディスク、もしくは磁気テープ）、光学媒体（たとえば、DVD）、半導体媒体（たとえば、半導体ディスク（SSD））などであってもよい。
【０２８７】
当業者は、本発明によって提供される実施形態の説明については、互いに参照することを明確に理解することができる。説明を容易かつ簡潔にするために、本発明の実施形態において提供される装置およびデバイスの機能ならびに実行されるステップについては、本発明の方法実施形態における関連説明を参照されたく、詳細は本明細書では再び記載されない。
【０２８８】
本出願は、実施形態を参照して記載されているが、保護を主張する本出願を実装するプロセスにおいて、当業者は、添付の図面、開示された内容、および添付の特許請求の範囲を参照することにより、開示された実施形態の別の変形形態を理解し実装することができる。特許請求の範囲では、「備える」（comprising）は別の構成要素または別のステップを排除せず、「a」または「one」は「複数」のケースを排除しない。単一のプロセッサまたは別の単一のユニットは、特許請求の範囲に列挙されたいくつかの機能を実装することができる。いくつかの手段が相互に異なる従属請求項に列挙されているという事実は、これらの手段の組合せがより良い結果をもたらすことができないことを示すものではない。
【０２８９】
本出願の実施形態は、方法、装置（デバイス）、またはコンピュータプログラム製品として提供されてもよいことを当業者なら理解されよう。したがって、本出願は、ハードウェアのみの実施形態、ソフトウェアのみの実施形態、またはソフトウェアとハードウェアの組合せを有する実施形態の形態を使用してもよい。本明細書では、それらは「モジュール」または「システム」と総称される。その上、本出願は、コンピュータ使用可能プログラムコードを含む、（限定はしないが、ディスクメモリ、CD−ROM、光メモリなどを含む）1つまたは複数のコンピュータ使用可能記憶媒体に実装されたコンピュータプログラム製品の形態を使用してもよい。コンピュータプログラムは、適切な媒体に記憶／分配され、他のハードウェアとともにハードウェアの一部として提供もしくは使用されるか、あるいは、別の形態で、たとえば、Internetまたは別の有線もしくはワイヤレスの電気通信システムを使用して分配されてもよい。
【０２９０】
当業者は、本出願の実施形態に列挙された様々な例示的な論理ブロック（illustrative logical block）およびステップ（step）が、電子メール、コンピュータソフトウェア、または2つの組合せによって実装されてもよいことをさらに理解することができる。ハードウェアとソフトウェアとの間の互換性（interchangeability）を明確に示すために、上記の様々な例示的な構成要素（illustrative components）およびステップの機能が一般的に記載されている。機能がハードウェアを使用して実装されるか、またはソフトウェアを使用して実装されるかは、特定の用途およびシステム全体の設計要件に依存する。具体的な用途ごとに、当業者は様々な方法を使用して機能を実施することができる。しかしながら、この実施は、本発明の実施形態の保護範囲を超えると理解されるべきではない。
【０２９１】
本出願の実施形態に記載された様々な例示的な論理ブロック、モジュール、および回路は、汎用処理ユニット、デジタル信号処理ユニット、特定用途向け集積回路（ASIC）、フィールドプログラマブルゲートアレイ（FPGA）もしくは別のプログラマブル論理装置、個別ゲートもしくはトランジスタ論理、個別ハードウェア構成要素、またはそれらの任意の組合せの設計を使用することにより、記載された機能を実装または動作することができる。汎用処理ユニットはマイクロプロセッシングユニットであってもよい。場合によっては、汎用処理ユニットは、任意の従来の処理ユニット、コントローラ、マイクロコントローラ、または状態機械であってもよい。処理ユニットは、デジタル信号処理ユニットおよびマイクロプロセッシングユニット、複数のマイクロプロセッシングユニット、デジタル信号処理ユニットコアを有する1つもしくは複数のマイクロプロセッシングユニット、または任意の他の同様の構成などの、コンピューティング装置の組合せによって実装されてもよい。
【０２９２】
1つまたは複数の例示的な設計では、本発明の実施形態に記載された機能は、ハードウェア、ソフトウェア、ファームウェア、またはそれらの任意の組合せを使用して実装されてもよい。本発明がソフトウェアによって実装された場合、これらの機能は、コンピュータ可読媒体に記憶されてもよく、または1つもしくは複数の命令もしくはコードの形態でコンピュータ可読媒体に送信される。コンピュータ可読媒体は、コンピュータプログラムがある場所から別の場所に移動することを可能にするコンピュータ記憶媒体または通信媒体のいずれかである。記憶媒体は、任意の汎用コンピュータまたは専用コンピュータによってアクセスされ得る利用可能な媒体であってもよい。たとえば、そのようなコンピュータ可読媒体には、限定はしないが、RAM、ROM、EEPROM、CD−ROMもしくは別の光ディスクストレージ、ディスクストレージもしくは別の磁気記憶装置、またはプログラムコードを載せるかもしくは記憶するために使用され得る任意の他の媒体が含まれてもよく、プログラムコードは、命令またはデータ構造の形態、あるいは汎用もしくは専用のコンピュータまたは汎用もしくは専用の処理ユニットによって読み取ることができる形態である。加えて、いかなる接続もコンピュータ可読媒体として適切に定義されてもよい。たとえば、ソフトウェアが、同軸ケーブル、光ファイバコンピュータ、ツイストペア、デジタル加入者回線（DSL）を使用することにより、または赤外線、無線、もしくはマイクロ波などのワイヤレス方式で、ウェブサイト、サーバ、または別のリモートリソースから送信される場合、ソフトウェアは定義されたコンピュータ可読媒体に含まれる。ディスク（disk）およびディスク（disc）には、圧縮ディスク、レーザーディスク（登録商標）、光ディスク、DVD、フロッピーディスク、およびブルーレイディスクが含まれる。ディスク（disk）は、一般に磁気的手段によってデータをコピーし、ディスク（disc）は、一般にレーザー手段によって光学的にデータをコピーする。上記の組合せもコンピュータ可読媒体に含まれてもよい。
【０２９３】
本発明におけるこの明細書の上記の説明によれば、当技術分野の技術は、本発明の内容を使用または実装することができる。開示された内容に基づくいかなる変更も当技術分野では明らかであると見なされるべきである。本発明に記載された基本原理は、本発明の本質および範囲から逸脱することなく、他の変形形態に適用されてもよい。したがって、本発明で開示された内容は、記載された実施形態および設計に限定されるものではなく、本発明の原理および開示された新しい特徴と一致する最大の範囲に拡張されてもよい。
【符号の説明】
【０２９４】
1  ポート
2  ポート
3  ポート
4  ポート
20  装置
21  プロセッサ
22  通信バス
23  メモリ
24  通信インターフェース
28  プロセッサ
60  回路システム
100  基地局
101  ステップ
102  ステップ
103  ステップ
200  端末
601  インターフェースユニット
602  制御および演算ユニット
603  記憶ユニット
900  装置
901  処理ユニット
902  トランシーバユニット
1200  回路システム
1201  バス
1202  プロセッサ
1203  記憶媒体
1204  バスインターフェース
1205  ネットワークアダプタ
1206  ユーザインターフェース
1207  アンテナ
【図１】
2020504487.tif 000047
【図２】
2020504487.tif 000048
【図３】
2020504487.tif 000049
【図４】
2020504487.tif 000050
【図５】
2020504487.tif 000051
【図６】
2020504487.tif 000052
【図７】
2020504487.tif 000053
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
通信方法であって、前記方法は、
端末により、基地局によって送信された指示情報を受信するステップであって、前記指示情報が第1のビットフィールドを備え、前記第1のビットフィールドが、第1のプリコーディング行列セットに備えられたプリコーディング行列および前記プリコーディング行列に対応する送信ランクを示すために使用され、前記プリコーディング行列が、r個の送信レイヤにおいて送信データストリームをプリコーディングして前記端末のN個の送信ポート上で送信されるべき信号を取得するために使用され、前記プリコーディング行列の行数が送信ポートの前記数Nに等しく、N＝4であり、前記プリコーディング行列の列数が送信レイヤの前記数rに等しく、1≦r≦Nであり、前記送信ランクの値が送信レイヤの前記数rに等しく、r＞1であるとき、前記第1のプリコーディング行列セット内の送信ランクがrであるプリコーディング行列の非スカラ部分が、r個のプリコーディング行列の非スカラ部分内の列を組み合わせることによって取得され、前記r個のプリコーディング行列が、送信ランクが1であるすべてのプリコーディング行列から選択されたプリコーディング行列である、ステップと、
前記端末により、前記指示情報に基づいて、すべての前記送信レイヤにおいて前記送信データストリームをプリコーディングするための前記プリコーディング行列を特定するステップと
を備える、方法。
【請求項２】
前記送信ポート間でコヒーレント送信を実行することができ、
送信ランクが1であるすべての前記プリコーディング行列が、少なくとも第1のプリコーディング行列サブセットおよび第2のプリコーディング行列サブセットを備え、前記第1のプリコーディング行列サブセット内の各プリコーディング行列の列が4つの非ゼロ要素を備え、前記第2のプリコーディング行列サブセットが4つのプリコーディング行列を備え、前記4つのプリコーディング行列の各々の列が1つの非ゼロ要素および3つのゼロ要素を備え、前記ゼロ要素が対応する送信ポートの送信電力が0であることを示し、前記4つのプリコーディング行列のすべてに備えられた非ゼロ要素が異なる行に配置され、
送信ランクが2であるすべてのプリコーディング行列が第3のプリコーディング行列サブセットを備え、前記第3のプリコーディング行列サブセット内の各プリコーディング行列の非スカラ部分が、2つのプリコーディング行列の非スカラ部分内の列を組み合わせることによって取得され、前記2つのプリコーディング行列が前記第1のプリコーディング行列サブセットから選択された2つの互いに直交するプリコーディング行列であり、
送信ランクが3であるすべてのプリコーディング行列が第4のプリコーディング行列サブセットを備え、前記第4のプリコーディング行列サブセット内の各プリコーディング行列の非スカラ部分が、3つのプリコーディング行列の非スカラ部分内の列を組み合わせることによって取得され、前記3つのプリコーディング行列が前記第1のプリコーディング行列サブセットから選択された3つの互いに直交するプリコーディング行列であり、
送信ランクが4であるプリコーディング行列の非スカラ部分が、4つのプリコーディング行列の非スカラ部分内の列を組み合わせることによって取得され、前記4つのプリコーディング行列が前記第2のプリコーディング行列サブセットに備えられたすべての前記プリコーディング行列である、
請求項1に記載の方法。
【請求項３】
前記第3のプリコーディング行列サブセットが、第1のタイプのプリコーディング行列、第2のタイプのプリコーディング行列、および第3のタイプのプリコーディング行列のうちの任意の2つまたは3つのタイプを備え、前記第1のタイプのプリコーディング行列の第1の列および第2の列が、完全に同じビーム空間を有するが、異なる交差偏波位相を有し、前記第2のタイプのプリコーディング行列の第1の列および第2の列が、反対のビーム空間を有するが、同じ交差偏波位相を有し、前記第2のタイプのプリコーディング行列の第1の列および第2の列が、反対のビーム空間および異なる交差偏波位相を有する、
請求項2に記載の方法。
【請求項４】
前記送信ポートが第1のポートグループおよび第2のポートグループに分類され、前記送信ポート間でコヒーレント送信を実行することができ、コヒーレント送信が、前記第1のポートグループ内、前記第2のポートグループ内、および前記第1のポートグループと前記第2のポートグループとの間で実行することができる、請求項2または3に記載の方法。
【請求項５】
前記送信ポートが第1のポートグループおよび第2のポートグループに分類され、コヒーレント送信が、前記第1のポートグループ内および前記第2のポートグループ内で実行することができるが、コヒーレント送信が、前記第1のポートグループと前記第2のポートグループとの間で実行することができず、
送信ランクが1であるすべての前記プリコーディング行列が、第5のプリコーディング行列サブセットおよび第2のプリコーディング行列サブセットを備え、前記第5のプリコーディング行列サブセット内の各プリコーディング行列の列が2つの非ゼロ要素および2つのゼロ要素を備え、前記非ゼロ要素を備える行に対応する送信ポートが前記第1のポートグループまたは前記第2のポートグループに備えられた送信ポートであり、前記ゼロ要素を備える行に対応する送信ポートの送信電力が0であり、前記第2のプリコーディング行列サブセットが4つのプリコーディング行列を備え、前記4つのプリコーディング行列の各々の列が1つの非ゼロ要素および3つのゼロ要素を備え、前記4つのプリコーディング行列のすべてに備えられた非ゼロ要素が異なる行に配置され、
送信ランクが2であるすべてのプリコーディング行列が第6のプリコーディング行列サブセットを備え、前記第6のプリコーディング行列サブセット内の各プリコーディング行列の非スカラ部分が、2つのプリコーディング行列の非スカラ部分内の列を組み合わせることによって取得され、前記2つのプリコーディング行列が前記第5のプリコーディング行列サブセットから選択された2つのプリコーディング行列であり、
送信ランクが3であるすべてのプリコーディング行列が第7のプリコーディング行列サブセットを備え、前記第7のプリコーディング行列サブセット内の各プリコーディング行列の非スカラ部分が、3つのプリコーディング行列の非スカラ部分内の列を組み合わせることによって取得され、前記3つのプリコーディング行列のうちの1つが前記第5のプリコーディング行列サブセットから選択されたプリコーディング行列であり、前記3つのプリコーディング行列のうちの他の2つが前記第2のプリコーディング行列サブセットから選択された2つのプリコーディング行列であり、
送信ランクが4であるプリコーディング行列の非スカラ部分が、4つのプリコーディング行列の非スカラ部分内の列を組み合わせることによって取得され、前記4つのプリコーディング行列が前記第2のプリコーディング行列サブセット内のすべての前記プリコーディング行列である、
請求項1に記載の方法。
【請求項６】
送信ランクが2であるすべての前記プリコーディング行列が第8のプリコーディング行列サブセットをさらに備え、前記第8のプリコーディング行列サブセットが第1のプリコーディング行列および第2のプリコーディング行列を備え、前記第1のプリコーディング行列の非スカラ部分および前記第2のプリコーディング行列の非スカラ部分が、各々2つのプリコーディング行列の非スカラ部分内の列を組み合わせることによって取得され、前記2つのプリコーディング行列が前記第2のプリコーディング行列サブセットから選択されたプリコーディング行列であり、前記第1のプリコーディング行列内の非ゼロ要素を備える行に対応する送信ポートが、前記第1のポートグループに備えられた送信ポートであり、前記第2のプリコーディング行列内の非ゼロ要素を備える行に対応する送信ポートが、前記第2のポートグループに備えられた送信ポートである、
請求項4または5に記載の方法。
【請求項７】
前記送信ポート間でコヒーレント送信を実行することができず、
送信ランクが1であるすべての前記プリコーディング行列が第2のプリコーディング行列サブセットを備え、前記第2のプリコーディング行列サブセットが4つのプリコーディング行列を備え、前記4つのプリコーディング行列の各々の列が1つの非ゼロ要素および3つのゼロ要素を備え、前記4つのプリコーディング行列のすべてに備えられた非ゼロ要素が異なる行に配置され、前記ゼロ要素を備える行に対応する送信ポートの送信電力が0であり、
送信ランクが2であるすべてのプリコーディング行列が第9のプリコーディング行列サブセットを備え、前記第9のプリコーディング行列サブセット内の各プリコーディング行列の非スカラ部分が、2つのプリコーディング行列の非スカラ部分内の列を組み合わせることによって取得され、前記2つのプリコーディング行列が前記第2のプリコーディング行列サブセットからランダムに選択された2つのプリコーディング行列であり、
送信ランクが3であるすべてのプリコーディング行列が第10のプリコーディング行列サブセットを備え、前記第10のプリコーディング行列サブセット内の各プリコーディング行列の非スカラ部分が、3つのプリコーディング行列の非スカラ部分内の列を組み合わせることによって取得され、前記3つのプリコーディング行列が前記第2のプリコーディング行列サブセットからランダムに選択された3つのプリコーディング行列であり、
送信ランクが4であるプリコーディング行列の非スカラ部分が、4つのプリコーディング行列の非スカラ部分内の列を組み合わせることによって取得され、前記4つのプリコーディング行列が前記第2のプリコーディング行列サブセット内のすべての前記プリコーディング行列である、
請求項1に記載の方法。
【請求項８】
プロセッサおよび通信インターフェースを備える端末であって、
前記通信インターフェースが前記基地局から指示情報を受信するように構成され、前記指示情報が第1のビットフィールドを備え、前記第1のビットフィールドが、第1のプリコーディング行列セットに備えられたプリコーディング行列および前記プリコーディング行列に対応する送信ランクを示すために使用され、前記プリコーディング行列が、r個の送信レイヤにおいて送信データストリームをプリコーディングして前記端末のN個の送信ポート上で送信されるべき信号を取得するために使用され、前記プリコーディング行列の行数が送信ポートの前記数Nに等しく、N＝4であり、前記プリコーディング行列の列数が送信レイヤの前記数rに等しく、1≦r≦Nであり、前記送信ランクの値が送信レイヤの前記数rに等しく、r＞1であるとき、前記第1のプリコーディング行列セット内の送信ランクがrであるプリコーディング行列の非スカラ部分が、r個のプリコーディング行列の非スカラ部分内の列を組み合わせることによって取得され、前記r個のプリコーディング行列が、送信ランクが1であるすべてのプリコーディング行列から選択されたプリコーディング行列であり、
前記プロセッサが、前記指示情報に基づいて、すべての前記送信レイヤにおいて前記送信データストリームをプリコーディングするための前記プリコーディング行列を特定するように構成される、
端末。
【請求項９】
前記送信ポート間でコヒーレント送信を実行することができ、
送信ランクが1であるすべての前記プリコーディング行列が、少なくとも第1のプリコーディング行列サブセットおよび第2のプリコーディング行列サブセットを備え、前記第1のプリコーディング行列サブセット内の各プリコーディング行列の列が4つの非ゼロ要素を備え、前記第2のプリコーディング行列サブセットが4つのプリコーディング行列を備え、前記4つのプリコーディング行列の各々の列が1つの非ゼロ要素および3つのゼロ要素を備え、前記ゼロ要素が対応する送信ポートの送信電力が0であることを示し、前記4つのプリコーディング行列のすべてに備えられた非ゼロ要素が異なる行に配置され、
送信ランクが2であるすべてのプリコーディング行列が第3のプリコーディング行列サブセットを備え、前記第3のプリコーディング行列サブセット内の各プリコーディング行列の非スカラ部分が、2つのプリコーディング行列の非スカラ部分内の列を組み合わせることによって取得され、前記2つのプリコーディング行列が前記第1のプリコーディング行列サブセットから選択された2つの互いに直交するプリコーディング行列であり、
送信ランクが3であるすべてのプリコーディング行列が第4のプリコーディング行列サブセットを備え、前記第4のプリコーディング行列サブセット内の各プリコーディング行列の非スカラ部分が、3つのプリコーディング行列の非スカラ部分内の列を組み合わせることによって取得され、前記3つのプリコーディング行列が前記第1のプリコーディング行列サブセットから選択された3つの互いに直交するプリコーディング行列であり、
送信ランクが4であるプリコーディング行列の非スカラ部分が、4つのプリコーディング行列の非スカラ部分内の列を組み合わせることによって取得され、前記4つのプリコーディング行列が前記第2のプリコーディング行列サブセットに備えられたすべての前記プリコーディング行列である、
請求項8に記載の端末。
【請求項１０】
前記第3のプリコーディング行列サブセットが、第1のタイプのプリコーディング行列、第2のタイプのプリコーディング行列、および第3のタイプのプリコーディング行列のうちの任意の2つまたは3つのタイプを備え、前記第1のタイプのプリコーディング行列の第1の列および第2の列が、完全に同じビーム空間を有するが、異なる交差偏波位相を有し、前記第2のタイプのプリコーディング行列の第1の列および第2の列が、反対のビーム空間を有するが、同じ交差偏波位相を有し、前記第2のタイプのプリコーディング行列の第1の列および第2の列が、反対のビーム空間および異なる交差偏波位相を有する、
請求項9に記載の端末。
【請求項１１】
前記送信ポートが第1のポートグループおよび第2のポートグループに分類され、前記送信ポート間でコヒーレント送信を実行することができ、コヒーレント送信が、前記第1のポートグループ内、前記第2のポートグループ内、および前記第1のポートグループと前記第2のポートグループとの間で実行することができる、請求項9または10に記載の端末。
【請求項１２】
前記送信ポートが第1のポートグループおよび第2のポートグループに分類され、コヒーレント送信が、前記第1のポートグループ内および前記第2のポートグループ内で実行することができるが、コヒーレント送信が、前記第1のポートグループと前記第2のポートグループとの間で実行することができず、
送信ランクが1であるすべての前記プリコーディング行列が、第5のプリコーディング行列サブセットおよび第2のプリコーディング行列サブセットを備え、前記第5のプリコーディング行列サブセット内の各プリコーディング行列の列が2つの非ゼロ要素および2つのゼロ要素を備え、前記非ゼロ要素を備える行に対応する送信ポートが前記第1のポートグループまたは前記第2のポートグループに備えられた送信ポートであり、前記ゼロ要素を備える行に対応する送信ポートの送信電力が0であり、前記第2のプリコーディング行列サブセットが4つのプリコーディング行列を備え、前記4つのプリコーディング行列の各々の列が1つの非ゼロ要素および3つのゼロ要素を備え、前記4つのプリコーディング行列のすべてに備えられた非ゼロ要素が異なる行に配置され、
送信ランクが2であるすべてのプリコーディング行列が第6のプリコーディング行列サブセットを備え、前記第6のプリコーディング行列サブセット内の各プリコーディング行列の非スカラ部分が、2つのプリコーディング行列の非スカラ部分内の列を組み合わせることによって取得され、前記2つのプリコーディング行列が前記第5のプリコーディング行列サブセットから選択された2つのプリコーディング行列であり、
送信ランクが3であるすべてのプリコーディング行列が第7のプリコーディング行列サブセットを備え、前記第7のプリコーディング行列サブセット内の各プリコーディング行列の非スカラ部分が、3つのプリコーディング行列の非スカラ部分内の列を組み合わせることによって取得され、前記3つのプリコーディング行列のうちの1つが前記第5のプリコーディング行列サブセットから選択されたプリコーディング行列であり、前記3つのプリコーディング行列のうちの他の2つが前記第2のプリコーディング行列サブセットから選択された2つのプリコーディング行列であり、
送信ランクが4であるプリコーディング行列の非スカラ部分が、4つのプリコーディング行列の非スカラ部分内の列を組み合わせることによって取得され、前記4つのプリコーディング行列が前記第2のプリコーディング行列サブセット内のすべての前記プリコーディング行列である、
請求項8に記載の端末。
【請求項１３】
送信ランクが2であるすべての前記プリコーディング行列が第8のプリコーディング行列サブセットをさらに備え、前記第8のプリコーディング行列サブセットが第1のプリコーディング行列および第2のプリコーディング行列を備え、前記第1のプリコーディング行列の非スカラ部分および前記第2のプリコーディング行列の非スカラ部分が、各々2つのプリコーディング行列の非スカラ部分内の列を組み合わせることによって取得され、前記2つのプリコーディング行列が前記第2のプリコーディング行列サブセットから選択されたプリコーディング行列であり、前記第1のプリコーディング行列内の非ゼロ要素を備える行に対応する送信ポートが、前記第1のポートグループに備えられた送信ポートであり、前記第2のプリコーディング行列内の非ゼロ要素を備える行に対応する送信ポートが、前記第2のポートグループに備えられた送信ポートである、
請求項11または12に記載の端末。
【請求項１４】
前記送信ポート間でコヒーレント送信を実行することができず、送信ランクが1であるすべての前記プリコーディング行列が第2のプリコーディング行列サブセットを備え、前記第2のプリコーディング行列サブセットが4つのプリコーディング行列を備え、前記4つのプリコーディング行列の各々の列が1つの非ゼロ要素および3つのゼロ要素を備え、前記4つのプリコーディング行列のすべてに備えられた非ゼロ要素が異なる行に配置され、前記ゼロ要素を備える行に対応する送信ポートの送信電力が0であり、
送信ランクが2であるすべてのプリコーディング行列が第9のプリコーディング行列サブセットを備え、前記第9のプリコーディング行列サブセット内の各プリコーディング行列の非スカラ部分が、2つのプリコーディング行列の非スカラ部分内の列を組み合わせることによって取得され、前記2つのプリコーディング行列が前記第2のプリコーディング行列サブセットからランダムに選択された2つのプリコーディング行列であり、
送信ランクが3であるすべてのプリコーディング行列が第10のプリコーディング行列サブセットを備え、前記第10のプリコーディング行列サブセット内の各プリコーディング行列の非スカラ部分が、3つのプリコーディング行列の非スカラ部分内の列を組み合わせることによって取得され、前記3つのプリコーディング行列が前記第2のプリコーディング行列サブセットからランダムに選択された3つのプリコーディング行列であり、
送信ランクが4であるプリコーディング行列の非スカラ部分が、4つのプリコーディング行列の非スカラ部分内の列を組み合わせることによって取得され、前記4つのプリコーディング行列が前記第2のプリコーディング行列サブセット内のすべての前記プリコーディング行列である、
請求項8に記載の端末。
【国際調査報告】
2020504487.tif 000054
2020504487.tif 000055
2020504487.tif 000056
2020504487.tif 000057